(57)【要約】  基地局装置と通信する端末装置であって、ＴＤＤ再設定用ＲＮＴＩでスクランブルされたＣＲＣを伴うＤＣＩフォーマット１ＣのＰＤＣＣＨを復号する受信部を備え、ＤＣＩフォーマット１Ｃは、複数のサービングセルに対する上りリンク−下りリンク設定の指示を含む。これにより、移動局装置と基地局装置とが効率的に通信することができる。
2015020190.tif 000002
【特許請求の範囲】
【請求項１】
基地局装置と通信する端末装置であって、
ＴＤＤ再設定用ＲＮＴＩでスクランブルされたＣＲＣを伴うＤＣＩフォーマット１ＣのＰＤＣＣＨを復号する受信部を備え、
前記ＤＣＩフォーマット１Ｃは、複数のサービングセルに対する上りリンク−下りリンク設定の指示を含む、
端末装置。
【請求項２】
前記ＤＣＩフォーマット１Ｃは、固定数のビットフィールドを有する、
請求項１に記載の端末装置。
【請求項３】
前記ＤＣＩフォーマット１Ｃは、設定されたサービングセル数によらず固定数のビットフィールドを有する、
請求項１に記載の端末装置。
【請求項４】
前記ＴＤＤ再設定用ＲＮＴＩは、専用ＲＲＣシグナリングを介して、一つ設定される、
請求項１に記載の端末装置。
【請求項５】
前記受信部は、上位層から設定されたサブフレームにおいて、前記ＰＤＣＣＨを復号する
請求項１に記載の端末装置。
【請求項６】
前記上位層から設定されたサブフレームは、システムインフォメーションに含まれる上りリンク−下りリンク設定によって下りリンクサブフレームまたはスペシャルサブフレームと指示されたサブフレームである、
請求項５に記載の端末装置。
【請求項７】
前記上位層から設定されたサブフレームは、ビットマップ情報によって通知される、
請求項５に記載の端末装置。
【請求項８】
前記受信部は、共通サーチスペースにおいて、前記ＰＤＣＣＨを復号する
請求項１に記載の端末装置。
【請求項９】
前記受信部は、システムインフォメーションに含まれる上りリンク−下りリンク設定によって下りリンクサブフレームまたはスペシャルサブフレームと指示されたサブフレームが上りリンク−下りリンク設定によって上りリンクサブフレームと指示する前記ＰＤＣＣＨを受信しない、
請求項１に記載の端末装置。
【請求項１０】
前記受信部は、下りリンク参照ＵＬ−ＤＬ設定によって上りリンクサブフレームまたはスペシャルサブフレームと指示されたサブフレームが上りリンク−下りリンク設定によって下りリンクサブフレームと指示する前記ＰＤＣＣＨを受信しない、
請求項１に記載の端末装置。
【請求項１１】
前記下りリンク参照ＵＬ−ＤＬ設定は、限定された上りリンク−下りリンク設定セットの中から設定される、
請求項１０に記載の端末装置。
【請求項１２】
前記上りリンク−下りリンク設定セットは、上りリンク参照ＵＬ−ＤＬ設定に基づいて限定される、
請求項１１に記載の端末装置。
【請求項１３】
前記下りリンク参照ＵＬ−ＤＬ設定は、専用ＲＲＣシグナリングを介して、サービングセルごとに設定される、
請求項１０に記載の端末装置。
【請求項１４】
端末装置と通信する基地局装置であって、
ＴＤＤ再設定用ＲＮＴＩでスクランブルされたＣＲＣを伴うＤＣＩフォーマット１ＣのＰＤＣＣＨを送信する送信部を備え、
前記ＤＣＩフォーマット１Ｃは、複数のサービングセルに対する上りリンク−下りリンク設定の指示を含む、
基地局装置。
【請求項１５】
前記ＤＣＩフォーマット１Ｃは、固定数のビットフィールドを有する、
請求項１４に記載の基地局装置。
【請求項１６】
前記ＤＣＩフォーマット１Ｃは、設定されたサービングセル数によらず固定数のビットフィールドを有する、
請求項１４に記載の基地局装置。
【請求項１７】
前記ＴＤＤ再設定用ＲＮＴＩを、専用ＲＲＣシグナリングを介して、前記端末装置に一つ設定される、
請求項１４に記載の基地局装置。
【請求項１８】
前記送信部は、上位層から設定されたサブフレームにおいて、前記ＰＤＣＣＨを送信する
請求項１４に記載の基地局装置。
【請求項１９】
前記上位層から設定されたサブフレームは、システムインフォメーションに含まれる上りリンク−下りリンク設定によって下りリンクサブフレームまたはスペシャルサブフレームと指示されたサブフレームである、
請求項１８に記載の基地局装置。
【請求項２０】
前記上位層から設定されたサブフレームを、ビットマップ情報によって前記端末装置に通知する、
請求項１８に記載の基地局装置。
【請求項２１】
前記送信部は、共通サーチスペースにおいて、前記ＰＤＣＣＨを送信する
請求項１４に記載の基地局装置。
【請求項２２】
前記送信部は、システムインフォメーションに含まれる上りリンク−下りリンク設定によって下りリンクサブフレームまたはスペシャルサブフレームと指示されたサブフレームが、上りリンク−下りリンク設定によって上りリンクサブフレームと指示する前記ＰＤＣＣＨを送信しない、
請求項１４に記載の基地局装置。
【請求項２３】
前記送信部は、下りリンク参照ＵＬ−ＤＬ設定によって上りリンクサブフレームまたはスペシャルサブフレームと指示されたサブフレームが、上りリンク−下りリンク設定によって下りリンクサブフレームと指示する前記ＰＤＣＣＨを送信しない、
請求項１４に記載の基地局装置。
【請求項２４】
前記下りリンク参照ＵＬ−ＤＬ設定を、限定された上りリンク−下りリンク設定セットの中から前記端末装置に設定する、
請求項２３に記載の基地局装置。
【請求項２５】
前記上りリンク−下りリンク設定セットは、上りリンク参照ＵＬ−ＤＬ設定に基づいて限定される、
請求項２４に記載の基地局装置。
【請求項２６】
前記下りリンク参照ＵＬ−ＤＬ設定を、専用ＲＲＣシグナリングを介して、サービングセルごとに前記端末装置に設定する、
請求項２３に記載の基地局装置。
【請求項２７】
基地局装置と通信する端末装置の通信方法であって、
ＴＤＤ再設定用ＲＮＴＩでスクランブルされたＣＲＣを伴うＤＣＩフォーマット１ＣのＰＤＣＣＨを復号するステップを含み、
前記ＤＣＩフォーマット１Ｃは、複数のサービングセルに対する上りリンク−下りリンク設定の指示を含む、
端末装置の通信方法。
【請求項２８】
端末装置と通信する基地局装置の通信方法であって、
ＴＤＤ再設定用ＲＮＴＩでスクランブルされたＣＲＣを伴うＤＣＩフォーマット１ＣのＰＤＣＣＨを送信するステップを含み、
前記ＤＣＩフォーマット１Ｃは、複数のサービングセルに対する上りリンク−下りリンク設定の指示を含む、
基地局装置の通信方法。
【請求項２９】
基地局装置と通信する端末装置に実装される集積回路であって、
ＴＤＤ再設定用ＲＮＴＩでスクランブルされたＣＲＣを伴うＤＣＩフォーマット１ＣのＰＤＣＣＨを復号する機能を実現し、
前記ＤＣＩフォーマット１Ｃは、複数のサービングセルに対する上りリンク−下りリンク設定の指示を含む、
集積回路。
【請求項３０】
端末装置と通信する基地局装置に実装される集積回路であって、
ＴＤＤ再設定用ＲＮＴＩでスクランブルされたＣＲＣを伴うＤＣＩフォーマット１ＣのＰＤＣＣＨを送信する機能を実現し、
前記ＤＣＩフォーマット１Ｃは、複数のサービングセルに対する上りリンク−下りリンク設定の指示を含む、
集積回路。
【発明の詳細な説明】
【技術分野】
【０００１】
本発明は、端末装置、基地局装置、通信方法、および集積回路に関する。
本願は、２０１３年０８月０９日に、日本に出願された特願２０１３−１６６１６５号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置（基地局）をｅＮｏｄｅＢ（evolved NodeB）、移動局装置（移動局、端末、端末装置）をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、周波数分割複信（Frequency Division Duplex: FDD）および時分割複信（Time Division Duplex: TDD）に対応している。ＦＤＤ方式を採用したＬＴＥをＦＤ−ＬＴＥまたはＬＴＥ  ＦＤＤとも称する。ＴＤＤは、上りリンク信号と下りリンク信号を周波数分割多重することによって、少なくとも２つの周波数帯域において全二重通信を可能にする技術である。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信を可能にする技術である。ＦＤ−ＬＴＥおよびＴＤ−ＬＴＥの詳細は、非特許文献１に開示されている。【０００４】
また、基地局は、端末に対して、基地局と端末との間において既知の信号である参照信号（ＲＳ；Reference Signalとも呼称される）を送信できる。この参照信号は、信号やチャネルの復調やチャネル状態のレポートなどの様々な目的のために、複数の参照信号を送信できる。例えば、セル固有参照信号は、セルに固有の参照信号として、全ての下りリンクサブフレームにおいて送信される。また、例えば、端末固有参照信号は、端末に固有の参照信号として、その端末に対するデータ信号がマッピングされるリソースにおいて送信される。参照信号の詳細は、非特許文献１に開示されている。【０００５】
一方、通信システムにおいて、基地局と端末は、制御情報を用いて通信が実現できる。特に、ＬＴＥの下りリンクでは、基地局は、ＰＤＣＣＨ（Physical Downlink Control Channel）およびＥＰＤＣＣＨ（Enhanced Physical Downlink Control Channel）などの制御チャネルを通じて、制御情報を端末に通知することができる。ＰＤＣＣＨはセル固有参照信号に関連付けられて送信され、ＥＰＤＣＣＨは端末固有参照信号に関連付けられて送信される。また、従来のＬＴＥでは、ＰＤＣＣＨは、セルに固有の領域である共通サーチスペース（Common Search Space: CSS）、および／または、端末に固有の領域である端末固有サーチスペース（UE-specific Search Space: USS）にマッピングできる。また、ＥＰＤＣＣＨは、端末固有サーチスペースのみにマッピングできる。そのため、例えば、共通サーチスペースを用いて制御チャネルを送信する場合、基地局はＰＤＣＣＨを通じて制御情報を通知することになる。制御チャネルの詳細は、非特許文献２に開示されている。
【先行技術文献】
【非特許文献】
【０００６】
【非特許文献１】3rd Generation Partnership Project; Technical Specification Group Radio Access Network; Evolved Universal Terrestrial Radio Access (E-UTRA); Physical Channels and Modulation (Release 11), 3GPP TS 36.211 V11.3.0 (2013-06).
【非特許文献２】3rd Generation Partnership Project; Technical Specification Group Radio Access Network; Evolved Universal Terrestrial Radio Access (E-UTRA); Physical layer procedures (Release 11), 3GPP TS 36.213 V11.3.0 (2013-06).
【発明の概要】
【発明が解決しようとする課題】
【０００７】
しかしながら、ＰＤＣＣＨはセル固有参照信号に関連付けられて送信されるため、共通サーチスペースは、セル固有参照信号がマッピングされるサブフレームのみに制限されることになる。このような制限は、効率的な制御情報の通知を妨げることになり、伝送効率を大幅に劣化させる要因となる。【０００８】
本発明の一態様は、上記問題を鑑みてなされたものであり、その目的は、基地局と端末が通信する通信システムにおいて、伝送効率を向上させることができる端末装置、基地局装置、通信方法、および集積回路を提供することにある。
【課題を解決するための手段】
【０００９】
（１）上記の目的を達成するために、本発明の一態様は、以下のような手段を講じた。すなわち、本実施形態の一態様における端末装置は、基地局装置と通信する端末装置であって、ＴＤＤ再設定用ＲＮＴＩでスクランブルされたＣＲＣを伴うＤＣＩフォーマット１ＣのＰＤＣＣＨを復号する受信部を備え、前記ＤＣＩフォーマット１Ｃは、複数のサービングセルに対する上りリンク−下りリンク設定の指示を含む。【００１０】
（２）また、本実施形態の一態様における端末装置は、（１）に記載の端末装置であって、前記ＤＣＩフォーマット１Ｃは、固定数のビットフィールドを有する。【００１１】
（３）また、本実施形態の一態様における端末装置は、（１）に記載の端末装置であって、前記ＤＣＩフォーマット１Ｃは、設定されたサービングセル数によらず固定数のビットフィールドを有する。【００１２】
（４）また、本実施形態の一態様における端末装置は、（１）に記載の端末装置であって、前記ＴＤＤ再設定用ＲＮＴＩは、専用ＲＲＣシグナリングを介して、一つ設定される。【００１３】
（５）また、本実施形態の一態様における端末装置は、（１）に記載の端末装置であって、前記受信部は、上位層から設定されたサブフレームにおいて、前記ＰＤＣＣＨを復号する。【００１４】
（６）また、本実施形態の一態様における端末装置は、（５）に記載の端末装置であって、前記上位層から設定されたサブフレームは、システムインフォメーションに含まれる上りリンク−下りリンク設定によって下りリンクサブフレームまたはスペシャルサブフレームと指示されたサブフレームである。【００１５】
（７）また、本実施形態の一態様における端末装置は、（５）に記載の端末装置であって、前記上位層から設定されたサブフレームは、ビットマップ情報によって通知される。【００１６】
（８）また、本実施形態の一態様における端末装置は、（１）に記載の端末装置であって、前記受信部は、共通サーチスペースにおいて、前記ＰＤＣＣＨを復号する。【００１７】
（９）また、本実施形態の一態様における端末装置は、（１）に記載の端末装置であって、前記受信部は、システムインフォメーションに含まれる上りリンク−下りリンク設定によって下りリンクサブフレームまたはスペシャルサブフレームと指示されたサブフレームが上りリンク−下りリンク設定によって上りリンクサブフレームと指示する前記ＰＤＣＣＨを受信しない。【００１８】
（１０）また、本実施形態の一態様における端末装置は、（１）に記載の端末装置であって、前記受信部は、下りリンク参照ＵＬ−ＤＬ設定によって上りリンクサブフレームまたはスペシャルサブフレームと指示されたサブフレームが上りリンク−下りリンク設定によって下りリンクサブフレームと指示する前記ＰＤＣＣＨを受信しない。【００１９】
（１１）また、本実施形態の一態様における端末装置は、（１０）に記載の端末装置であって、前記下りリンク参照ＵＬ−ＤＬ設定は、限定された上りリンク−下りリンク設定セットの中から設定される。【００２０】
（１２）また、本実施形態の一態様における端末装置は、（１１）に記載の端末装置であって、前記上りリンク−下りリンク設定セットは、上りリンク参照ＵＬ−ＤＬ設定に基づいて限定される。【００２１】
（１３）また、本実施形態の一態様における端末装置は、（１０）に記載の端末装置であって、前記下りリンク参照ＵＬ−ＤＬ設定は、専用ＲＲＣシグナリングを介して、サービングセルごとに設定される。【００２２】
（１４）また、本実施形態の一態様における基地局装置は、端末装置と通信する基地局装置であって、ＴＤＤ再設定用ＲＮＴＩでスクランブルされたＣＲＣを伴うＤＣＩフォーマット１ＣのＰＤＣＣＨを送信する送信部を備え、前記ＤＣＩフォーマット１Ｃは、複数のサービングセルに対する上りリンク−下りリンク設定の指示を含む。【００２３】
（１５）また、本実施形態の一態様における基地局装置は、（１４）に記載の基地局装置であって、前記ＤＣＩフォーマット１Ｃは、固定数のビットフィールドを有する。【００２４】
（１６）また、本実施形態の一態様における基地局装置は、（１４）に記載の基地局装置であって、前記ＤＣＩフォーマット１Ｃは、設定されたサービングセル数によらず固定数のビットフィールドを有する。【００２５】
（１７）また、本実施形態の一態様における基地局装置は、（１４）に記載の基地局装置であって、前記ＴＤＤ再設定用ＲＮＴＩを、専用ＲＲＣシグナリングを介して、前記端末装置に一つ設定される。【００２６】
（１８）また、本実施形態の一態様における基地局装置は、（１４）に記載の基地局装置であって、前記送信部は、上位層から設定されたサブフレームにおいて、前記ＰＤＣＣＨを送信する。【００２７】
（１９）また、本実施形態の一態様における基地局装置は、（１８）に記載の基地局装置であって、前記上位層から設定されたサブフレームは、システムインフォメーションに含まれる上りリンク−下りリンク設定によって下りリンクサブフレームまたはスペシャルサブフレームと指示されたサブフレームである。【００２８】
（２０）また、本実施形態の一態様における基地局装置は、（１８）に記載の基地局装置であって、前記上位層から設定されたサブフレームを、ビットマップ情報によって前記端末装置に通知する。【００２９】
（２１）また、本実施形態の一態様における基地局装置は、（１４）に記載の基地局装置であって、前記送信部は、共通サーチスペースにおいて、前記ＰＤＣＣＨを送信する。【００３０】
（２２）また、本実施形態の一態様における基地局装置は、（１４）に記載の基地局装置であって、前記送信部は、システムインフォメーションに含まれる上りリンク−下りリンク設定によって下りリンクサブフレームまたはスペシャルサブフレームと指示されたサブフレームが、上りリンク−下りリンク設定によって上りリンクサブフレームと指示する前記ＰＤＣＣＨを送信しない。【００３１】
（２３）また、本実施形態の一態様における基地局装置は、（１４）に記載の基地局装置であって、前記送信部は、下りリンク参照ＵＬ−ＤＬ設定によって上りリンクサブフレームまたはスペシャルサブフレームと指示されたサブフレームが、上りリンク−下りリンク設定によって下りリンクサブフレームと指示する前記ＰＤＣＣＨを送信しない。【００３２】
（２４）また、本実施形態の一態様における基地局装置は、（２３）に記載の基地局装置であって、前記下りリンク参照ＵＬ−ＤＬ設定を、限定された上りリンク−下りリンク設定セットの中から前記端末装置に設定する。【００３３】
（２５）また、本実施形態の一態様における基地局装置は、（２４）に記載の基地局装置であって、前記上りリンク−下りリンク設定セットは、上りリンク参照ＵＬ−ＤＬ設定に基づいて限定される。【００３４】
（２６）また、本実施形態の一態様における基地局装置は、（２３）に記載の基地局装置であって、前記下りリンク参照ＵＬ−ＤＬ設定を、専用ＲＲＣシグナリングを介して、サービングセルごとに前記端末装置に設定する。【００３５】
（２７）また、本実施形態の一態様における通信方法は、基地局装置と通信する端末装置の通信方法であって、ＴＤＤ再設定用ＲＮＴＩでスクランブルされたＣＲＣを伴うＤＣＩフォーマット１ＣのＰＤＣＣＨを復号するステップを含み、前記ＤＣＩフォーマット１Ｃは、複数のサービングセルに対する上りリンク−下りリンク設定の指示を含む。【００３６】
（２８）また、本実施形態の一態様における通信方法は、基地局装置と通信する端末装置の通信方法であって、端末装置と通信する基地局装置の通信方法であって、ＴＤＤ再設定用ＲＮＴＩでスクランブルされたＣＲＣを伴うＤＣＩフォーマット１ＣのＰＤＣＣＨを送信するステップを含み、前記ＤＣＩフォーマット１Ｃは、複数のサービングセルに対する上りリンク−下りリンク設定の指示を含む。【００３７】
（２９）また、本実施形態の一態様における集積回路は、基地局装置と通信する端末装置に実装される集積回路であって、ＴＤＤ再設定用ＲＮＴＩでスクランブルされたＣＲＣを伴うＤＣＩフォーマット１ＣのＰＤＣＣＨを復号する機能を実現し、前記ＤＣＩフォーマット１Ｃは、複数のサービングセルに対する上りリンク−下りリンク設定の指示を含む。【００３８】
（３０）また、本実施形態の一態様における集積回路は、端末装置と通信する基地局装置に実装される集積回路であって、ＴＤＤ再設定用ＲＮＴＩでスクランブルされたＣＲＣを伴うＤＣＩフォーマット１ＣのＰＤＣＣＨを送信する機能を実現し、前記ＤＣＩフォーマット１Ｃは、複数のサービングセルに対する上りリンク−下りリンク設定の指示を含む。
【発明の効果】
【００３９】
この発明の一態様によれば、基地局と端末が通信する無線通信システムにおいて、伝送効率を向上させることができる。
【図面の簡単な説明】
【００４０】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】ＥＰＤＣＣＨセットの一例を示す図である。
【図１０】ＥＰＤＣＣＨサーチスペースの一例を示す図である。
【図１１】上りリンク−下りリンク設定の一例である。
【図１２】移動局装置における制御チャネルのモニタリングに関するフローチャートの一例を示す図である。
【図１３】サブフレーム設定と制御チャネルのモニタリングの一例を示す図である。
【図１４】サブフレーム設定と制御チャネルのモニタリングの一例を示す図である。
【図１５】サブフレーム設定と制御チャネルのモニタリングの一例を示す図である。
【図１６】サブフレーム設定と制御チャネルのモニタリングの一例を示す図である。
【図１７】サブフレーム設定と制御チャネルのモニタリングの一例を示す図である。
【図１８】サブフレーム設定と制御チャネルのモニタリングの一例を示す図である。
【図１９】サブフレーム設定と制御チャネルのモニタリングの一例を示す図である。
【図２０】サブフレーム設定と制御チャネルのモニタリングの一例を示す図である。
【図２１】サブフレーム設定と制御チャネルのモニタリングの一例を示す図である。
【図２２】サブフレーム設定と制御チャネルのモニタリングの一例を示す図である。
【図２３】サブフレーム設定と制御チャネルのモニタリングの一例を示す図である。
【図２４】制御チャネルとサーチスペースとサブフレームに基づく制御チャネルの復号処理に用いるＲＮＴＩの種類の一例を示す図である。
【図２５】制御チャネルとサーチスペースとサブフレームに基づく制御チャネルの復号処理に用いるＲＮＴＩの種類の一例を示す図である。
【図２６】サブフレーム設定とモニタリングに用いるＲＮＴＩの一例を示す図である。
【図２７】サブフレーム設定とモニタリングに用いるＲＮＴＩの一例を示す図である。
【図２８】サブフレーム設定とスクランブルシーケンス生成に用いるパラメータの一例を示す図である。
【図２９】サブフレーム設定とスクランブルシーケンス生成に用いるパラメータの一例を示す図である。
【発明を実施するための形態】
【００４１】
以下、本発明の実施形態について説明する。
【００４２】
本実施形態では、移動局装置は、複数のセルが設定される。移動局装置が複数のセルを介して通信する技術をセルアグリゲーション、またはキャリアアグリゲーションと称する。移動局装置に対して設定される複数のセルのそれぞれにおいて、本発明が適用されてもよい。また、設定された複数のセルの一部において、本発明が適用されてもよい。移動局装置に設定されるセルを、サービングセルとも称する。
【００４３】
設定された複数のサービングセルは、１つのプライマリーセルと１つまたは複数のセカンダリーセルとを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。
【００４４】
本実施形態の無線通信システムは、ＴＤＤ（Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。ＴＤＤが適用されるセルとＦＤＤが適用されるセルとが集約される場合に、ＴＤＤが適用されるセルに対して本発明を適用することができる。
【００４５】
ＴＤＤが適用される複数のセルがアグリゲートされる場合には、半二重（half-duplex）TDD方式または全二重（full-duplex）ＴＤＤ方式が適用できる。
【００４６】
移動局装置は、移動局装置によってキャリアアグリゲーションがサポートされているバンドの組合せを示す情報を、基地局装置に送信する。移動局装置は、バンドの組合せのそれぞれに対して、異なる複数のバンドにおける前記複数のサービングセルにおける同時送信および受信をサポートしているかどうかを指示する情報を、基地局装置に送信する。
【００４７】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００４８】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００４９】
本実施形態の物理チャネルおよび物理信号について説明する。
【００５０】
図１において、移動局装置１から基地局装置３への上りリンクの無線通信では、上りリンク物理チャネルが用いられる。上りリンク物理チャネルは、上位層から出力された情報を送信するために使用できる。上りリンク物理チャネルは、ＰＵＣＣＨ（Physical Uplink Control Channel）、ＰＵＳＣＨ（Physical Uplink Shared Channel）、ＰＲＡＣＨ（Physical Random Access Channel）などを含む。
【００５１】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００５２】
ＰＵＳＣＨは、上りリンクデータ（Uplink-Shared Channel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００５３】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション構築（initial connection establishment）プロシージャ、ハンドオーバプロシージャ、コネクション再構築（connection re-establishment）プロシージャ、上りリンク送信に対する同期（タイミング調整）、およびＰＵＳＣＨリソースの要求を示すためにも用いられる。
【００５４】
図１において、上りリンクの無線通信では、上りリンク物理信号が用いられる。上りリンク物理信号は、上りリンク参照信号（Uplink Reference Signal: UL RS）などを含む。上りリンク参照信号は、ＤＭＲＳ（Demodulation Reference Signal）、ＳＲＳ（Sounding Reference Signal）などが用いられる。ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。なお、上りリンクのＤＭＲＳは、ＵＬ−ＤＭＲＳとも呼称される。ＳＲＳは、ＰＵＳＣＨまたはＰＵＣＣＨの送信に関連しない。基地局装置３は、上りリンクのチャネル状態を測定するためにＳＲＳを使用する。
【００５５】
図１において、基地局装置３から移動局装置１への下りリンクの無線通信では、下りリンク物理チャネルが用いられる。下りリンク物理チャネルは、上位層から出力された情報を送信するために使用できる。下りリンク物理チャネルは、ＰＢＣＨ（Physical Broadcast Channel）、ＰＣＦＩＣＨ（Physical Control Format Indicator Channel）、ＰＨＩＣＨ（Physical Hybrid automatic repeat request Indicator Channel）、ＰＤＣＣＨ（Physical Downlink Control Channel）、ＥＰＤＣＣＨ（Enhanced Physical Downlink Control Channel）、ＰＤＳＣＨ（Physical Downlink Shared Channel）、ＰＭＣＨ（Physical Multicast Channel）などを含む。
【００５６】
ＰＢＣＨは、移動局装置１で共通に用いられるマスターインフォメーションブロック（Master Information Block: MIB, Broadcast Channel: BCH）を報知するために用いられる。ＭＩＢは、４０ms間隔で更新できる。ＰＢＣＨは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。
【００５７】
ＰＣＦＩＣＨは、ＰＤＣＣＨの送信に用いられる領域（ＯＦＤＭシンボル）を指示する情報を送信するために用いられる。
【００５８】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００５９】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。ＰＤＣＣＨは、物理レイヤセル識別子に基づいてスクランブルされる。ＥＰＤＣＣＨは、上位レイヤで通知されたパラメータに基づいてスクランブルされる。前記パラメータは、例えば、ＤＭＲＳのスクランブルシーケンスの初期値に用いられるパラメータ（dmrs-ScramblingSequenceInit）である。
【００６０】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００６１】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、ＳＰＳ  Ｃ−ＲＮＴＩ（Semi Persistent Scheduling Cell-Radio Network Temporary Identifier）、ＳＩ−ＲＮＴＩ（Systemp Information-Radio Network Temporary Identifier）、Ｐ−ＲＮＴＩ（Paging-Radio Network Temporary Identifier）、ＲＡ−ＲＮＴＩ（Random Access-Radio Network Temporary Identifier）、ＴＰＣ−ＰＵＣＣＨ−ＲＮＴＩ（Transmit Power Control-Physical Uplink Control Channel-Radio Network Temporary Identifier）、ＴＰＣ−ＰＵＳＣＨ−ＲＮＴＩ（Transmit Power Control-Physical Uplink Shared Channel-Radio Network Temporary Identifier）、一時的Ｃ−ＲＮＴＩ、または、Ｍ−ＲＮＴＩ（MBMS(Multimedia Broadcast Muticast Services)-Radio Network Temporary Identifier）でスクランブルされる。Ｃ−ＲＮＴＩおよびＳＰＳ  Ｃ−ＲＮＴＩは、セル内において移動局装置を識別するための識別子である。Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。ＳＩ−ＲＮＴＩでスクランブルされたＣＲＣを有する制御チャネルは、ＳＩＢ（System Information Block）を制御するために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、RACHに対するレスポンスを制御するために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。一時的Ｃ−ＲＮＴＩでスクランブルされたＣＲＣを有する制御チャネルは、Ｃ−ＲＮＴＩにより識別されていない移動局装置のために用いられる。Ｍ−ＲＮＴＩでスクランブルされたＣＲＣを有する制御チャネルは、ＭＢＭＳを制御するために用いられる。なお、ＲＮＴＩは上記のＲＮＴＩに限らず、新たなＲＮＴＩを用いてＤＣＩフォーマットをスクランブルされてもよい。新たなＲＮＴＩは、例えばＴＤＤ−ｒｅｃｏｎｆｉｇｕｒａｔｉｏｎの情報を識別するための識別子（以下、Ｄ−ＲＮＴＩ、ｅＩＭＴＡ−ＲＮＴＩ、または、ＵＥグループＲＮＴＩやＴＤＤ上りリンク−下りリンク再設定用ＲＮＴＩやダイナミックＴＤＤ設定用ＲＮＴＩとも称する。）である。例えば、複数の移動局装置１のグループに固有の設定として、あるいは移動局装置１に固有の設定として、基地局装置３が移動局装置１に上りリンク−下りリンク設定あるいは送信方向ＵＬ−ＤＬ設定をシグナリングするに際し、ＰＤＣＣＨまたはＥＰＤＣＣＨを用いる。このとき、このＰＤＣＣＨまたはＥＰＤＣＣＨで送信されるＤＣＩはＤ−ＲＮＴＩでスクランブルされたＣＲＣパリティビットが付加される。
【００６２】
Ｄ−ＲＮＴＩでスクランブルされたＣＲＣを有する制御チャネルは、複数のＵＥに対する制御を行うために用いられる。すなわち、Ｄ−ＲＮＴＩは、複数のＵＥで共通に設定され得るＲＮＴＩである。なお、同じＤ−ＲＮＴＩが設定された複数のＵＥは、ＵＥグループとも呼称される。Ｄ−ＲＮＴＩでスクランブルされたＣＲＣを有する制御チャネルは、ＵＥグループ間で共通に制御するために用いることができる。例えば、ＵＥグループは、セルとは独立した単位として用いることができ、送信点毎に設定できる。また、Ｄ−ＲＮＴＩでスクランブルされたＣＲＣを有する制御チャネルは、上りリンク−下りリンク設定を設定するために用いることができる。詳細は後述するが、サブフレーム設定は、セル固有のＳＩＢで設定される上りリンク−下りリンク設定１と、Ｄ−ＲＮＴＩでスクランブルされたＣＲＣを有する制御チャネルを通じて設定される上りリンク−下りリンク設定２とに基づいて、設定できる。例えば、Ｄ−ＲＮＴＩでスクランブルされたＣＲＣを有する制御チャネルが無線フレーム毎に送信され、上りリンク−下りリンク設定２がＤ−ＲＮＴＩでスクランブルされたＣＲＣを有する制御チャネルを通じて設定される場合、上りリンク−下りリンク設定２は、無線フレーム毎に、ＵＥグループを単位として、設定できる。
【００６３】
また、Ｄ−ＲＮＴＩでスクランブルされたＣＲＣを有する制御チャネルは、所定のサーチスペースのみにマッピングされるようにできる。その場合、同じＤ−ＲＮＴＩが設定されるＵＥ間で共通に設定されるサーチスペースであることが好ましい。例えば、Ｄ−ＲＮＴＩでスクランブルされたＣＲＣを有する制御チャネルは、共通サーチスペースのみにマッピングされることができる。また、例えば、Ｄ−ＲＮＴＩでスクランブルされたＣＲＣを有する制御チャネルは、ＵＥ固有サーチスペースにマッピングされる場合でも、同じＤ−ＲＮＴＩが設定されるＵＥ間で共通に設定されるサーチスペースであることが好ましい。
【００６４】
また、例えば、Ｄ−ＲＮＴＩでスクランブルされたＣＲＣを有する制御チャネルのみがマッピングされ得るサーチスペースが定義され、Ｄ−ＲＮＴＩでスクランブルされたＣＲＣを有する制御チャネルは、そのサーチスペースにマッピングされるようにしてもよい。すなわち、Ｄ−ＲＮＴＩでスクランブルされたＣＲＣを有する制御チャネルは、ＵＥグループに固有のサーチスペースにマッピングされることができる。
【００６５】
基地局装置３は、Ｄ−ＲＮＴＩでスクランブルされたＣＲＣを有する制御チャネルを、共通サーチスペース、ＵＥ固有サーチスペース、および／または、ＵＥグループに固有のサーチスペースにマッピングする。移動局装置１は、共通サーチスペース、ＵＥ固有サーチスペース、および／または、ＵＥグループに固有のサーチスペースに対して、Ｄ−ＲＮＴＩでスクランブルされたＣＲＣを有する制御チャネルをモニタし、検出する。なお、ＵＥグループに固有の設定におけるグループは、基地局装置３の観点からのグループであり、移動局装置１の観点からは、単に移動局装置１に固有の設定であってもよい。
【００６６】
ＤＣＩフォーマットは、基地局装置によってＲＮＴＩでスクランブルされたＣＲＣパリティビットが付加され、制御チャネルに同梱されて送信される。移動局装置は、前記基地局装置から送信された制御チャネルの復号処理を行う。移動局装置は、ＤＣＩフォーマットに付加されたＣＲＣパリティビットに対して当該移動局装置が有するＲＮＴＩを用いてデスクランブルを行う。ＣＲＣパリティビットのデスクランブルが成功した場合は、前記ＤＣＩフォーマットは当該移動局装置宛の情報であると識別し、ＣＲＣパリティビットのデスクランブルが成功しなかった場合は、前記ＤＣＩフォーマットは当該移動局装置宛の情報でないと識別する。上記の動作によって、移動局装置は基地局装置から送信された複数の情報から該移動局装置宛の情報を識別する。ＲＮＴＩによる制御チャネルの復号処理は、すなわちＲＮＴＩを用いた制御チャネルのモニタリング、または、ＲＮＴＩを用いた制御情報のモニタリングとも言い換えることができる。
【００６７】
ＰＤＳＣＨは、下りリンクデータ（Downlink Shared Channel: DL-SCH）を送信するために用いられる。
【００６８】
ＰＭＣＨは、マルチキャストデータ（Multicast Channel: MCH）を送信するために用いられる。
【００６９】
図１において、下りリンクの無線通信では、以下の下りリンク物理信号が用いられる。下りリンク物理信号は、同期信号（Synchronization signal: SS）、下りリンク参照信号（Downlink Reference Signal: DL RS）などを含む。
【００７０】
同期信号は、移動局装置１が下りリンクの周波数領域および時間領域の同期をとるために用いられる。同期信号は無線フレーム内の所定のサブフレームに配置される。例えば、ＴＤＤ方式において、同期信号は無線フレーム内のサブフレーム０、１、５、６に配置される。ＦＤＤ方式において、同期信号は無線フレーム内のサブフレーム０と５に配置される。
【００７１】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。下りリンク参照信号は、移動局装置１が自装置の地理的な位置を測定するために用いられる。
【００７２】
下りリンク参照信号は、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）、ＭＢＳＦＮ  ＲＳ（Multimedia Broadcast and Multicast Service over Single Frequency Network Reference signal）、ＰＲＳ（Positioning Reference Signal）、ＴＲＳ（Tracking Reference Signal）などを含む。
【００７３】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、移動局装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００７４】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００７５】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００７６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＤＭＲＳのシンボルは、上位レイヤで通知されたパラメータに基づいてスクランブルされる。前記パラメータは、例えば、ＤＭＲＳのスクランブルシーケンスの初期値に用いられるパラメータ（dmrs-ScramblingSequenceInit）である。
【００７７】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、移動局装置１が下りリンクのチャネル状態情報を算出するために用いられる。移動局装置１は、ＮＺＰ  ＣＳＩ−ＲＳを用いて信号測定（チャネル測定）を行なう。
【００７８】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、移動局装置１は、干渉を測定することができる。
【００７９】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００８０】
ＰＲＳは、移動局装置が、自装置の地理的な位置を測定するために用いられる。
【００８１】
ＴＲＳは、所定のサブフレームにマッピングできる。例えば、ＴＲＳは、サブフレーム０および５にマッピングされる。また、ＴＲＳは、ＣＲＳの一部と同様の構成を用いることができる。例えば、リソースブロックのそれぞれにおいて、ＴＲＳがマッピングされるリソースエレメントの位置は、アンテナポート０のＣＲＳがマッピングされるリソースエレメントの位置と同じにすることができる。また、ＴＲＳに用いられる系列（値）は、ＰＢＣＨ、ＰＤＣＣＨ、ＥＰＤＣＣＨまたはＰＤＳＣＨ（ＲＲＣシグナリング）を通じて設定された情報に基づいて決定できる。ＴＲＳに用いられる系列（値）は、セルＩＤ（例えば、物理レイヤセル識別子）、スロット番号などのパラメータに基づいて決定できる。ＴＲＳに用いられる系列（値）は、アンテナポート０のＣＲＳに用いられる系列（値）とは異なる方法（式）によって決定できる。
【００８２】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００８３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００８４】
以下、本実施形態の無線フレーム（radio frame）の構成について説明する。
【００８５】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００８６】
サブフレームは、下りリンクサブフレーム（第１のサブフレーム）、上りリンクサブフレーム（第２のサブフレーム）、スペシャルサブフレーム（第３のサブフレーム）などを含む。
【００８７】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。なお、スペシャルサブフレームは、ＤｗＰＴＳおよびＧＰのみによって構成されてもよいし、ＧＰおよびＵｐＰＴＳのみによって構成されてもよい。
【００８８】
単一の無線フレームは、少なくとも下りリンクサブフレーム、上りリンクサブフレーム、およびスペシャルサブフレームから構成される。
【００８９】
本実施形態の無線通信システムは、５ｍｓと１０ｍｓの下りリンク‐上りリンク・スイッチポイント周期（downlink-to-uplink switch-point periodicity）をサポートする。下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００９０】
以下、本実施形態のスロットの構成について説明する。
【００９１】
図３は、本実施形態のスロットの構成を示す図である。本実施形態では、ＯＦＤＭシンボルに対してノーマルＣＰ（normal Cyclic Prefix）が適用される。なお、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存する。１つのスロットを構成するＯＦＤＭシンボルまたはＳＣ−ＦＤＭＡシンボルの数は、ノーマルＣＰの場合は７であり、拡張ＣＰの場合は６である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別される。
【００９２】
リソースブロックは、ある物理チャネル（ＰＤＳＣＨまたはＰＵＳＣＨなど）のリソースエレメントにマッピングするために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００９３】
以下、サブフレームのそれぞれにおいて送信される物理チャネルおよび物理信号について説明する。
【００９４】
図４は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および／または下りリンク物理信号（同期信号、下りリンク参照信号）を送信できる。なお、ＰＢＣＨは無線フレーム内のサブフレーム０のみで送信される。なお、下りリンク参照信号は周波数領域および時間領域において分散するリソースエレメントに配置される。説明の簡略化のため、図４において下りリンク参照信号は図示しない。
【００９５】
ＰＤＣＣＨ領域において、複数のＰＤＣＣＨが周波数、時間、および／または空間多重されてもよい。ＥＰＤＣＣＨ領域において、複数のＥＰＤＣＣＨが周波数、時間、および／または空間多重されてもよい。ＰＤＳＣＨ領域において、複数のＰＤＳＣＨが周波数、時間、および／または空間多重されてもよい。ＰＤＣＣＨ、ＰＤＳＣＨおよび／またはＥＰＤＣＣＨは周波数、時間、および／または空間多重されてもよい。
【００９６】
図５は、本実施形態の上りリンクサブフレームにおける物理チャネルおよび物理信号の配置の一例を示す図である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＵＬ−ＤＭＲＳ、ＳＲＳ）を送信してもよい。ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。また、複数のＰＲＡＣＨが符号多重されてもよい。
【００９７】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳと、ＰＵＣＣＨ／ＰＵＳＣＨ／ＰＲＡＣＨとの同時送信を制限できる。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳと、ＰＵＳＣＨおよびＰＵＣＣＨとを送信することができる。なお、ＤＭＲＳはＰＵＣＣＨまたはＰＵＳＣＨと時間多重される。説明の簡略化のため図５においてＤＭＲＳは図示しない。
【００９８】
図６は、本実施形態のスペシャルサブフレームにおける物理チャネルおよび物理信号の配置の一例を示す図である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００９９】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨの送信を制限できる。移動局装置１は、スペシャルサブフレームのＵｐＰＴＳにおいて、ＰＲＡＣＨ、およびＳＲＳを送信してもよい。つまり、移動局装置１は、スペシャルサブフレームのＵｐＰＴＳにおいて、ＰＵＣＣＨ、ＰＵＳＣＨ、およびＤＭＲＳの送信を制限できる。
【０１００】
図７は、本実施形態の移動局装置１の構成を示す概略ブロック図である。図示するように、移動局装置１は、上位層処理部１０１、制御部１０３、受信部１０５、送信部１０７、および送受信アンテナ１０９を含んで構成される。また、上位層処理部１０１は、無線リソース制御部１０１１、サブフレーム設定部１０１３、スケジューリング情報解釈部１０１５、および、チャネル状態情報（ＣＳＩ）報告制御部１０１７を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および上りリンク参照信号生成部１０７９を含んで構成される。
【０１０１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１０２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０１０３】
上位層処理部１０１が備えるサブフレーム設定部１０１３は、基地局装置３により設定される情報に基づいて、基地局装置３および／または基地局装置３とは異なる基地局装置におけるサブフレーム設定を管理する。例えば、サブフレーム設定は、サブフレームに対する上りリンクまたは下りリンクの設定である。サブフレーム設定は、サブフレームパターン設定（Subframe pattern configuration）、上りリンク−下りリンク設定（Uplink-downlink configuration）、上りリンク参照ＵＬ−ＤＬ設定（Uplink reference configuration）、下りリンク参照ＵＬ−ＤＬ設定（Downlink reference configuration）、および／または、送信方向ＵＬ−ＤＬ設定（transmission direction configuration）を含む。サブフレーム設定部１０１３は、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定をセットする。また、サブフレーム設定部１０１３は、少なくとも２つのサブフレームセットをセットできる。なお、サブフレームパターン設定は、ＥＰＤＣＣＨサブフレーム設定を含む。なお、サブフレーム設定部１０１３は、端末サブフレーム設定部とも呼称される。
【０１０４】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づいて、受信部１０５および送信部１０７の制御を行なうために制御情報を生成し、制御部１０３に出力する。
【０１０５】
スケジューリング情報解釈部１０１５は、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定に基づいて、送信処理および受信処理を行うタイミングを決定する。
【０１０６】
ＣＳＩ報告制御部１０１７は、ＣＳＩ参照リソースを特定する。ＣＳＩ報告制御部１０１７は、チャネル測定部１０５９に、ＣＳＩ参照リソースに関連するＣＱＩを導き出すよう指示する。ＣＳＩ報告制御部１０１７は、送信部１０７に、ＣＱＩを送信するよう指示をする。ＣＳＩ報告制御部１０１７は、チャネル測定部１０５９がＣＱＩを算出する際に用いる設定をセットする。
【０１０７】
制御部１０３は、上位層処理部１０１からの制御情報に基づいて、受信部１０５および送信部１０７の制御を行なう制御信号を生成する。制御部１０３は、生成した制御信号を受信部１０５および送信部１０７に出力して、受信部１０５および送信部１０７の制御を行なう。
【０１０８】
受信部１０５は、制御部１０３から入力された制御信号に基づいて、送受信アンテナ１０９が基地局装置３から受信した受信信号を、分離、復調、復号する。受信部１０５は、復号した情報を上位層処理部１０１に出力する。
【０１０９】
無線受信部１０５７は、送受信アンテナ１０９が受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１１０】
多重分離部１０５５は、抽出した信号から、ＰＨＩＣＨ、ＰＤＣＣＨ、ＥＰＤＣＣＨ、ＰＤＳＣＨ、および／または下りリンク参照信号を、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、および／またはＰＤＳＣＨの伝搬路の補償を行なう。また、多重分離部１０５５は、分離した下りリンク参照信号をチャネル測定部１０５９に出力する。
【０１１１】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１１２】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１１３】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０１１４】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１１５】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づいてターボ符号化を行なう。
【０１１６】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【０１１７】
上りリンク参照信号生成部１０７９は、基地局装置３を識別するための物理レイヤセル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１１８】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１１９】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、ＣＳＩ報告制御部３０１７を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７、および、下りリンク参照信号生成部３０７９を含んで構成される。
【０１２０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１２１】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【０１２２】
上位層処理部３０１が備えるサブフレーム設定部３０１３は、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定の管理を、移動局装置１のそれぞれに対して行なう。サブフレーム設定部３０１３は、移動局装置１のそれぞれに対して、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定をセットする。サブフレーム設定部３０１３は、サブフレーム設定に関する情報を移動局装置１に送信する。なお、サブフレーム設定部３０１３は、基地局サブフレーム設定部とも呼称される。
【０１２３】
基地局装置３は、移動局装置１に対する、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定を決定してもよい。また、基地局装置３は、移動局装置１に対する、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定を上位ノードから指示されてもよい。
【０１２４】
例えば、サブフレーム設定部３０１３は、上りリンクのトラフィック量および下りリンクのトラフィック量に基づいて、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定を決定してもよい。
【０１２５】
サブフレーム設定部３０１３は、少なくとも２つのサブフレームセットの管理を行なうことができる。サブフレーム設定部３０１３は、移動局装置１のそれぞれに対して、少なくとも２つのサブフレームセットをセットしてもよい。サブフレーム設定部３０１３は、サービングセルのそれぞれに対して、少なくとも２つのサブフレームセットをセットしてもよい。サブフレーム設定部３０１３は、ＣＳＩプロセスのそれぞれに対して、少なくとも２つのサブフレームセットをセットしてもよい。サブフレーム設定部３０１３は、少なくとも２つのサブフレームセットを示す情報を、送信部３０７を介して、移動局装置１に送信できる。
【０１２６】
上位層処理部３０１が備えるスケジューリング部３０１５は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０１２７】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、ＵＬ−ＤＬ設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定に基づいて、送信処理および受信処理を行うタイミング（サブフレーム）を決定する。
【０１２８】
上位層処理部３０１が備えるＣＳＩ報告制御部３０１７は、移動局装置１のＣＳＩ報告を制御する。ＣＳＩ報告制御部３０１７は、移動局装置１がＣＳＩ参照リソースにおいてＣＱＩを導き出すために想定する、各種設定を示す情報を、送信部３０７を介して、移動局装置１に送信する。
【０１２９】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１３０】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１３１】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１３２】
多重分離部１０５５は、無線受信部３０５７から入力された信号をＰＵＣＣＨ、ＰＵＳＣＨ、上りリンク参照信号などの信号に分離する。なお、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１３３】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１３４】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１３５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【０１３６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１３７】
下りリンク参照信号生成部３０７９は、基地局装置３を識別するための物理レイヤセル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１３８】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１３９】
以下では、ＥＰＤＣＣＨの詳細が説明される。ＥＰＤＣＣＨは、ＰＤＣＣＨと同様に、ＤＣＩ（Downlink control information）を通知するために用いられる。
【０１４０】
ＥＰＤＣＣＨは、１つ以上のＥＣＣＥ（Enhanced control channel element）の集合を用いて送信される。それぞれのＥＣＣＥは、複数のＥＲＥＧ（Enhanced resource element group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧを定義しない。
【０１４１】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed transmission）および局所送信（Localized transmission）がサポートされる。
【０１４２】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１４３】
基地局装置３は、移動局装置１に対して、ＥＰＤＣＣＨに関する設定を行う。移動局装置１は、基地局装置３からの設定に基づいて、複数のＥＰＤＣＣＨをモニタリングする。移動局装置１がＥＰＤＣＣＨをモニタリングするＲＢペアのセットが、設定されることができる。そのＲＢペアのセットは、ＥＰＤＣＣＨセットまたはＥＰＤＣＣＨ−ＰＲＢセットとも呼称される。１つの移動局装置１に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１４４】
図９は、ＥＰＤＣＣＨセットの一例を示す図である。図９では、２５個のＲＢペアで構成されるセルの帯域幅において、ＥＰＤＣＣＨセット０〜２として、３個のＥＰＤＣＣＨセットが設定される。例えば、ＥＰＤＣＣＨセット０は２つのＲＢペアで構成され、ＥＰＤＣＣＨセット１は４つのＲＢペアで構成され、ＥＰＤＣＣＨセット２は４つのＲＢペアで構成される。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。１つのＥＣＣＥに用いられるＥＲＥＧの数が４である場合、ＥＰＤＣＣＨセット０は８個のＥＣＣＥを構成し、ＥＰＤＣＣＨセット１は１６個のＥＣＣＥを構成し、ＥＰＤＣＣＨセット２は１６個のＥＣＣＥを構成する。
【０１４５】
移動局装置１がモニタリングするＥＰＤＣＣＨの候補は、ＥＰＤＣＣＨセットに構成されるＥＣＣＥに基づいて、定義される。ＥＰＤＣＣＨの候補のセットは、サーチスペース（探索領域）として定義される。移動局装置１に固有のサーチスペースである端末固有サーチスペース、および、基地局装置３（セル、送信点、ＵＥグループ）に固有のサーチスペースである共通サーチスペースが、定義される。ＥＰＤＣＣＨのモニタリングは、モニタリングされるＤＣＩフォーマットに従って、移動局装置１がサーチスペース内のＥＰＤＣＣＨの候補のそれぞれに対して復号を試みることを含む。
【０１４６】
図１０は、ＥＰＤＣＣＨサーチスペースの一例を示す図である。図１０では、１６個のＥＣＣＥで構成されるＥＰＤＣＣＨセットにおいて、アグリゲーションレベルＬが１、２、４および８の場合のサーチスペースの一例を示す。アグリゲーションレベルＬが１、２、４および８において、ＥＰＤＣＣＨの候補の数は、それぞれ６、５、３および２である。また、サーチスペースにおけるＥＰＤＣＣＨの候補に対応するＥＣＣＥは、図１０中の数式によって与えられる。ただし、ｍは、ＥＰＤＣＣＨの候補のインデックスを示し、０〜Ｍｐ（Ｌ）−１である。Ｍｐ（Ｌ）は、ＥＰＤＣＣＨセットｐにおいて、アグリゲーションレベルＬでモニタリングするＥＰＤＣＣＨの候補の数である。ＮＥＣＣＥ，ｐ，ｋは、サブフレームｋのＥＰＤＣＣＨセットｐにおけるＥＣＣＥの数である。ｂは、ＣＩＦ（Carrier indicator field）が設定された場合はＣＩＦの値であり、それ以外の場合は０である。ｉは、０〜Ｌ−１である。図１０では、Ｙｐ，ｋは、３である。アグリゲーションレベルＬが４の時、ＥＰＤＣＣＨの候補０はＥＣＣＥ０〜３によって与えられ、ＥＰＤＣＣＨの候補１はＥＣＣＥ４〜７によって与えられ、ＥＰＤＣＣＨの候補２はＥＣＣＥ８〜１１によって与えられる。
【０１４７】
Ｙｐ，ｋは、ＥＰＤＣＣＨセットｐおよびサブフレームｋにおける値を示す。Ｙｐ，ｋは、サーチスペースによって独立に設定することができる。共通サーチスペースの場合、Ｙｐ，ｋは基地局装置３（セル）に固有の値である。例えば、共通サーチスペースの場合、Ｙｐ，ｋは、予め規定された値、または、基地局装置３に固有のパラメータに基づいて決定される値である。端末固有サーチスペースの場合、Ｙｐ，ｋは、移動局装置１に固有の値である。例えば、Ｙｐ，ｋは、所定の値、サブフレームｋおよび移動局装置１のＲＮＴＩ（例えば、Ｃ−ＲＮＴＩ）に基づいて、決定される。図１０では、Ｙｐ，ｋは、３である。なお、複数の共通サーチスペースおよび／または複数の端末固有サーチスペースが、１つのＥＰＤＣＣＨセットに設定されてもよい。
【０１４８】
ＥＰＤＣＣＨの設定情報は、ＭＩＢ、システムインフォメーションブロックタイプ１メッセージ、および、システムインフォメーションメッセージの少なくとも１つに含めて送信される。前記の送信方法によって設定されるＥＰＤＣＣＨを、第１のＥＰＤＣＣＨと称する。
【０１４９】
ＥＰＤＣＣＨの設定情報は、ＲＲＣメッセージ、ＭＡＣ  ＣＥ（Control Element）、および、物理層の制御情報（例えば、ＤＣＩフォーマット）の少なくとも１つに含めて送信される。前記の送信方法によって設定されるＥＰＤＣＣＨを、第２のＥＰＤＣＣＨと称する。
【０１５０】
なお、サーチスペースはそれぞれのアグリゲーションにおいて設定されるが、以下の説明では、それぞれのアグリゲーションにおけるサーチスペースのセットは、単にサーチスペースとも呼称される。すなわち、以下の説明において、サーチスペースは、サーチスペースのセットも含まれる。
【０１５１】
以下では、サブフレーム設定の詳細が説明される。
【０１５２】
例えば、サブフレーム設定は、サブフレーム毎のサブフレームの種類に関する設定である。サブフレームの種類は、下りリンクサブフレーム、上りリンクサブフレーム、スペシャルサブフレーム、フレキシブルサブフレームを含む。以下の説明において、下りリンクサブフレームはＤとも呼称され、上りリンクサブフレームはＵとも呼称され、スペシャルサブフレームはＳとも呼称され、フレキシブルサブフレームはＦとも呼称される。
【０１５３】
サブフレーム設定は、様々な形式またはフォーマットの情報を用いて行うことができる。例えば、サブフレーム設定は、サブフレーム毎に対して、明示的または黙示的な情報を用いて行うことができる。また、サブフレーム設定は、所定数のサブフレームに対して、明示的または黙示的な情報を用いて行うことができる。また、サブフレーム設定は、予め規定された複数種類のサブフレーム設定に対応する情報を用いて行うことができる。
【０１５４】
図１１は、上りリンク−下りリンク設定の一例である。図１１では、サブフレーム設定として、上りリンク−下りリンク設定が用いられる。７種類の上りリンク−下りリンク設定が予め規定され、それぞれの上りリンク−下りリンク設定に対応する番号（インデックス）が割り振られている。それぞれの上りリンク−下りリンク設定では、１つの無線フレームにおける１０個のサブフレームに対して、サブフレームの種類が規定される。例えば、基地局装置３が移動局装置１に上りリンク−下りリンク設定の番号を通知することにより、基地局装置３は移動局装置１に当該無線フレームにおける上りリンク−下りリンク設定を行うことができる。また、移動局装置１が基地局装置３から上りリンク−下りリンク設定の番号を通知されることにより、移動局装置１は基地局装置３から当該無線フレームにおける上りリンク−下りリンク設定が行われることができる。
【０１５５】
上りリンク−下りリンク設定は、無線フレーム内におけるサブフレームのパターンに関する設定である。上りリンク−下りリンク設定は、無線フレーム内におけるサブフレームのそれぞれが、下りリンクサブフレーム、上りリンクサブフレーム、および、スペシャルサブフレームの何れであるかを示す。
【０１５６】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳの長さ１０となる任意の組み合わせで表現される。より好ましくは、先頭（つまりサブフレーム＃０）がＤで、２番目（つまりサブフレーム＃１）がＳである。
【０１５７】
図１１において、無線フレーム内のサブフレーム１は、常にスペシャルサブフレームである。図１１において、サブフレーム０と５は常に下りリンク送信のためにリザーブされ、サブフレーム２は常に上りリンク送信のためにリザーブされる。図１１において、下りリンク−上りリンク・スイッチポイント周期が５ｍｓの場合に、無線フレーム内のサブフレーム６はスペシャルサブフレームであり、下りリンク−上りリンク・スイッチポイント周期が１０ｍｓの場合に、無線フレーム内のサブフレーム６は下りリンクサブフレームである。
【０１５８】
基地局装置３は、移動局装置１に、所定のサブフレームにおけるサブフレーム設定を行う。移動局装置１は、基地局装置３から設定されたサブフレーム設定に基づいて、ＰＤＣＣＨおよび／またはＥＰＤＣＣＨを含む制御チャネルをモニタリングする。
【０１５９】
サブフレーム設定は、様々な方法または制御情報を用いて行われることができる。例えば、サブフレーム設定は、１つ以上の上りリンク−下りリンク設定、および／または、１つ以上のビットマップ情報などを用いて行われる。また、サブフレーム設定に用いられる制御情報は、基地局装置３または移動局装置１に固有の情報として送信できる。サブフレーム設定に用いられる制御情報は、ＰＤＣＣＨ、ＥＰＤＣＣＨ、ＭＩＢ、ＳＩＢ、および／またはＲＲＣなど、様々な方法を用いて送信できる。また、ビットマップ情報は、所定のサブフレームに対するビットマップ形式の情報である。例えば、ＥＰＤＣＣＨサブフレーム設定は、ビットマップ情報として、ＥＰＤＣＣＨのモニタリングに関する設定である。
【０１６０】
制御チャネルのモニタリングは、サブフレーム設定に基づいて切り替える（決定される）ことができる。例えば、制御チャネルのモニタリングにおいて、第１のモニタリングと第２のモニタリングは、サブフレーム設定に基づいて切り替えることができる。サブフレーム設定に基づいて決定される制御チャネルのモニタリングは、様々な方法または規則を用いて行われることができる。
【０１６１】
制御チャネルのモニタリングは、異なる制御チャネルおよび／または異なるサーチスペースを切り替えることができる。例えば、制御チャネルのモニタリングにおいて、ＰＤＣＣＨまたはＥＰＤＣＣＨが決定される。制御チャネルのモニタリングにおいて、ＰＤＣＣＨサーチスペース（ＰＤＣＣＨ−ＳＳ）またはＥＰＤＣＣＨサーチスペース（ＥＰＤＣＣＨ−ＳＳ）が決定される。制御チャネルのモニタリングにおいて、ＣＳＳまたはＵＳＳが決定される。制御チャネルのモニタリングにおいて、ＰＤＣＣＨをモニタリングするための共通サーチスペースであるＰＤＣＣＨ−ＣＳＳ、ＰＤＣＣＨをモニタリングするためのＵＥ固有サーチスペースであるＰＤＣＣＨ−ＵＳＳ、ＥＰＤＣＣＨをモニタリングするための共通サーチスペースであるＥＰＤＣＣＨ−ＣＳＳ、または、ＥＰＤＣＣＨをモニタリングするためのＵＥ固有サーチスペースであるＥＰＤＣＣＨ−ＵＳＳが決定される。ＥＰＤＣＣＨ−ＳＳは、ＥＰＤＣＣＨ−ＣＳＳおよびＥＰＤＣＣＨ−ＵＳＳを含む。ＰＤＣＣＨ−ＳＳは、ＰＤＣＣＨ−ＣＳＳおよびＰＤＣＣＨ−ＵＳＳを含む。
【０１６２】
ＣＳＳは、基地局装置３（セル、送信点）に固有のパラメータおよび／または予め規定されたパラメータを用いて設定されるサーチスペースである。例えば、ＣＳＳは、複数の移動局装置で共通に用いることができるサーチスペースである。そのため、基地局装置３は、複数の移動局装置で共通の制御チャネルをＣＳＳにマッピングすることにより、制御チャネルを送信するためのリソースが低減できる。ＵＳＳは、少なくとも移動局装置１に固有のパラメータを用いて設定されるサーチスペースである。そのため、ＵＳＳは、移動局装置１に固有の制御チャネルを個別に送信することができるため、基地局装置３は移動局装置１に対して効率的に制御できる。
【０１６３】
なお、ＣＳＳは、移動局装置１に固有のパラメータをさらに用いて設定されてもよい。その場合、移動局装置１に固有のパラメータは、複数の移動局装置の間で同じ値になるように設定されることが好ましい。ＣＳＳが移動局装置１に固有のパラメータをさらに用いて設定された場合でも、そのＣＳＳは、同じパラメータに設定された複数の移動局装置の間で共通になる。例えば、複数の移動局装置の間で同じパラメータに設定される単位は、セル、送信点、ＵＥグループなどである。同じパラメータに設定された複数の移動局装置は、そのＣＳＳにマッピングされる共通の制御チャネルを受信することができるため、制御チャネルを送信するためのリソースが低減できる。なお、そのようなサーチスペースは、ＣＳＳではなく、ＵＳＳと呼称されてもよい。すなわち、複数の移動局装置に共通のサーチスペースであるＵＳＳが設定されてもよい。１つの移動局装置に固有のＵＳＳは第１のＵＳＳとも呼称され、複数の移動局装置に共通のＵＳＳは第２のＵＳＳとも呼称される。
【０１６４】
第１のＥＰＤＣＣＨのＣＳＳは、ＥＰＤＣＣＨが設定することが可能な移動局装置でセル共通に設定され、基地局装置に対する移動局装置の初期アクセスのために用いることができる。一方で、第２のＥＰＤＣＣＨのＣＳＳは、複数の移動局装置に共通のサーチスペースで設定される。例えば、複数の移動局装置の間で同じパラメータに設定される単位は、セル、送信点、ＵＥグループなどである。
【０１６５】
制御チャネルのモニタリングにおいて、同じ制御チャネルおよび／または同じサーチスペースに対して、独立に設定された設定がさらに切り替えられることができる。ここで、設定は、モニタリングされる制御チャネルに対する処理または設定である。なお、設定は、予め規定された設定も含まれる。複数の設定が設定または規定され、それらの設定が独立である場合、モニタリングされる制御チャネルに対する処理または設定は互いに独立である。設定１（第１の設定）および設定２（第２の設定）は、それぞれモニタリングされる制御チャネルに対する、第１の処理または設定および第２の処理または設定に対応する。設定１のモニタリングおよび設定２のモニタリングは、それぞれ異なるモニタリングとすることができ、第１のモニタリングおよび第２のモニタリングとも呼称される。例えば、独立に設定された設定は、モニタリングされる制御チャネルのリソースエレメントに対するマッピングをそれぞれ独立に処理する。設定１および設定２は、それぞれモニタリングされる制御チャネルのリソースエレメントに対する、第１のマッピングおよび第２のマッピングに対応する。また、同じ制御チャネルおよび／または同じサーチスペースに対して、独立に設定された設定に対応する制御チャネルのモニタリングは、独立のモニタリングとして見なすことができる。すなわち、制御チャネルのモニタリングは、同じ制御チャネルおよび／または同じサーチスペースに対して、独立に設定された設定を切り替えることができる。
【０１６６】
制御チャネルのモニタリングは、異なる制御チャネル、異なるサーチスペースおよび／または異なる設定を切り替えることができる。異なる制御チャネル、異なるサーチスペースおよび／または異なる設定に対応する、制御チャネルのモニタリングにおいて、その制御チャネルに対する処理または設定はそれぞれ異なることができる。例えば、制御チャネルのモニタリングが異なる場合、それらのモニタリングにおいて、モニタリングされる制御チャネルのリソースエレメントに対するマッピング（マッピング方法、マッピング規則）が異なることができる。具体的には、異なるマッピングは、制御チャネルのマッピングに用いられないリソースエレメントと、その設定または規定が異なる。制御チャネルのマッピングに用いられないリソースエレメントは、ＣＲＳ、ＮＺＰ  ＣＳＩ−ＲＳ、ＺＰ  ＣＳＩ−ＲＳ、ＲＢペアにおけるスタートシンボルより前の領域などである。
【０１６７】
モニタリングされる制御チャネルに対する処理または設定は、様々な方法または想定を用いて行われることができる。モニタリングされる制御チャネルに対する処理または設定は、制御チャネルのモニタリングに基づいて、決定または切り替えできる。例えば、モニタリングされる制御チャネルに対する処理または設定は、その制御チャネルに対する復調処理および／または復号処理を行うためのパラメータである。例えば、モニタリングされる制御チャネルに対する処理または設定は、その制御チャネルでスケジューリングされたＰＤＳＣＨに対する応答信号である。
【０１６８】
図１２は、移動局装置における制御チャネルのモニタリングに関するフローチャートの一例を示す図である。ステップＳ１において、移動局装置１は、基地局装置３により、サブフレーム設定が行われる。ステップＳ２において、移動局装置１は、ステップＳ１で行われたサブフレーム設定に基づいて、制御チャネルのモニタリングを決定する。移動局装置１は、ステップＳ２で決定または設定された制御チャネルのモニタリングに少なくとも基づいて、モニタリングされる制御チャネルに対する処理または設定を決定する。ステップＳ２で第１のモニタリングが決定された場合、ステップＳ３において、移動局装置１は、モニタリングされる制御チャネルに対して、第１の処理または設定を決定する。ステップＳ２で第２のモニタリングが決定された場合、ステップＳ４において、移動局装置１は、モニタリングされる制御チャネルに対して、第２の処理または設定を決定する。ステップＳ５において、移動局装置１は、ステップＳ３またはステップＳ４で決定された処理または設定に基づいて、制御チャネルをモニタリングする。
【０１６９】
基地局装置３は、移動局装置１に、サブフレーム設定を行なう。基地局装置３は、移動局装置１に行ったサブフレーム設定に基づいて、移動局装置１における制御チャネルのモニタリングを決定する。基地局装置３は、移動局装置１に対して決定される制御チャネルのモニタリングに基づいて、移動局装置１の制御チャネルに対する処理または設定を決定する。移動局装置１に対して第１のモニタリングが決定される場合、基地局装置３は、移動局装置１の制御チャネルに対して、第１の処理または設定を決定する。移動局装置１に対して第２のモニタリングが決定される場合、基地局装置３は、移動局装置１の制御チャネルに対して、第２の処理または設定を決定する。基地局装置３は、決定された制御チャネルに対する処理または設定に基づいて、移動局装置１の制御チャネルを物理リソースまたは論理リソースにマッピングする。
【０１７０】
なお、制御チャネルのモニタリング、および、モニタリングされる制御チャネルに対する処理または設定が３つ以上設定または規定されてもよい。
【０１７１】
図１３は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０１７２】
サブフレーム設定の一例は、１つの上りリンク−下りリンク設定と、１つのＥＰＤＣＣＨサブフレーム設定とを用いて行われる。例えば、上りリンク−下りリンク設定は、基地局装置３（セル）に固有の設定として、ＳＩＢを通じて設定される。ＥＰＤＣＣＨサブフレーム設定は、移動局装置１に固有の設定として、ＲＲＣシグナリングを通じて設定される。
【０１７３】
移動局装置１は、基地局装置３からのサブフレーム設定に基づいて、制御チャネルのモニタリングを行う。制御チャネルのモニタリングの一例は、ＰＤＣＣＨ−ＳＳのモニタリングまたはＥＰＤＣＣＨ−ＳＳのモニタリングを、サブフレーム毎に切り替える。
【０１７４】
上りリンク−下りリンク設定がＤまたはＳであるサブフレームは、制御チャネルのモニタリングを行う。制御チャネルのモニタリングを行うサブフレームのうち、ＥＰＤＣＣＨサブフレーム設定が１であるサブフレームは、ＥＰＤＣＣＨ−ＳＳのモニタリングを行う。制御チャネルのモニタリングを行うサブフレームのうち、ＥＰＤＣＣＨサブフレーム設定が０であるサブフレームは、ＰＤＣＣＨ−ＳＳのモニタリングを行う。上りリンク−下りリンク設定がＵであるサブフレームは、制御チャネルのモニタリングを行わない。
【０１７５】
ＥＰＤＣＣＨ−ＳＳのモニタリングは、上りリンク−下りリンク設定がＤまたはＳであり、かつ、ＥＰＤＣＣＨサブフレーム設定が１であるサブフレームで、行われる。ＰＤＣＣＨ−ＳＳのモニタリングは、上りリンク−下りリンク設定がＤまたはＳであり、かつ、ＥＰＤＣＣＨサブフレーム設定が０であるサブフレームで、行われる。制御チャネルのモニタリングは、サブフレームは、上りリンク−下りリンク設定がＵであり、かつ、ＥＰＤＣＣＨサブフレーム設定が０であるサブフレームでは行われない。
【０１７６】
移動局装置１は、モニタリングされる制御チャネルに対する処理または設定を、当該サブフレームにおけるモニタリングがＰＤＣＣＨ−ＳＳのモニタリングまたはＥＰＤＣＣＨ−ＳＳのモニタリングであるかに応じて、決定または切り替える。
【０１７７】
なお、移動局装置１は、上りリンク−下りリンク設定がＵであるサブフレームにおいて、ＥＰＤＣＣＨサブフレーム設定は１にならないと想定できる。なお、上りリンク−下りリンク設定がＵであるサブフレームでは、ＥＰＤＣＣＨサブフレーム設定によらず、制御チャネルのモニタリングは行われないようにできる。なお、あるサブフレームに対する上りリンク−下りリンク設定がＵであったとしても、そのサブフレームに対するＥＰＤＣＣＨサブフレーム設定が１である場合、ＥＰＤＣＣＨ−ＳＳのモニタリングを行ってもよい。なお、あるサブフレームに対する上りリンク−下りリンク設定がＵであったとしても、そのサブフレームに対するＥＰＤＣＣＨサブフレーム設定が０である場合、ＰＤＣＣＨ−ＳＳのモニタリングを行ってもよい。
【０１７８】
図１４は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０１７９】
サブフレーム設定の一例は、２つの上りリンク−下りリンク設定を用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨ、ＥＰＤＣＣＨまたはＲＲＣシグナリングを通じて設定される。なお、上りリンク−下りリンク設定２は、移動局装置１に固有の設定として、ＰＤＣＣＨ、ＥＰＤＣＣＨまたはＲＲＣシグナリングを通じて設定されてもよい。上りリンク−下りリンク設定２は、複数の移動局装置１のグループに固有の設定として、ＰＤＣＣＨまたはＲＲＣシグナリングを通じて設定される。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０１８０】
移動局装置１は、基地局装置３からのサブフレーム設定に基づいて、制御チャネルのモニタリングを行う。制御チャネルのモニタリングの一例は、ＰＤＣＣＨ−ＳＳのモニタリング、ＥＰＤＣＣＨ−ＳＳの第１のモニタリング（ＥＰＤＣＣＨ−ＳＳ（設定１）のモニタリング）、またはＥＰＤＣＣＨ−ＳＳの第２のモニタリング（ＥＰＤＣＣＨ−ＳＳ（設定２）のモニタリング）を、サブフレーム毎に切り替える。ここで、設定は、モニタリングされる制御チャネルに対する処理または設定を示す。すなわち、設定１および設定２は、モニタリングされる制御チャネルに対する処理または設定がそれぞれ独立であること示す。
【０１８１】
上りリンク−下りリンク設定１および上りリンク−下りリンク設定２の少なくとも１つがＤまたはＳであるサブフレームは、制御チャネルのモニタリングを行う。制御チャネルのモニタリングを行うサブフレームにおいて、ＥＰＤＣＣＨ−ＳＳ（設定１）のモニタリングまたはＥＰＤＣＣＨ−ＳＳ（設定２）のモニタリングは、上りリンク−下りリンク設定１および上りリンク−下りリンク設定２に基づいて決定される。制御チャネルのモニタリングを行うサブフレームのうち、上りリンク−下りリンク設定１および上りリンク−下りリンク設定２が共にＤまたはＳであるサブフレームは、ＥＰＤＣＣＨ−ＳＳ（設定１）のモニタリングを行う。制御チャネルのモニタリングを行うサブフレームのうち、上りリンク−下りリンク設定１および上りリンク−下りリンク設定２のいずれかがＤであり、かつ、上りリンク−下りリンク設定１および上りリンク−下りリンク設定２のもう一方がＳであるサブフレームは、ＥＰＤＣＣＨ−ＳＳ（設定１）のモニタリングを行う。制御チャネルのモニタリングを行うサブフレームのうち、上りリンク−下りリンク設定１および上りリンク−下りリンク設定２のいずれかがＵであり、かつ、上りリンク−下りリンク設定１および上りリンク−下りリンク設定２のもう一方がＤまたはＳであるサブフレームは、ＥＰＤＣＣＨ−ＳＳ（設定２）のモニタリングを行う。上りリンク−下りリンク設定１および上りリンク−下りリンク設定２が共にＵであるサブフレームは、制御チャネルのモニタリングを行わない。
【０１８２】
ＥＰＤＣＣＨ−ＳＳ（設定１）のモニタリングは、上りリンク−下りリンク設定１および上りリンク−下りリンク設定２が共にＤまたはＳであるサブフレームで、行われる。ＥＰＤＣＣＨ−ＳＳ（設定１）のモニタリングは、上りリンク−下りリンク設定１および上りリンク−下りリンク設定２の一方がＤであり、かつ、上りリンク−下りリンク設定１および上りリンク−下りリンク設定２のもう一方がＳであるサブフレームで、行われる。ＥＰＤＣＣＨ−ＳＳ（設定２）のモニタリングは、上りリンク−下りリンク設定１および上りリンク−下りリンク設定２の一方がＵであり、かつ、上りリンク−下りリンク設定１および上りリンク−下りリンク設定２のもう一方がＤまたはＳであるサブフレームで、行われる。制御チャネルのモニタリングは、上りリンク−下りリンク設定１および上りリンク−下りリンク設定２が共にＵであるサブフレームでは行われない。ＰＤＣＣＨ−ＳＳのモニタリングは、全てのサブフレームで行われない。
【０１８３】
なお、移動局装置１は、上りリンク−下りリンク設定１がＤであるサブフレームにおいて、上りリンク−下りリンク設定２はＵにならないと想定できる。なお、上りリンク−下りリンク設定１がＤであり、かつ、上りリンク−下りリンク設定２がＵであるサブフレームは、ＰＤＣＣＨ−ＳＳのモニタリング、ＥＰＤＣＣＨ−ＳＳ（設定１）のモニタリング、またはＥＰＤＣＣＨ−ＳＳ（設定２）のモニタリングを行ってもよい。なお、上りリンク−下りリンク設定１または上りリンク−下りリンク設定２がＳであり、かつ、上りリンク−下りリンク設定１または上りリンク−下りリンク設定２がＤまたはＵであるサブフレームは、ＰＤＣＣＨ−ＳＳのモニタリング、ＥＰＤＣＣＨ−ＳＳ（設定１）のモニタリング、またはＥＰＤＣＣＨ−ＳＳ（設定２）のモニタリングを行ってもよい。
【０１８４】
図１５は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０１８５】
サブフレーム設定の一例は、２つの上りリンク−下りリンク設定と、１つのＥＰＤＣＣＨサブフレーム設定とを用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨまたはＲＲＣシグナリングを通じて設定される。ＥＰＤＣＣＨサブフレーム設定は、移動局装置１に固有の設定として、ＲＲＣシグナリングを通じて設定される。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０１８６】
移動局装置１は、基地局装置３からのサブフレーム設定に基づいて、制御チャネルのモニタリングを行う。制御チャネルのモニタリングの一例は、ＰＤＣＣＨ−ＳＳのモニタリング、ＥＰＤＣＣＨ−ＳＳの第１のモニタリング（ＥＰＤＣＣＨ−ＳＳ（設定１）のモニタリング）、またはＥＰＤＣＣＨ−ＳＳの第２のモニタリング（ＥＰＤＣＣＨ−ＳＳ（設定２）のモニタリング）を、サブフレーム毎に切り替える。ここで、設定は、モニタリングされる制御チャネルに対する処理または設定を示す。すなわち、設定１および設定２は、モニタリングされる制御チャネルに対する処理または設定がそれぞれ独立であること示す。
【０１８７】
上りリンク−下りリンク設定１および上りリンク−下りリンク設定２の少なくとも１つがＤまたはＳであるサブフレームは、制御チャネルのモニタリングを行う。制御チャネルのモニタリングを行うサブフレームのうち、ＥＰＤＣＣＨサブフレーム設定が０であるサブフレームは、ＰＤＣＣＨ−ＳＳのモニタリングを行う。制御チャネルのモニタリングを行うサブフレームのうち、ＥＰＤＣＣＨサブフレーム設定が１であるサブフレームは、ＥＰＤＣＣＨ−ＳＳのモニタリングを行う。ＥＰＤＣＣＨ−ＳＳのモニタリングを行うサブフレームにおいて、ＥＰＤＣＣＨ−ＳＳ（設定１）のモニタリングまたはＥＰＤＣＣＨ−ＳＳ（設定２）のモニタリングは、上りリンク−下りリンク設定１および上りリンク−下りリンク設定２に基づいて決定される。ＥＰＤＣＣＨ−ＳＳのモニタリングを行うサブフレームのうち、上りリンク−下りリンク設定１および上りリンク−下りリンク設定２が共にＤまたはＳであるサブフレームは、ＥＰＤＣＣＨ−ＳＳ（設定１）のモニタリングを行う。ＥＰＤＣＣＨ−ＳＳのモニタリングを行うサブフレームのうち、上りリンク−下りリンク設定１および上りリンク−下りリンク設定２のいずれかがＤであり、かつ、上りリンク−下りリンク設定１および上りリンク−下りリンク設定２のもう一方がＳであるサブフレームは、ＥＰＤＣＣＨ−ＳＳ（設定１）のモニタリングを行う。ＥＰＤＣＣＨ−ＳＳのモニタリングを行うサブフレームのうち、上りリンク−下りリンク設定１および上りリンク−下りリンク設定２のいずれかがＵであり、かつ、上りリンク−下りリンク設定１および上りリンク−下りリンク設定２のもう一方がＤまたはＳであるサブフレームは、ＥＰＤＣＣＨ−ＳＳ（設定２）のモニタリングを行う。上りリンク−下りリンク設定１および上りリンク−下りリンク設定２が共にＵであるサブフレームは、制御チャネルのモニタリングを行わない。
【０１８８】
ＰＤＣＣＨ−ＳＳのモニタリングは、上りリンク−下りリンク設定１および上りリンク−下りリンク設定２の少なくとも１つがＤまたはＳであり、かつ、ＥＰＤＣＣＨサブフレーム設定が０であるサブフレームで、行われる。ＥＰＤＣＣＨ−ＳＳ（設定１）のモニタリングは、上りリンク−下りリンク設定１および上りリンク−下りリンク設定２の両方がＤまたはＳであり、かつ、ＥＰＤＣＣＨサブフレーム設定が１であるサブフレームで、行われる。ＥＰＤＣＣＨ−ＳＳ（設定１）のモニタリングは、上りリンク−下りリンク設定１および上りリンク−下りリンク設定２のいずれかがＤであり、かつ、上りリンク−下りリンク設定１および上りリンク−下りリンク設定２のもう一方がＳであり、かつ、ＥＰＤＣＣＨサブフレーム設定が１であるサブフレームで、行われる。ＥＰＤＣＣＨ−ＳＳ（設定２）のモニタリングは、上りリンク−下りリンク設定１および上りリンク−下りリンク設定２の一方がＤまたはＳであり、上りリンク−下りリンク設定１および上りリンク−下りリンク設定２のもう一方がＵであり、かつ、ＥＰＤＣＣＨサブフレーム設定が１であるサブフレームで、行われる。制御チャネルのモニタリングは、上りリンク−下りリンク設定１および上りリンク−下りリンク設定２が共にＵであるサブフレームでは行われない。
【０１８９】
なお、移動局装置１は、上りリンク−下りリンク設定１がＤであるサブフレームにおいて、上りリンク−下りリンク設定２はＵにならないと想定してもよい。なお、上りリンク−下りリンク設定１がＤであり、かつ、上りリンク−下りリンク設定２がＵであるサブフレームは、ＰＤＣＣＨ−ＳＳのモニタリング、ＥＰＤＣＣＨ−ＳＳ（設定１）のモニタリング、またはＥＰＤＣＣＨ−ＳＳ（設定２）のモニタリングを行ってもよい。なお、上りリンク−下りリンク設定１または上りリンク−下りリンク設定２がＳであり、かつ、上りリンク−下りリンク設定１または上りリンク−下りリンク設定２がＤまたはＵであるサブフレームは、ＰＤＣＣＨ−ＳＳのモニタリング、ＥＰＤＣＣＨ−ＳＳ（設定１）のモニタリング、またはＥＰＤＣＣＨ−ＳＳ（設定２）のモニタリングを行ってもよい。
【０１９０】
なお、移動局装置１は、上りリンク−下りリンク設定１および／または上りリンク−下りリンク設定２がＵであるサブフレームにおいて、ＥＰＤＣＣＨサブフレーム設定は１にならないと想定してもよい。なお、上りリンク−下りリンク設定１および／または上りリンク−下りリンク設定２がＵであるサブフレームでは、ＥＰＤＣＣＨサブフレーム設定によらず、制御チャネルのモニタリングは行われないようにできる。なお、あるサブフレームに対する上りリンク−下りリンク設定１および上りリンク−下りリンク設定２がＵであったとしても、そのサブフレームに対するＥＰＤＣＣＨサブフレーム設定が１である場合、ＥＰＤＣＣＨ−ＳＳのモニタリングを行ってもよい。なお、あるサブフレームに対する上りリンク−下りリンク設定１および／または上りリンク−下りリンク設定２がＵであったとしても、そのサブフレームに対するＥＰＤＣＣＨサブフレーム設定が０である場合、ＰＤＣＣＨ−ＳＳのモニタリングを行ってもよい。
【０１９１】
なお、ＰＤＣＣＨ−ＳＳのモニタリングは、上りリンク−下りリンク設定１および上りリンク−下りリンク設定２に基づいて、さらにモニタリングされる制御チャネルに対する処理または設定を切り替えてもよい。すなわち、ＰＤＣＣＨ−ＳＳのモニタリングが行われるサブフレームにおいて、ＥＰＤＣＣＨ−ＳＳ（設定１）のモニタリングおよびＥＰＤＣＣＨ−ＳＳ（設定２）のモニタリングは、上りリンク−下りリンク設定１および上りリンク−下りリンク設定２に基づいて、決定されてもよい。例えば、ＰＤＣＣＨ−ＳＳのモニタリングが行われるサブフレームのうち、上りリンク−下りリンク設定１および上りリンク−下りリンク設定２が共にＤまたはＳであるサブフレームは、ＥＰＤＣＣＨ−ＳＳ（設定１）のモニタリングを行ってもよい。ＰＤＣＣＨ−ＳＳのモニタリングが行われるサブフレームのうち、上りリンク−下りリンク設定１および上りリンク−下りリンク設定２のいずれかがＵであるサブフレームは、ＥＰＤＣＣＨ−ＳＳ（設定２）のモニタリングを行ってもよい。
【０１９２】
図１６は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０１９３】
サブフレーム設定の一例は、１つの上りリンク−下りリンク設定と、２つのＥＰＤＣＣＨサブフレーム設定とを用いて行われる。例えば、上りリンク−下りリンク設定は、基地局装置３（セル）に固有の設定として、ＳＩＢを通じて設定される。ＥＰＤＣＣＨサブフレーム設定１およびＥＰＤＣＣＨサブフレーム設定２は、移動局装置１に固有の設定として、ＲＲＣシグナリングを通じて設定される。なお、ＥＰＤＣＣＨサブフレーム設定１およびＥＰＤＣＣＨサブフレーム設定２は、基地局装置３（セル）に固有の設定として、設定されてもよい。
【０１９４】
移動局装置１は、基地局装置３からのサブフレーム設定に基づいて、制御チャネルのモニタリングを行う。制御チャネルのモニタリングの一例は、ＰＤＣＣＨ−ＳＳのモニタリング、ＥＰＤＣＣＨ−ＳＳの第１のモニタリング（ＥＰＤＣＣＨ−ＳＳ（設定１）のモニタリング）、またはＥＰＤＣＣＨ−ＳＳの第２のモニタリング（ＥＰＤＣＣＨ−ＳＳ（設定２）のモニタリング）を、サブフレーム毎に切り替える。ここで、設定は、モニタリングされる制御チャネルに対する処理または設定を示す。すなわち、設定１および設定２は、モニタリングされる制御チャネルに対する処理または設定がそれぞれ独立であること示す。
【０１９５】
上りリンク−下りリンク設定がＤまたはＳであるサブフレーム、および、ＥＰＤＣＣＨサブフレーム設定１およびＥＰＤＣＣＨサブフレーム設定２の少なくとも１つが１であるサブフレームは、制御チャネルのモニタリングを行う。制御チャネルのモニタリングが行われるサブフレームのうち、ＥＰＤＣＣＨサブフレーム設定１およびＥＰＤＣＣＨサブフレーム設定２の両方が０であるサブフレームは、ＰＤＣＣＨ−ＳＳのモニタリングを行う。制御チャネルのモニタリングが行われるサブフレームのうち、ＥＰＤＣＣＨサブフレーム設定１が１であるサブフレームは、ＥＰＤＣＣＨ−ＳＳ（設定１）のモニタリングを行う。制御チャネルのモニタリングが行われるサブフレームのうち、ＥＰＤＣＣＨサブフレーム設定２が１であるサブフレームは、ＥＰＤＣＣＨ−ＳＳ（設定２）のモニタリングを行う。上りリンク−下りリンク設定がＵであり、かつ、ＥＰＤＣＣＨサブフレーム設定１およびＥＰＤＣＣＨサブフレーム設定２が０であるサブフレームは、制御チャネルのモニタリングを行わない。
【０１９６】
ＰＤＣＣＨ−ＳＳのモニタリングは、上りリンク−下りリンク設定がＤまたはＳであり、かつ、ＥＰＤＣＣＨサブフレーム設定１およびＥＰＤＣＣＨサブフレーム設定２の両方が０であるサブフレームで、行われる。ＥＰＤＣＣＨ−ＳＳ（設定１）のモニタリングは、上りリンク−下りリンク設定によらず、ＥＰＤＣＣＨサブフレーム設定１が１であるサブフレームで、行われる。ＥＰＤＣＣＨ−ＳＳ（設定２）のモニタリングは、上りリンク−下りリンク設定によらず、ＥＰＤＣＣＨサブフレーム設定２が１であるサブフレームで、行われる。制御チャネルのモニタリングは、上りリンク−下りリンク設定がＵであり、かつ、ＥＰＤＣＣＨサブフレーム設定１およびＥＰＤＣＣＨサブフレーム設定２が０であるサブフレームでは行われない。
【０１９７】
なお、移動局装置１は、上りリンク−下りリンク設定がＵであるサブフレームにおいて、ＥＰＤＣＣＨサブフレーム設定１および／またはＥＰＤＣＣＨサブフレーム設定２は１にならないと想定してもよい。なお、上りリンク−下りリンク設定がＵであるサブフレームでは、ＥＰＤＣＣＨサブフレーム設定１および／またはＥＰＤＣＣＨサブフレーム設定２によらず、制御チャネルのモニタリングは行われないようにできる。なお、上りリンク−下りリンク設定がＵであり、ＥＰＤＣＣＨサブフレーム設定１および／またはＥＰＤＣＣＨサブフレーム設定２が０であるサブフレームは、ＰＤＣＣＨ−ＳＳのモニタリング、ＥＰＤＣＣＨ−ＳＳ（設定１）のモニタリング、または、ＥＰＤＣＣＨ−ＳＳ（設定２）のモニタリングを行ってもよい。
【０１９８】
なお、ＥＰＤＣＣＨサブフレーム設定１およびＥＰＤＣＣＨサブフレーム設定２の両方が１であるサブフレームは、ＥＰＤＣＣＨ−ＳＳ（設定１）のモニタリング、および、ＥＰＤＣＣＨ−ＳＳ（設定２）のモニタリングを行ってもよい。なお、移動局装置１は、ＥＰＤＣＣＨサブフレーム設定１およびＥＰＤＣＣＨサブフレーム設定２の両方が１にならないと想定してもよい。なお、ＥＰＤＣＣＨサブフレーム設定１およびＥＰＤＣＣＨサブフレーム設定２の両方が１である場合、ＥＰＤＣＣＨサブフレーム設定１またはＥＰＤＣＣＨサブフレーム設定２のいずれかが１であると想定されてもよい。すなわち、ＥＰＤＣＣＨサブフレーム設定１およびＥＰＤＣＣＨサブフレーム設定２の両方が１であり、かつ、制御チャネルのモニタリングが行われるサブフレームは、ＥＰＤＣＣＨ−ＳＳ（設定１）のモニタリング、または、ＥＰＤＣＣＨ−ＳＳ（設定２）のモニタリングを行ってもよい。なお、ＥＰＤＣＣＨサブフレーム設定１およびＥＰＤＣＣＨサブフレーム設定２の両方が１である場合、ＥＰＤＣＣＨサブフレーム設定１およびＥＰＤＣＣＨサブフレーム設定２の両方が０であると想定されてもよい。すなわち、ＥＰＤＣＣＨサブフレーム設定１およびＥＰＤＣＣＨサブフレーム設定２の両方が１であり、かつ、制御チャネルのモニタリングが行われるサブフレームは、ＰＤＣＣＨ−ＳＳのモニタリングを行ってもよい。ＥＰＤＣＣＨサブフレーム設定１およびＥＰＤＣＣＨサブフレーム設定２の両方が１であるサブフレームは、ＰＤＣＣＨ−ＳＳのモニタリングを行わなくてもよい。
【０１９９】
図１７は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０２００】
サブフレーム設定の一例は、２つの上りリンク−下りリンク設定を用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨまたはＲＲＣシグナリングを通じて設定される。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０２０１】
移動局装置１は、基地局装置３からのサブフレーム設定に基づいて、制御チャネルのモニタリングを行う。また、この例では、ＥＰＤＣＣＨのモニタリングが設定されない。制御チャネルのモニタリングの一例は、ＰＤＣＣＨ−ＳＳの第１のモニタリング（ＰＤＣＣＨ−ＳＳ（設定１）のモニタリング）、またはＰＤＣＣＨ−ＳＳの第２のモニタリング（ＰＤＣＣＨ−ＳＳ（設定２）のモニタリング）を、サブフレーム毎に切り替える。ここで、設定は、モニタリングされる制御チャネルに対する処理または設定を示す。すなわち、設定１および設定２は、モニタリングされる制御チャネルに対する処理または設定がそれぞれ独立であること示す。
【０２０２】
上りリンク−下りリンク設定１および上りリンク−下りリンク設定２の少なくとも１つがＤまたはＳであるサブフレームは、制御チャネルのモニタリングを行う。制御チャネルのモニタリングを行うサブフレームにおいて、ＰＤＣＣＨ−ＳＳ（設定１）のモニタリングまたはＰＤＣＣＨ−ＳＳ（設定２）のモニタリングは、上りリンク−下りリンク設定１および上りリンク−下りリンク設定２に基づいて決定される。制御チャネルのモニタリングを行うサブフレームのうち、上りリンク−下りリンク設定１および上りリンク−下りリンク設定２が共にＤまたはＳであるサブフレームは、ＰＤＣＣＨ−ＳＳ（設定１）のモニタリングを行う。制御チャネルのモニタリングを行うサブフレームのうち、上りリンク−下りリンク設定１および上りリンク−下りリンク設定２のいずれかがＤであり、かつ、上りリンク−下りリンク設定１および上りリンク−下りリンク設定２のもう一方がＳであるサブフレームは、ＰＤＣＣＨ−ＳＳ（設定１）のモニタリングを行う。制御チャネルのモニタリングを行うサブフレームのうち、上りリンク−下りリンク設定１および上りリンク−下りリンク設定２のいずれかがＵであり、かつ、上りリンク−下りリンク設定１および上りリンク−下りリンク設定２のもう一方がＤまたはＳであるサブフレームは、ＰＤＣＣＨ−ＳＳ（設定２）のモニタリングを行う。上りリンク−下りリンク設定１および上りリンク−下りリンク設定２が共にＵであるサブフレームは、制御チャネルのモニタリングを行わない。
【０２０３】
ＰＤＣＣＨ−ＳＳ（設定１）のモニタリングは、上りリンク−下りリンク設定１および上りリンク−下りリンク設定２が共にＤまたはＳであるサブフレームで、行われる。ＰＤＣＣＨ−ＳＳ（設定１）のモニタリングは、上りリンク−下りリンク設定１および上りリンク−下りリンク設定２の一方がＤであり、かつ、上りリンク−下りリンク設定１および上りリンク−下りリンク設定２のもう一方がＳであるサブフレームで、行われる。ＰＤＣＣＨ−ＳＳ（設定２）のモニタリングは、上りリンク−下りリンク設定１および上りリンク−下りリンク設定２の一方がＵであり、かつ、上りリンク−下りリンク設定１および上りリンク−下りリンク設定２のもう一方がＤまたはＳであるサブフレームで、行われる。制御チャネルのモニタリングは、上りリンク−下りリンク設定１および上りリンク−下りリンク設定２が共にＵであるサブフレームでは行われない。ＥＰＤＣＣＨ−ＳＳのモニタリングは、全てのサブフレームで行われない。
【０２０４】
なお、移動局装置１は、上りリンク−下りリンク設定１がＤであるサブフレームにおいて、上りリンク−下りリンク設定２はＵにならないと想定できる。なお、上りリンク−下りリンク設定１がＤであり、かつ、上りリンク−下りリンク設定２がＵであるサブフレームは、ＰＤＣＣＨ−ＳＳ（設定１）のモニタリング、またはＰＤＣＣＨ−ＳＳ（設定２）のモニタリングを行ってもよい。なお、上りリンク−下りリンク設定１または上りリンク−下りリンク設定２がＳであり、かつ、上りリンク−下りリンク設定１または上りリンク−下りリンク設定２がＤまたはＵであるサブフレームは、ＰＤＣＣＨ−ＳＳ（設定１）のモニタリング、またはＰＤＣＣＨ−ＳＳ（設定２）のモニタリングを行ってもよい。
【０２０５】
図１８は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０２０６】
サブフレーム設定の一例は、２つの上りリンク−下りリンク設定を用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨまたはＲＲＣシグナリングを通じて設定される。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０２０７】
移動局装置１は、基地局装置３からのサブフレーム設定に基づいて、制御チャネルのモニタリングを行う。制御チャネルのモニタリングの一例は、ＰＤＣＣＨ−ＳＳのモニタリング、またはＥＰＤＣＣＨ−ＳＳのモニタリングを、サブフレーム毎に切り替える。
【０２０８】
上りリンク−下りリンク設定１および上りリンク−下りリンク設定２の少なくとも１つがＤまたはＳであるサブフレームは、制御チャネルのモニタリングを行う。制御チャネルのモニタリングを行うサブフレームにおいて、ＰＤＣＣＨ−ＳＳのモニタリングまたはＥＰＤＣＣＨ−ＳＳのモニタリングは、上りリンク−下りリンク設定１および上りリンク−下りリンク設定２に基づいて決定される。制御チャネルのモニタリングを行うサブフレームのうち、上りリンク−下りリンク設定１および上りリンク−下りリンク設定２が共にＤまたはＳであるサブフレームは、ＰＤＣＣＨ−ＳＳのモニタリングを行う。制御チャネルのモニタリングを行うサブフレームのうち、上りリンク−下りリンク設定１および上りリンク−下りリンク設定２のいずれかがＤであり、かつ、上りリンク−下りリンク設定１および上りリンク−下りリンク設定２のもう一方がＳであるサブフレームは、ＰＤＣＣＨ−ＳＳのモニタリングを行う。制御チャネルのモニタリングを行うサブフレームのうち、上りリンク−下りリンク設定１および上りリンク−下りリンク設定２のいずれかがＵであり、かつ、上りリンク−下りリンク設定１および上りリンク−下りリンク設定２のもう一方がＤまたはＳであるサブフレームは、ＥＰＤＣＣＨ−ＳＳのモニタリングを行う。上りリンク−下りリンク設定１および上りリンク−下りリンク設定２が共にＵであるサブフレームは、制御チャネルのモニタリングを行わない。
【０２０９】
ＰＤＣＣＨ−ＳＳのモニタリングは、上りリンク−下りリンク設定１および上りリンク−下りリンク設定２が共にＤまたはＳであるサブフレームで、行われる。ＰＤＣＣＨ−ＳＳのモニタリングは、上りリンク−下りリンク設定１および上りリンク−下りリンク設定２の一方がＤであり、かつ、上りリンク−下りリンク設定１および上りリンク−下りリンク設定２のもう一方がＳであるサブフレームで、行われる。ＥＰＤＣＣＨ−ＳＳのモニタリングは、上りリンク−下りリンク設定１および上りリンク−下りリンク設定２の一方がＵであり、かつ、上りリンク−下りリンク設定１および上りリンク−下りリンク設定２のもう一方がＤまたはＳであるサブフレームで、行われる。制御チャネルのモニタリングは、上りリンク−下りリンク設定１および上りリンク−下りリンク設定２が共にＵであるサブフレームでは行われない。
【０２１０】
なお、移動局装置１は、上りリンク−下りリンク設定１がＤであるサブフレームにおいて、上りリンク−下りリンク設定２はＵにならないと想定できる。なお、上りリンク−下りリンク設定１がＤであり、かつ、上りリンク−下りリンク設定２がＵであるサブフレームは、ＰＤＣＣＨ−ＳＳのモニタリング、またはＥＰＤＣＣＨ−ＳＳのモニタリングを行ってもよい。なお、上りリンク−下りリンク設定１または上りリンク−下りリンク設定２がＳであり、かつ、上りリンク−下りリンク設定１または上りリンク−下りリンク設定２がＤまたはＵであるサブフレームは、ＰＤＣＣＨ−ＳＳのモニタリング、またはＥＰＤＣＣＨ−ＳＳのモニタリングを行ってもよい。
【０２１１】
図１９は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０２１２】
サブフレーム設定の一例は、２つの上りリンク−下りリンク設定と、２つのＥＰＤＣＣＨサブフレーム設定とを用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨまたはＲＲＣシグナリングを通じて設定される。ＥＰＤＣＣＨサブフレーム設定１および／またはＥＰＤＣＣＨサブフレーム設定２は、移動局装置１に固有の設定として、ＲＲＣシグナリングを通じて設定される。なお、ＥＰＤＣＣＨサブフレーム設定１および／またはＥＰＤＣＣＨサブフレーム設定２は、基地局装置３（セル）に固有の設定として、設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０２１３】
移動局装置１は、基地局装置３からのサブフレーム設定に基づいて、制御チャネルのモニタリングを行う。制御チャネルのモニタリングの一例は、ＰＤＣＣＨ−ＳＳのモニタリング、ＥＰＤＣＣＨ−ＳＳの第１のモニタリング（ＥＰＤＣＣＨ−ＳＳ（設定１）のモニタリング）、またはＥＰＤＣＣＨ−ＳＳの第２のモニタリング（ＥＰＤＣＣＨ−ＳＳ（設定２）のモニタリング）を、サブフレーム毎に切り替える。ここで、設定は、モニタリングされる制御チャネルに対する処理または設定を示す。すなわち、設定１および設定２は、モニタリングされる制御チャネルに対する処理または設定がそれぞれ独立であること示す。
【０２１４】
上りリンク−下りリンク設定１および上りリンク−下りリンク設定２の少なくとも１つがＤまたはＳであるサブフレーム、および、ＥＰＤＣＣＨサブフレーム設定１およびＥＰＤＣＣＨサブフレーム設定２の少なくとも１つが１であるサブフレームは、制御チャネルのモニタリングを行う。上りリンク−下りリンク設定１および上りリンク−下りリンク設定２の少なくとも１つがＤまたはＳであり、かつ、ＥＰＤＣＣＨサブフレーム設定１およびＥＰＤＣＣＨサブフレーム設定２の両方が０であるサブフレームは、ＰＤＣＣＨ−ＳＳのモニタリングを行う。ＥＰＤＣＣＨサブフレーム設定１が１であるサブフレームは、ＥＰＤＣＣＨ−ＳＳ（設定１）のモニタリングを行う。ＥＰＤＣＣＨサブフレーム設定２が１であるサブフレームは、ＥＰＤＣＣＨ−ＳＳ（設定２）のモニタリングを行う。上りリンク−下りリンク設定１および上りリンク−下りリンク設定２の両方がＵであり、かつ、ＥＰＤＣＣＨサブフレーム設定１およびＥＰＤＣＣＨサブフレーム設定２の両方が０であるサブフレームは、制御チャネルのモニタリングを行わない。
【０２１５】
ＰＤＣＣＨ−ＳＳのモニタリングは、上りリンク−下りリンク設定１および上りリンク−下りリンク設定２の少なくとも１つがＤまたはＳであり、かつ、ＥＰＤＣＣＨサブフレーム設定１およびＥＰＤＣＣＨサブフレーム設定２の両方が０であるサブフレームで、行われる。ＥＰＤＣＣＨ−ＳＳ（設定１）のモニタリングは、上りリンク−下りリンク設定によらず、ＥＰＤＣＣＨサブフレーム設定１が１であるサブフレームで、行われる。ＥＰＤＣＣＨ−ＳＳ（設定２）のモニタリングは、上りリンク−下りリンク設定によらず、ＥＰＤＣＣＨサブフレーム設定２が１であるサブフレームで、行われる。制御チャネルのモニタリングは、上りリンク−下りリンク設定１および上りリンク−下りリンク設定２の両方がＵであり、かつ、ＥＰＤＣＣＨサブフレーム設定１およびＥＰＤＣＣＨサブフレーム設定２が０であるサブフレームでは行われない。
【０２１６】
なお、移動局装置１は、上りリンク−下りリンク設定１および上りリンク−下りリンク設定２の両方がＵであるサブフレームにおいて、ＥＰＤＣＣＨサブフレーム設定１および／またはＥＰＤＣＣＨサブフレーム設定２は１にならないと想定してもよい。なお、上りリンク−下りリンク設定１および上りリンク−下りリンク設定２の両方がＵであるサブフレームでは、ＥＰＤＣＣＨサブフレーム設定１および／またはＥＰＤＣＣＨサブフレーム設定２によらず、制御チャネルのモニタリングは行われないようにできる。
【０２１７】
なお、ＥＰＤＣＣＨサブフレーム設定１およびＥＰＤＣＣＨサブフレーム設定２の両方が１であるサブフレームは、ＥＰＤＣＣＨ−ＳＳ（設定１）のモニタリング、および、ＥＰＤＣＣＨ−ＳＳ（設定２）のモニタリングを行ってもよい。なお、移動局装置１は、ＥＰＤＣＣＨサブフレーム設定１およびＥＰＤＣＣＨサブフレーム設定２の両方が１にならないと想定してもよい。なお、ＥＰＤＣＣＨサブフレーム設定１およびＥＰＤＣＣＨサブフレーム設定２の両方が１である場合、ＥＰＤＣＣＨサブフレーム設定１またはＥＰＤＣＣＨサブフレーム設定２のいずれかが１であると想定されてもよい。すなわち、ＥＰＤＣＣＨサブフレーム設定１およびＥＰＤＣＣＨサブフレーム設定２の両方が１であり、かつ、制御チャネルのモニタリングが行われるサブフレームは、ＥＰＤＣＣＨ−ＳＳ（設定１）のモニタリング、または、ＥＰＤＣＣＨ−ＳＳ（設定２）のモニタリングを行ってもよい。なお、ＥＰＤＣＣＨサブフレーム設定１およびＥＰＤＣＣＨサブフレーム設定２の両方が１である場合、ＥＰＤＣＣＨサブフレーム設定１およびＥＰＤＣＣＨサブフレーム設定２の両方が０であると想定されてもよい。すなわち、ＥＰＤＣＣＨサブフレーム設定１およびＥＰＤＣＣＨサブフレーム設定２の両方が１であり、かつ、制御チャネルのモニタリングが行われるサブフレームは、ＰＤＣＣＨ−ＳＳのモニタリングを行ってもよい。ＥＰＤＣＣＨサブフレーム設定１およびＥＰＤＣＣＨサブフレーム設定２の両方が１であるサブフレームは、ＰＤＣＣＨ−ＳＳのモニタリングを行わなくてもよい。
【０２１８】
以上で説明した、サブフレーム設定と制御チャネルのモニタリングの例は、１つ以上のＳＳに対するＰＤＣＣＨのモニタリング、および／または、１つ以上のＳＳに対するＥＰＤＣＣＨのモニタリングにも適用できる。すなわち、ＰＤＣＣＨおよび／またはＥＰＤＣＣＨに対して複数のＳＳが設定される場合、それぞれのＳＳは、制御チャネルのモニタリングを独立に設定または規定することができる。
【０２１９】
例えば、１つのＥＰＤＣＣＨセットに１つのＳＳが設定される場合、それぞれのＥＰＤＣＣＨセットに対してサブフレーム設定が独立に行われる。それぞれのＥＰＤＣＣＨセットに対応するＳＳは、それぞれのサブフレーム設定に基づいて、制御チャネルのモニタリングを独立に設定または規定される。例えば、１つのＥＰＤＣＣＨセットに複数のＳＳが設定される場合、そのＥＰＤＣＣＨセットに対してサブフレーム設定が行われる。それぞれのＳＳは、そのサブフレーム設定に基づいて、制御チャネルのモニタリングを独立に設定または規定される。
【０２２０】
以下では、ＰＤＣＣＨおよび／またはＥＰＤＣＣＨに対して複数のＳＳが設定される場合の、サブフレーム設定と制御チャネルのモニタリングの例を説明する。なお、以下の説明では、２つのＳＳの場合を説明するが、３つ以上のＳＳの場合でも同様である。また、ＳＳ１を第１のＳＳとも呼称され、ＳＳ２を第２のＳＳとも呼称される。例えば、それぞれのＳＳにおいて、モニタリングする制御チャネルの種類、ＤＣＩフォーマットおよび／またはＲＮＴＩが異なるかもしれない。
【０２２１】
ＳＳ１はＵＳＳに対応し、ＳＳ２はＣＳＳに対応できる。また、ＳＳ１は第１のＵＳＳに対応し、ＳＳ２は第２のＵＳＳに対応できる。
【０２２２】
図２０は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０２２３】
サブフレーム設定の一例は、２つの上りリンク−下りリンク設定と、１つのＥＰＤＣＣＨサブフレーム設定とを用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨまたはＲＲＣシグナリングを通じて設定される。ＥＰＤＣＣＨサブフレーム設定は、移動局装置１に固有の設定として、ＲＲＣシグナリングを通じて設定される。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０２２４】
移動局装置１は、基地局装置３からのサブフレーム設定に基づいて、制御チャネルのモニタリングを行う。制御チャネルのモニタリングの一例は、ＰＤＣＣＨ−ＳＳ１のモニタリング、ＥＰＤＣＣＨ−ＳＳ１のモニタリング、ＰＤＣＣＨ−ＳＳ２のモニタリング、または、ＥＰＤＣＣＨ−ＳＳ２のモニタリングを、サブフレーム毎に決定する。
【０２２５】
まず、ＰＤＣＣＨ−ＳＳ１およびＥＰＤＣＣＨ−ＳＳ１のモニタリングが設定される場合を説明する。ＰＤＣＣＨ−ＳＳ１およびＥＰＤＣＣＨ−ＳＳ１のモニタリングは、上りリンク−下りリンク設定１、上りリンク−下りリンク設定２およびＥＰＤＣＣＨサブフレーム設定に基づいて、切り替える。上りリンク−下りリンク設定１および上りリンク−下りリンク設定２の少なくとも１つがＤまたはＳであり、かつ、ＥＰＤＣＣＨサブフレーム設定が０であるサブフレームは、ＰＤＣＣＨ−ＳＳ１のモニタリングを行う。ＥＰＤＣＣＨサブフレーム設定が１であるサブフレームは、ＥＰＤＣＣＨ−ＳＳ１のモニタリングを行う。上りリンク−下りリンク設定１および上りリンク−下りリンク設定２が共にＵであり、かつ、ＥＰＤＣＣＨサブフレーム設定が０であるサブフレームは、ＰＤＣＣＨ−ＳＳ１およびＥＰＤＣＣＨ−ＳＳ１のモニタリングを行わない。
【０２２６】
次に、ＰＤＣＣＨ−ＳＳ２およびＥＰＤＣＣＨ−ＳＳ２のモニタリングが設定される場合を説明する。ＰＤＣＣＨ−ＳＳ２およびＥＰＤＣＣＨ−ＳＳ２のモニタリングは、上りリンク−下りリンク設定１および上りリンク−下りリンク設定２に基づいて、切り替える。すなわち、ＥＰＤＣＣＨサブフレーム設定が設定される場合でも、ＰＤＣＣＨ−ＳＳ２およびＥＰＤＣＣＨ−ＳＳ２のモニタリングの切り替えにおいて、そのＥＰＤＣＣＨサブフレーム設定は用いられない。上りリンク−下りリンク設定１および上りリンク−下りリンク設定２の両方がＤまたはＳであるサブフレームは、ＰＤＣＣＨ−ＳＳ２のモニタリングを行う。上りリンク−下りリンク設定１および上りリンク−下りリンク設定２の一方がＤであり、かつ、もう一方がＳであるサブフレームは、ＰＤＣＣＨ−ＳＳ２のモニタリングを行う。上りリンク−下りリンク設定１および上りリンク−下りリンク設定２の一方がＤまたはＳであり、かつ、もう一方がＵであるサブフレームは、ＥＰＤＣＣＨ−ＳＳ２のモニタリングを行う。上りリンク−下りリンク設定１および上りリンク−下りリンク設定２が共にＵであるサブフレームは、ＰＤＣＣＨ−ＳＳ２およびＥＰＤＣＣＨ−ＳＳ２を行わない。
【０２２７】
なお、移動局装置１は、上りリンク−下りリンク設定１がＤであるサブフレームにおいて、上りリンク−下りリンク設定２はＵにならないと想定してもよい。なお、移動局装置１は、上りリンク−下りリンク設定１および／または上りリンク−下りリンク設定２がＵであるサブフレームにおいて、ＥＰＤＣＣＨサブフレーム設定は１にならないと想定してもよい。なお、上りリンク−下りリンク設定１および／または上りリンク−下りリンク設定２がＵであるサブフレームでは、ＥＰＤＣＣＨサブフレーム設定によらず、制御チャネルのモニタリングは行われないようにできる。なお、あるサブフレームに対する上りリンク−下りリンク設定１および上りリンク−下りリンク設定２がＵであったとしても、そのサブフレームに対するＥＰＤＣＣＨサブフレーム設定が１である場合、ＥＰＤＣＣＨ−ＳＳ１および／またはＥＰＤＣＣＨ−ＳＳ２のモニタリングを行ってもよい。なお、あるサブフレームに対する上りリンク−下りリンク設定１および／または上りリンク−下りリンク設定２がＵであったとしても、そのサブフレームに対するＥＰＤＣＣＨサブフレーム設定が０である場合、ＰＤＣＣＨ−ＳＳ１および／またはＰＤＣＣＨ−ＳＳ２のモニタリングを行ってもよい。
【０２２８】
図２１は、サブフレーム設定と制御チャネルのモニタリングの一例を示す図である。図２１の例では、図２０で説明した例におけるＥＰＤＣＣＨ−ＳＳ１のモニタリングに対して、さらに独立の設定が設定または規定される。すなわち、ＥＰＤＣＣＨ−ＳＳ１のモニタリングにおいて、モニタリングされる制御チャネルに対する処理または設定をさらに切り替える。以下では、図２０での説明との相違点が説明される。
【０２２９】
ＥＰＤＣＣＨ−ＳＳ１のモニタリングは、上りリンク−下りリンク設定１、上りリンク−下りリンク設定２およびＥＰＤＣＣＨサブフレーム設定に基づいて、切り替える。上りリンク−下りリンク設定１および上りリンク−下りリンク設定２の一方がＤまたはＳであり、もう一方がＤまたはＳであり、かつ、ＥＰＤＣＣＨサブフレーム設定が１であるサブフレームは、ＥＰＤＣＣＨ−ＳＳの第１のモニタリング（ＥＰＤＣＣＨ−ＳＳ（設定１）のモニタリング）を行う。上りリンク−下りリンク設定１および上りリンク−下りリンク設定２の一方がＤまたはＳであり、もう一方がＵであり、かつ、ＥＰＤＣＣＨサブフレーム設定が１であるサブフレームは、ＥＰＤＣＣＨ−ＳＳの第２のモニタリング（ＥＰＤＣＣＨ−ＳＳ（設定２）のモニタリング）を行う。すなわち、ＥＰＤＣＣＨサブフレーム設定が１であるサブフレームにおいて、ＥＰＤＣＣＨ−ＳＳ１のモニタリングは、上りリンク−下りリンク設定１および上りリンク−下りリンク設定２に基づいて、設定１および設定２を切り替える。
【０２３０】
なお、ＰＤＣＣＨ−ＳＳ１のモニタリング、ＰＤＣＣＨ−ＳＳ２のモニタリングおよび／またはＥＰＤＣＣＨ−ＳＳ２のモニタリングにおいて、モニタリングされる制御チャネルに対する処理または設定がさらに切り替えられてもよい。
【０２３１】
図２２は、サブフレーム設定と制御チャネルのモニタリングの一例を示す図である。あるサブフレームに示される「○」は、基地局装置３が当該サブフレームにおいて移動局装置１に対する制御チャネルをマッピングできるサーチスペースであり、移動局装置１が当該サブフレームにおいて制御チャネルのモニタリングを行うサーチスペースである、ことを意味する。あるサブフレームに示される「−」は、基地局装置３が当該サブフレームにおいて移動局装置１に対する制御チャネルをマッピングしないサーチスペースであり、移動局装置１が当該サブフレームにおいて制御チャネルのモニタリングを行わないサーチスペースである、ことを意味する。
【０２３２】
サブフレーム設定の一例は、２つの上りリンク−下りリンク設定と、２つのＥＰＤＣＣＨサブフレーム設定とを用いて行われる。例えば、上りリンク−下りリンク設定１は、基地局装置３（セル）に固有の設定として、ＳＩＢを通じて設定される。上りリンク−下りリンク設定２は、複数の移動局装置１のグループに固有の設定として、ＰＤＣＣＨまたはＲＲＣシグナリングを通じて設定される。ＥＰＤＣＣＨサブフレーム設定１および／またはＥＰＤＣＣＨサブフレーム設定２は、移動局装置１に固有の設定として、ＲＲＣシグナリングを通じて設定される。なお、ＥＰＤＣＣＨサブフレーム設定１および／またはＥＰＤＣＣＨサブフレーム設定２は、基地局装置３（セル）に固有の設定として、設定されてもよい。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０２３３】
移動局装置１は、基地局装置３からのサブフレーム設定に基づいて、制御チャネルのモニタリングを行う。制御チャネルのモニタリングの一例は、ＰＤＣＣＨ−ＳＳ１のモニタリング、ＥＰＤＣＣＨ−ＳＳ１のモニタリング、ＰＤＣＣＨ−ＳＳ２のモニタリング、または、ＥＰＤＣＣＨ−ＳＳ２のモニタリングを、サブフレーム毎に決定する。また、ＥＰＤＣＣＨサブフレーム設定１は、ＰＤＣＣＨ−ＳＳ１およびＥＰＤＣＣＨ−ＳＳ１のモニタリングの切り替えに用いられる。ＥＰＤＣＣＨサブフレーム設定２は、ＰＤＣＣＨ−ＳＳ２およびＥＰＤＣＣＨ−ＳＳ２のモニタリングの切り替えに用いられる。
【０２３４】
まず、ＰＤＣＣＨ−ＳＳ１およびＥＰＤＣＣＨ−ＳＳ１のモニタリングが説明される。ＰＤＣＣＨ−ＳＳ１およびＥＰＤＣＣＨ−ＳＳ１のモニタリングは、上りリンク−下りリンク設定１、上りリンク−下りリンク設定２およびＥＰＤＣＣＨサブフレーム設定１に基づいて、切り替える。上りリンク−下りリンク設定１および上りリンク−下りリンク設定２の少なくとも１つがＤまたはＳであり、かつ、ＥＰＤＣＣＨサブフレーム設定１が０であるサブフレームは、ＰＤＣＣＨ−ＳＳ１のモニタリングを行う。ＥＰＤＣＣＨサブフレーム設定１が１であるサブフレームは、ＥＰＤＣＣＨ−ＳＳ１のモニタリングを行う。上りリンク−下りリンク設定１および上りリンク−下りリンク設定２が共にＵであり、かつ、ＥＰＤＣＣＨサブフレーム設定１が０であるサブフレームは、ＰＤＣＣＨ−ＳＳ１およびＥＰＤＣＣＨ−ＳＳ１のモニタリングを行わない。
【０２３５】
次に、ＰＤＣＣＨ−ＳＳ２およびＥＰＤＣＣＨ−ＳＳ２のモニタリングが説明される。ＰＤＣＣＨ−ＳＳ２およびＥＰＤＣＣＨ−ＳＳ２のモニタリングは、上りリンク−下りリンク設定１、上りリンク−下りリンク設定２およびＥＰＤＣＣＨサブフレーム設定２に基づいて、切り替える。上りリンク−下りリンク設定１および上りリンク−下りリンク設定２の少なくとも１つがＤまたはＳであり、かつ、ＥＰＤＣＣＨサブフレーム設定２が０であるサブフレームは、ＰＤＣＣＨ−ＳＳ２のモニタリングを行う。ＥＰＤＣＣＨサブフレーム設定２が１であるサブフレームは、ＥＰＤＣＣＨ−ＳＳ２のモニタリングを行う。上りリンク−下りリンク設定１および上りリンク−下りリンク設定２が共にＵであり、かつ、ＥＰＤＣＣＨサブフレーム設定２が０であるサブフレームは、ＰＤＣＣＨ−ＳＳ２およびＥＰＤＣＣＨ−ＳＳ２のモニタリングを行わない。
【０２３６】
なお、移動局装置１は、上りリンク−下りリンク設定１がＤであるサブフレームにおいて、上りリンク−下りリンク設定２はＵにならないと想定してもよい。なお、移動局装置１は、上りリンク−下りリンク設定１および／または上りリンク−下りリンク設定２がＵであるサブフレームにおいて、ＥＰＤＣＣＨサブフレーム設定は１にならないと想定してもよい。なお、上りリンク−下りリンク設定１および／または上りリンク−下りリンク設定２がＵであるサブフレームでは、ＥＰＤＣＣＨサブフレーム設定によらず、制御チャネルのモニタリングは行われないようにできる。なお、あるサブフレームに対する上りリンク−下りリンク設定１および上りリンク−下りリンク設定２がＵであったとしても、そのサブフレームに対するＥＰＤＣＣＨサブフレーム設定が１である場合、ＥＰＤＣＣＨ−ＳＳ１および／またはＥＰＤＣＣＨ−ＳＳ２のモニタリングを行ってもよい。なお、あるサブフレームに対する上りリンク−下りリンク設定１および／または上りリンク−下りリンク設定２がＵであったとしても、そのサブフレームに対するＥＰＤＣＣＨサブフレーム設定が０である場合、ＰＤＣＣＨ−ＳＳ１および／またはＰＤＣＣＨ−ＳＳ２のモニタリングを行ってもよい。
【０２３７】
なお、ＥＰＤＣＣＨサブフレーム設定１およびＥＰＤＣＣＨサブフレーム設定２の両方が１であるサブフレームは、ＥＰＤＣＣＨ−ＳＳ１のモニタリング、および、ＥＰＤＣＣＨ−ＳＳ２のモニタリングを行ってもよい。なお、移動局装置１は、ＥＰＤＣＣＨサブフレーム設定１およびＥＰＤＣＣＨサブフレーム設定２の両方が１にならないと想定してもよい。なお、ＥＰＤＣＣＨサブフレーム設定１およびＥＰＤＣＣＨサブフレーム設定２の両方が１である場合、ＥＰＤＣＣＨサブフレーム設定１またはＥＰＤＣＣＨサブフレーム設定２のいずれかが１であると想定されてもよい。すなわち、ＥＰＤＣＣＨサブフレーム設定１およびＥＰＤＣＣＨサブフレーム設定２の両方が１であり、かつ、制御チャネルのモニタリングが行われるサブフレームは、ＥＰＤＣＣＨ−ＳＳ１のモニタリング、または、ＥＰＤＣＣＨ−ＳＳ２のモニタリングを行ってもよい。なお、ＥＰＤＣＣＨサブフレーム設定１およびＥＰＤＣＣＨサブフレーム設定２の両方が１である場合、ＥＰＤＣＣＨサブフレーム設定１およびＥＰＤＣＣＨサブフレーム設定２の両方が０であると想定されてもよい。すなわち、ＥＰＤＣＣＨサブフレーム設定１およびＥＰＤＣＣＨサブフレーム設定２の両方が１であり、かつ、制御チャネルのモニタリングが行われるサブフレームは、ＰＤＣＣＨ−ＳＳ１および／またはＰＤＣＣＨ−ＳＳ２のモニタリングを行ってもよい。ＥＰＤＣＣＨサブフレーム設定１およびＥＰＤＣＣＨサブフレーム設定２の両方が１であるサブフレームは、ＰＤＣＣＨ−ＳＳ１および／またはＰＤＣＣＨ−ＳＳ２のモニタリングを行わなくてもよい。
【０２３８】
図２３は、サブフレーム設定と制御チャネルのモニタリングの一例を示す図である。図２３の例では、図２２で説明した例におけるＥＰＤＣＣＨ−ＳＳ１のモニタリングが、さらに独立の設定を設定または規定される。すなわち、ＥＰＤＣＣＨ−ＳＳ１のモニタリングにおいて、モニタリングされる制御チャネルに対する処理または設定をさらに切り替える。以下では、図２２での説明との相違点が説明される。
【０２３９】
ＥＰＤＣＣＨ−ＳＳ１のモニタリングは、上りリンク−下りリンク設定１、上りリンク−下りリンク設定２およびＥＰＤＣＣＨサブフレーム設定１に基づいて、切り替える。上りリンク−下りリンク設定１および上りリンク−下りリンク設定２の一方がＤまたはＳであり、もう一方がＤまたはＳであり、かつ、ＥＰＤＣＣＨサブフレーム設定１が１であるサブフレームは、ＥＰＤＣＣＨ−ＳＳの第１のモニタリング（ＥＰＤＣＣＨ−ＳＳ（設定１）のモニタリング）を行う。上りリンク−下りリンク設定１および上りリンク−下りリンク設定２の一方がＤまたはＳであり、もう一方がＵであり、かつ、ＥＰＤＣＣＨサブフレーム設定が１であるサブフレームは、ＥＰＤＣＣＨ−ＳＳの第２のモニタリング（ＥＰＤＣＣＨ−ＳＳ（設定２）のモニタリング）を行う。すなわち、ＥＰＤＣＣＨサブフレーム設定が１であるサブフレームにおいて、ＥＰＤＣＣＨ−ＳＳ１のモニタリングは、上りリンク−下りリンク設定１および上りリンク−下りリンク設定２に基づいて、設定１および設定２を切り替える。
【０２４０】
なお、ＰＤＣＣＨ−ＳＳ１のモニタリング、ＰＤＣＣＨ−ＳＳ２のモニタリングおよび／またはＥＰＤＣＣＨ−ＳＳ２のモニタリングにおいて、モニタリングされる制御チャネルに対する処理または設定がさらに切り替えられてもよい。
【０２４１】
なお、上りリンク−下りリンク設定１および上りリンク−下りリンク設定２の一方がＤまたはＳであり、もう一方がＵであるサブフレームは、フレキシブルサブフレームとも呼称される。例えば、フレキシブルサブフレームは、上りリンクサブフレームまたは下りリンクサブフレームを動的に切り替えることができるサブフレームである。すなわち、基地局装置３は、通信の負荷を考慮して、フレキシブルサブフレームを、上りリンクサブフレームまたは下りリンクサブフレームとして、動的に決定できる。そのため、基地局装置３は効率的な通信を実現できる。例えば、移動局装置１は、フレキシブルサブフレームにおいて、制御チャネルのモニタリングを行う場合、そのサブフレームを下りリンクサブフレームとして認識するかもしれない。移動局装置１は、フレキシブルサブフレームにおいて、上りリンクチャネルおよび／または上りリンク信号の送信が指示された場合、そのサブフレームを上りリンクサブフレームとして認識するかもしれない。移動局装置１は、フレキシブルサブフレームにおいて、上りリンクサブフレームとして認識した場合、そのサブフレームでは制御チャネルのモニタリングは行わないように設定または規定されることができる。なお、上りリンク−下りリンク設定１および上りリンク−下りリンク設定２の一方がＤまたはＳであり、もう一方がＤまたはＳであるサブフレームは、固定サブフレームとも呼称される。
【０２４２】
また、フレキシブルサブフレームにおいて、フレキシブルサブフレームを認識できない従来の移動局装置は上りリンクサブフレームと認識することができる。フレキシブルサブフレームを認識できない従来の移動局装置は、そのサブフレームにおいて、上りリンクチャネルおよび／または上りリンク信号が指示されない場合、その移動局装置は送受信処理を行わないかもしれない。それにより、フレキシブルサブフレームを用いる基地局装置３は、フレキシブルサブフレームを認識できる移動局装置と、フレキシブルサブフレームを認識できない移動局装置とに対して、通信を実現できる。
【０２４３】
以下では、制御チャネル、サーチスペース、および／または、サブフレーム設定に基づく復調処理および／または復号処理の動作の切り替えについて説明する。
【０２４４】
移動局装置１は送信された制御チャネルの種類に基づいて制御チャネルに対する復調処理および／または復号処理を行うためのパラメータを切り替える。例えば、ＰＤＣＣＨとＥＰＤＣＣＨとの間で個別に設定されたパラメータを用いて復調処理および／または復号処理を行う。または、ＰＤＣＣＨとＥＰＤＣＣＨとの間で個別に定義された振る舞い（処理、手順）により復調処理および／または復号処理を行う。例えば、第１のＥＰＤＣＣＨと第２のＥＰＤＣＣＨとの間で個別に設定されたパラメータを用いて復調処理および／または復号処理を行う。または、第１のＥＰＤＣＣＨと第２のＥＰＤＣＣＨとの間で個別に定義された振る舞いにより復調処理および／または復号処理を行う。
【０２４５】
また、移動局装置１はモニタリングするサーチスペースに基づいて制御チャネルに対する復調処理および／または復号処理を行うためのパラメータを切り替える。例えば、共通サーチスペースに配置される制御チャネルと端末固有サーチスペースに配置される制御チャネルとの間で個別に設定されたパラメータを用いて復調処理および／または復号処理を行う。または、共通サーチスペースに配置される制御チャネルと端末固有サーチスペースに配置される制御チャネルとの間で個別に定義された振る舞いにより復調処理および／または復号処理を行う。
【０２４６】
または、移動局装置１はサブフレーム設定に基づいて制御チャネルに対する復調処理および／または復号処理を行うためのパラメータを切り替える。例えば、固定サブフレームで送信された制御チャネルとフレキシブルサブフレームで送信された制御チャネルとの間で個別に設定されたパラメータを用いて復調処理および／または復号処理を行う。または、固定サブフレームで送信された制御チャネルとフレキシブルサブフレームで送信された制御チャネルとの間で個別に定義された振る舞いにより復調処理および／または復号処理を行う。
【０２４７】
個別に設定される前記パラメータは、ＲＮＴＩ、ＥＰＤＣＣＨのスクランブルシーケンスの初期値に用いられるパラメータ、および／または、ＤＭＲＳのスクランブルシーケンスの初期値に用いられるパラメータ（dmrs-ScramblingSequenceInit）である。なお、上記のパラメータに限らず、他のパラメータも制御チャネル、サーチスペース、および／または、サブフレーム設定によって個別に設定されてもよい。また、個別に定義される前記振る舞いは、制御チャネルの復号処理に用いるＲＮＴＩの種類である。
【０２４８】
以下では、制御チャネルの復号処理に用いるＲＮＴＩの種類を切り替える例について詳細に説明する。
【０２４９】
図２４は、サーチスペースまたはサブフレーム設定に基づく下りリンク物理チャネルに関連した制御チャネルの復号処理に用いるＲＮＴＩの種類の一例を示す図である。図２４は、あるサブフレームでＣＳＳとＵＳＳの両方をモニタリングする場合におけるＲＮＴＩの種類の一例である。「○」は、移動局装置１においてあるサブフレームの制御チャネルのあるサーチスペースで送信されたＤＣＩのＣＲＣが当該ＲＮＴＩでスクランブルされていることを期待する、ことを意味する。「−」は、移動局装置１においてあるサブフレームの制御チャネルのあるサーチスペースで送信されたＤＣＩのＣＲＣが当該ＲＮＴＩでスクランブルされていることを期待しない、ことを意味する。また、別の観点では、「○」は、移動局装置１が、あるサブフレームのあるサーチスペースで、当該ＲＮＴＩでスクランブルされたＣＲＣを有する制御チャネルをモニタ（復号処理）する、ことを意味する。「−」は、移動局装置１が、あるサブフレームのあるサーチスペースで、当該ＲＮＴＩでスクランブルされたＣＲＣを有する制御チャネルをモニタ（復号処理）しない、ことを意味する。
【０２５０】
移動局装置１は、ＳＩ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＳＩ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ｃ／１Ａであるが、これに限らず、新たなＤＣＩフォーマットを含んでもよい。
【０２５１】
移動局装置１は、ＳＩ−ＲＮＴＩでスクランブルされたＣＲＣを有する第２のＥＰＤＣＣＨを復号することを上位レイヤで設定された場合、フレキシブルサブフレームの共有サーチスペースに対して、特定のＤＣＩフォーマットおよびＳＩ−ＲＮＴＩでスクランブルされたＣＲＣを有する、第２のＥＰＤＣＣＨをモニタし、当該第２のＥＰＤＣＣＨと、当該第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ｃ／１Ａであるが、これに限らず、新たなＤＣＩフォーマットを含んでもよい。一方で、ＳＩ−ＲＮＴＩでスクランブルされたＣＲＣを有するＰＤＣＣＨ／第１のＥＰＤＣＣＨは、フレキシブルサブフレームの共有サーチスペースに配置されない。もしくは、移動局装置１は、ＳＩ−ＲＮＴＩでスクランブルされたＣＲＣを有するＰＤＣＣＨ／第１のＥＰＤＣＣＨがフレキシブルサブフレームの共有サーチスペースに配置されても復号処理しない。
【０２５２】
ＳＩ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、ＳＩ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０２５３】
ＳＩ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、ＳＩ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２５４】
移動局装置１は、Ｐ−ＲＮＴＩでスクランブルされたＣＲＣを有するＰＤＣＣＨ／第１のＥＰＤＣＣＨを復号することを上位レイヤで設定された場合、固定サブフレームの共有サーチスペースに配置され、特定のＤＣＩフォーマットおよびＰ−ＲＮＴＩでスクランブルされたＣＲＣを有する、ＰＤＣＣＨ／第１のＥＰＤＣＣＨをモニタし、当該ＰＤＣＣＨ／第１のＥＰＤＣＣＨと、当該ＰＤＣＣＨ／第１のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ｃ／１Ａであるが、これに限らず、新たなＤＣＩフォーマットを含んでもよい。
【０２５５】
Ｐ−ＲＮＴＩでスクランブルされたＣＲＣを有するＰＤＣＣＨ／第１のＥＰＤＣＣＨ／第２のＥＰＤＣＣＨは、フレキシブルサブフレームの共有サーチスペースに配置されない。もしくは、移動局装置１は、Ｐ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。
【０２５６】
Ｐ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、Ｐ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０２５７】
Ｐ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、Ｐ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２５８】
移動局装置１は、ＲＡ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＲＡ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ｃ／１Ａであるが、これに限らず、新たなＤＣＩフォーマットを含んでもよい。
【０２５９】
移動局装置１は、ＲＡ−ＲＮＴＩでスクランブルされたＣＲＣを有する第２のＥＰＤＣＣＨを復号することを上位レイヤで設定された場合、フレキシブルサブフレームの共有サーチスペースに対して、特定のＤＣＩフォーマットおよびＲＡ−ＲＮＴＩでスクランブルされたＣＲＣを有する、第２のＥＰＤＣＣＨをモニタし、当該第２のＥＰＤＣＣＨと、当該第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ｃ／１Ａであるが、これに限らず、新たなＤＣＩフォーマットを含んでもよい。一方で、ＲＡ−ＲＮＴＩでスクランブルされたＣＲＣを有するＰＤＣＣＨ／第１のＥＰＤＣＣＨは、フレキシブルサブフレームの共有サーチスペースに配置されない。もしくは、移動局装置１は、ＲＡ−ＲＮＴＩでスクランブルされたＣＲＣを有するＰＤＣＣＨ／第１のＥＰＤＣＣＨを、フレキシブルサブフレームの共有サーチスペースではモニタ（復号処理）しない。
【０２６０】
ＲＡ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、ＲＡ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０２６１】
ＲＡ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、ＲＡ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２６２】
移動局装置１は、Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ａであるが、これに限らず、新たなＤＣＩフォーマットを含んでもよい。
【０２６３】
移動局装置１は、Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、フレキシブルサブフレームの共有サーチスペースに対して、特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ａであるが、これに限らず、新たなＤＣＩフォーマットを含んでもよい。
【０２６４】
移動局装置１は、Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの端末固有サーチスペースに対して、特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１／１Ａ／１Ｂ／１Ｄ／２／２Ａ／２Ｂ／２Ｃ／２Ｄであるが、これに限らず、新たなＤＣＩフォーマットを含んでもよい。
【０２６５】
移動局装置１は、Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、フレキシブルサブフレームの端末固有サーチスペースに対して、特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１／１Ａ／１Ｂ／１Ｄ／２／２Ａ／２Ｂ／２Ｃ／２Ｄであるが、これに限らず、新たなＤＣＩフォーマットを含んでもよい。
【０２６６】
移動局装置１は、ＳＰＳ  Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＳＰＳ  Ｃ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ａであるが、これに限らず、新たなＤＣＩフォーマットを含んでもよい。
【０２６７】
ＳＰＳ  Ｃ−ＲＮＴＩでスクランブルされたＣＲＣを有するＰＤＣＣＨ／第１のＥＰＤＣＣＨ／第２のＥＰＤＣＣＨは、フレキシブルサブフレームの共有サーチスペースに配置されない。もしくは、移動局装置１は、ＳＰＳ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。
【０２６８】
移動局装置１は、ＳＰＳ  Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの端末固有サーチスペースに対して、特定のＤＣＩフォーマットおよびＳＰＳ  Ｃ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨと、当該ＰＤＣＣＨ／第１のＥＰＤＣＣＨ／第２のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１／１Ａ／１Ｂ／１Ｄ／２／２Ａ／２Ｂ／２Ｃ／２Ｄであるが、これに限らず、新たなＤＣＩフォーマットを含んでもよい。
【０２６９】
ＳＰＳ  Ｃ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、ＳＰＳ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２７０】
移動局装置１は、Ｔｅｍｐｏｒａｒｙ  Ｃ−ＲＮＴＩでスクランブルされたＣＲＣを有するＰＤＣＣＨ／第１のＥＰＤＣＣＨを復号することを上位レイヤで設定され、かつ、Ｃ−ＲＮＴＩでスクランブルされたＣＲＣを有するＰＤＣＣＨ／第１のＥＰＤＣＣＨを復号することを設定されない場合、固定サブフレームの共有サーチスペースに対して、特定のＤＣＩフォーマットおよびＴｅｍｐｏｒａｒｙ  Ｃ−ＲＮＴＩでスクランブルされたＣＲＣを有する、ＰＤＣＣＨ／第１のＥＰＤＣＣＨをモニタし、当該ＰＤＣＣＨ／第１のＥＰＤＣＣＨと、当該ＰＤＣＣＨ／第１のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１Ａであるが、これに限らず、新たなＤＣＩフォーマットを含んでもよい。一方で、特定のＤＣＩフォーマットおよびＴｅｍｐｏｒａｒｙ  Ｃ−ＲＮＴＩでスクランブルされたＣＲＣを有する第２のＥＰＤＣＣＨは、固定サブフレームの共有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有する第２のＥＰＤＣＣＨが固定サブフレームの共有サーチスペースに配置されても復号処理しない。なお、前記特定のＤＣＩフォーマットは下りリンク物理チャネルを制御するＤＣＩフォーマットである。
【０２７１】
特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨは、フレキシブルサブフレームの共有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。なお、前記特定のＤＣＩフォーマットは下りリンク物理チャネルを制御するＤＣＩフォーマットである。
【０２７２】
移動局装置１は、Ｔｅｍｐｏｒａｒｙ  Ｃ−ＲＮＴＩでスクランブルされたＣＲＣを有するＰＤＣＣＨ／第１のＥＰＤＣＣＨを復号することを上位レイヤで設定され、かつ、Ｃ−ＲＮＴＩでスクランブルされたＣＲＣを有するＰＤＣＣＨ／第１のＥＰＤＣＣＨを復号することを設定されない場合、固定サブフレームの端末固有サーチスペースに対して、特定のＤＣＩフォーマットおよびＴｅｍｐｏｒａｒｙ  Ｃ−ＲＮＴＩでスクランブルされたＣＲＣを有する、ＰＤＣＣＨ／第１のＥＰＤＣＣＨをモニタし、当該ＰＤＣＣＨ／第１のＥＰＤＣＣＨと、当該ＰＤＣＣＨ／第１のＥＰＤＣＣＨに紐付けられたＰＤＳＣＨを復号する。なお、前記特定のＤＣＩフォーマットは下りリンク物理チャネルを制御するＤＣＩフォーマットであり、例えばＤＣＩフォーマット１／１Ａであるが、これに限らず、新たなＤＣＩフォーマットを含んでもよい。一方で、特定のＤＣＩフォーマットおよびＴｅｍｐｏｒａｒｙ  Ｃ−ＲＮＴＩでスクランブルされたＣＲＣを有する第２のＥＰＤＣＣＨは、固定サブフレームの端末固有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有する第２のＥＰＤＣＣＨが固定サブフレームの端末固有サーチスペースに配置されても復号処理しない。なお、前記特定のＤＣＩフォーマットは下りリンク物理チャネルを制御するＤＣＩフォーマットである。
【０２７３】
特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。なお、前記特定のＤＣＩフォーマットは下りリンク物理チャネルを制御するＤＣＩフォーマットである。
【０２７４】
移動局装置１は、Ｍ−ＲＮＴＩでスクランブルされたＣＲＣを有するＰＤＣＣＨ／第１のＥＰＤＣＣＨを復号することを上位レイヤで設定された場合、固定サブフレームの共有サーチスペースに対して、特定のＤＣＩフォーマットおよびＭ−ＲＮＴＩでスクランブルされたＣＲＣを有する、ＰＤＣＣＨ／第１のＥＰＤＣＣＨをモニタし、当該ＰＤＣＣＨ／第１のＥＰＤＣＣＨを復号する。なお、前記特定のＤＣＩフォーマットは下りリンク物理チャネルを制御するＤＣＩフォーマットであり、例えばＤＣＩフォーマット１Ｃであるが、これに限らず、新たなＤＣＩフォーマットを含んでもよい。一方で、Ｍ−ＲＮＴＩでスクランブルされたＣＲＣを有する第２のＥＰＤＣＣＨは、固定サブフレームの共有サーチスペースに配置されない。もしくは、移動局装置１は、Ｍ−ＲＮＴＩでスクランブルされたＣＲＣを有する第２のＥＰＤＣＣＨを、固定サブフレームの共有サーチスペースではモニタ（復号処理）しない。
【０２７５】
Ｍ−ＲＮＴＩでスクランブルされたＣＲＣを有するＰＤＣＣＨ／第１のＥＰＤＣＣＨ／第２のＥＰＤＣＣＨは、フレキシブルサブフレームの共有サーチスペースに配置されない。もしくは、移動局装置１は、Ｍ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。
【０２７６】
Ｍ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、Ｍ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０２７７】
Ｍ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、Ｍ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２７８】
移動局装置１は、Ｄ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＤ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号する。なお、前記特定のＤＣＩフォーマットは下りリンク物理チャネルを制御するＤＣＩフォーマットであり、例えばＤＣＩフォーマット１Ｃであるが、これに限らず、新たなＤＣＩフォーマットを含んでもよい。一方で、Ｄ−ＲＮＴＩでスクランブルされたＣＲＣを有する第２のＥＰＤＣＣＨは、固定サブフレームの共有サーチスペースに配置されない。もしくは、移動局装置１は、Ｄ−ＲＮＴＩでスクランブルされたＣＲＣを有する第２のＥＰＤＣＣＨを、固定サブフレームの共有サーチスペースではモニタ（復号処理）しない。
【０２７９】
移動局装置１は、Ｄ−ＲＮＴＩでスクランブルされたＣＲＣを有する第２のＥＰＤＣＣＨを復号することを上位レイヤで設定された場合、フレキシブルサブフレームの共有サーチスペースに配置され、特定のＤＣＩフォーマットおよびＤ−ＲＮＴＩでスクランブルされたＣＲＣを有する、第２のＥＰＤＣＣＨをモニタし、当該第２のＥＰＤＣＣＨを復号する。なお、前記特定のＤＣＩフォーマットは下りリンク物理チャネルを制御するＤＣＩフォーマットであり、例えばＤＣＩフォーマット１Ｃであるが、これに限らず、新たなＤＣＩフォーマットを含んでもよい。一方で、Ｄ−ＲＮＴＩでスクランブルされたＣＲＣを有するＰＤＣＣＨ／第１のＥＰＤＣＣＨは、フレキシブルサブフレームの共有サーチスペースに配置されない。もしくは、移動局装置１は、Ｄ−ＲＮＴＩでスクランブルされたＣＲＣを有するＰＤＣＣＨ／第１のＥＰＤＣＣＨを、フレキシブルサブフレームの共有サーチスペースではモニタ（復号処理）しない。
【０２８０】
Ｄ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、Ｄ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０２８１】
Ｄ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、Ｄ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２８２】
図２５は、サーチスペースまたはサブフレーム設定に基づいて上りリンク物理チャネルに関連した制御チャネルの復号処理に用いるＲＮＴＩの種類の一例を示す図である。図２５は、下りリンクサブフレームでＣＳＳとＵＳＳの両方をモニタリングする場合におけるＲＮＴＩの種類の一例である。「○」は、移動局装置１において該当サブフレームの該当制御チャネルの該当サーチスペースで送信されたＤＣＩフォーマットに付加されたＣＲＣパリティビットが該当ＲＮＴＩでスクランブルされていることを期待する、ことを意味する。「−」は、移動局装置１において該当サブフレームの該当制御チャネルの該当サーチスペースで送信されたＤＣＩフォーマットに付加されたＣＲＣパリティビットが該当ＲＮＴＩでスクランブルされていることを期待しない、ことを意味する。また、別の観点では、「○」は、移動局装置１が、あるサブフレームのあるサーチスペースで、当該ＲＮＴＩでスクランブルされたＣＲＣを有する制御チャネルをモニタ（復号処理）する、ことを意味する。「−」は、移動局装置１が、あるサブフレームのあるサーチスペースで、当該ＲＮＴＩでスクランブルされたＣＲＣを有する制御チャネルをモニタ（復号処理）しない、ことを意味する。
【０２８３】
移動局装置１は、Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号し、当該ＰＤＣＣＨ／第１のＥＰＤＣＣＨ／第２のＥＰＤＣＣＨに紐付けられたＰＵＳＣＨを送信する。なお、前記特定のＤＣＩフォーマットは上りリンク物理チャネルを制御するＤＣＩフォーマットであり、例えばＤＣＩフォーマット０であるが、これに限らず、新たなＤＣＩフォーマットを含んでもよい。
【０２８４】
特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨは、フレキシブルサブフレームの共有サーチスペースに配置されない。もしくは、移動局装置１は、特定のＤＣＩフォーマットおよびＣ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。なお、前記特定のＤＣＩフォーマットは上りリンク物理チャネルを制御するＤＣＩフォーマットである。
【０２８５】
移動局装置１は、Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの端末固有サーチスペースに対して、特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号し、当該ＰＤＣＣＨ／第１のＥＰＤＣＣＨ／第２のＥＰＤＣＣＨに紐付けられたＰＵＳＣＨを送信する。なお、前記特定のＤＣＩフォーマットは、例えばＤＣＩフォーマット０／４あるが、これに限らず、新たなＤＣＩフォーマットを含んでもよい。
【０２８６】
特定のＤＣＩフォーマットおよびＣ−ＲＮＴＩでスクランブルされたＣＲＣを有する、ＰＤＣＣＨ／第１のＥＰＤＣＣＨ／第２のＥＰＤＣＣＨは、フレキシブルサブフレームの端末固有サーチスペースに配置されない。もしくは、移動局装置１は、特定のＤＣＩフォーマットおよびＣ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。なお、前記特定のＤＣＩフォーマットは上りリンク物理チャネルを制御するＤＣＩフォーマットである。
【０２８７】
移動局装置１は、ＳＰＳ  Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに対して、特定のＤＣＩフォーマットおよびＳＰＳ  Ｃ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号し、当該ＰＤＣＣＨ／第１のＥＰＤＣＣＨ／第２のＥＰＤＣＣＨに紐付けられたＰＵＳＣＨを送信する。なお、前記特定のＤＣＩフォーマットはは上りリンク物理チャネルを制御するＤＣＩフォーマットであり、例えばＤＣＩフォーマット０であるが、これに限らず、新たなＤＣＩフォーマットを含んでもよい。
【０２８８】
特定のＤＣＩフォーマットおよびＳＰＳ  Ｃ−ＲＮＴＩでスクランブルされたＣＲＣを有する、ＰＤＣＣＨ／第１のＥＰＤＣＣＨ／第２のＥＰＤＣＣＨは、フレキシブルサブフレームの共有サーチスペースに配置されない。もしくは、移動局装置１は、特定のＤＣＩフォーマットおよびＳＰＳ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。なお、前記特定のＤＣＩフォーマットは上りリンク物理チャネルを制御するＤＣＩフォーマットである。
【０２８９】
移動局装置１は、ＳＰＳ  Ｃ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの端末固有サーチスペースに対して、特定のＤＣＩフォーマットおよびＳＰＳ  Ｃ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号し、当該ＰＤＣＣＨ／第１のＥＰＤＣＣＨ／第２のＥＰＤＣＣＨに紐付けられたＰＵＳＣＨを送信する。なお、前記特定のＤＣＩフォーマットは、例えばＤＣＩフォーマット０／４あるが、これに限らず、新たなＤＣＩフォーマットを含んでもよい。
【０２９０】
特定のＤＣＩフォーマットおよびＳＰＳ  Ｃ−ＲＮＴＩでスクランブルされたＣＲＣを有する、ＰＤＣＣＨ／第１のＥＰＤＣＣＨ／第２のＥＰＤＣＣＨは、フレキシブルサブフレームの端末固有サーチスペースに配置されない。もしくは、移動局装置１は、特定のＤＣＩフォーマットおよびＳＰＳ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。なお、前記特定のＤＣＩフォーマットは上りリンク物理チャネルを制御するＤＣＩフォーマットである。
【０２９１】
移動局装置１は、Ｃ−ＲＮＴＩでスクランブルされたＣＲＣを有するＰＤＣＣＨ／第１のＥＰＤＣＣＨを復号することを設定されたか否かに関わらず、Ｔｅｍｐｏｒａｒｙ  Ｃ−ＲＮＴＩでスクランブルされたＣＲＣを有するＰＤＣＣＨ／第１のＥＰＤＣＣＨを復号することを上位レイヤで設定された場合、固定サブフレームの共有サーチスペースに配置され、特定のＤＣＩフォーマットおよびＴｅｍｐｏｒａｒｙ  Ｃ−ＲＮＴＩでスクランブルされたＣＲＣを有する、ＰＤＣＣＨ／第１のＥＰＤＣＣＨをモニタし、当該ＰＤＣＣＨ／第１のＥＰＤＣＣＨを復号し、当該ＰＤＣＣＨ／第１のＥＰＤＣＣＨに紐付けられたＰＵＳＣＨを送信する。なお、前記特定のＤＣＩフォーマットは上りリンク物理チャネルを制御するＤＣＩフォーマットであり、例えばＤＣＩフォーマット０であるが、これに限らず、新たなＤＣＩフォーマットを含んでもよい。一方で、特定のＤＣＩフォーマットおよびＴｅｍｐｏｒａｒｙ  Ｃ−ＲＮＴＩでスクランブルされたＣＲＣを有する、第２のＥＰＤＣＣＨは、固定サブフレームの共有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有する、第２のＥＰＤＣＣＨが固定サブフレームの共有サーチスペースに配置されても復号処理しない。なお、前記特定のＤＣＩフォーマットは上りリンク物理チャネルを制御するＤＣＩフォーマットである。
【０２９２】
特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨは、フレキシブルサブフレームの共有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。なお、前記特定のＤＣＩフォーマットは上りリンク物理チャネルを制御するＤＣＩフォーマットである。
【０２９３】
特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。なお、前記特定のＤＣＩフォーマットは上りリンク物理チャネルを制御するＤＣＩフォーマットである。
【０２９４】
特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、特定のＤＣＩフォーマットおよびＴｅｍｐｏｒａｒｙ  Ｃ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。なお、前記特定のＤＣＩフォーマットは上りリンク物理チャネルを制御するＤＣＩフォーマットである。
【０２９５】
移動局装置１は、ＴＰＣ−ＰＵＣＣＨ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに配置され、特定のＤＣＩフォーマットおよびＴＰＣ−ＰＵＣＣＨ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号する。なお、前記特定のＤＣＩフォーマットは、例えばＤＣＩフォーマット３／３Ａであるが、これに限らず、新たなＤＣＩフォーマットを含んでもよい。
【０２９６】
移動局装置１は、ＴＰＣ−ＰＵＣＣＨ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、フレキシブルサブフレームの共有サーチスペースに配置され、特定のＤＣＩフォーマットおよびＴＰＣ−ＰＵＣＣＨ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号する。なお、前記特定のＤＣＩフォーマットは、例えばＤＣＩフォーマット３／３Ａであるが、これに限らず、新たなＤＣＩフォーマットを含んでもよい。
【０２９７】
ＴＰＣ−ＰＵＣＣＨ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、ＴＰＣ−ＰＵＣＣＨ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０２９８】
ＴＰＣ−ＰＵＣＣＨ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、ＴＰＣ−ＰＵＣＣＨ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０２９９】
移動局装置１は、ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨを復号することを上位レイヤで設定された場合、固定サブフレームの共有サーチスペースに配置され、特定のＤＣＩフォーマットおよびＴＰＣ−ＰＵＳＣＨ−ＲＮＴＩでスクランブルされたＣＲＣを有する、ＰＤＣＣＨ／第１のＥＰＤＣＣＨ／第２のＥＰＤＣＣＨをモニタし、当該ＰＤＣＣＨ／第１のＥＰＤＣＣＨ／第２のＥＰＤＣＣＨを復号する。なお、前記特定のＤＣＩフォーマットは、例えばＤＣＩフォーマット３／３Ａであるが、これに限らず、新たなＤＣＩフォーマットを含んでもよい。
【０３００】
ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨは、フレキシブルサブフレームの共有サーチスペースに配置されない。もしくは、移動局装置１は、ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨを、フレキシブルサブフレームの共有サーチスペースではモニタ（復号処理）しない。
【０３０１】
ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨは、固定サブフレームの端末固有サーチスペースに配置されない。もしくは、移動局装置１は、ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨを、固定サブフレームの端末固有サーチスペースではモニタ（復号処理）しない。
【０３０２】
ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨは、フレキシブルサブフレームの端末固有サーチスペースに配置されない。もしくは、移動局装置１は、ＴＰＣ−ＰＵＳＣＨ−ＲＮＴＩでスクランブルされたＣＲＣを有するＰＤＣＣＨ／第１のＥＰＤＣＣＨ／第２のＥＰＤＣＣＨを、フレキシブルサブフレームの端末固有サーチスペースではモニタ（復号処理）しない。
【０３０３】
なお、図２４および図２５において「○」の場合、基地局装置３は、該当サブフレームの該当制御チャネルの該当サーチスペースで送信されたＤＣＩフォーマットに付加されたＣＲＣパリティビットが該当ＲＮＴＩでスクランブルし、制御チャネルを送信する可能性がある。また図２４および図２５において「−」の場合、基地局装置３は、該当サブフレームの該当制御チャネルの該当サーチスペースで送信されたＤＣＩフォーマットに付加されたＣＲＣパリティビットが該当ＲＮＴＩでスクランブルしない、または、該当サブフレームの該当制御チャネルにおいて該当ＲＮＴＩでスクランブルしたＣＲＣパリティビットを付加したＤＣＩフォーマットを該当サーチスペースで送信しない。
【０３０４】
このように、制御チャネル、サーチスペース、および／または、サブフレーム設定に基づいて制御チャネルの復号処理に用いるＲＮＴＩの種類を切り替えることで、移動局装置１は、基地局装置３から送信される可能性がある情報のみをモニタリングし、移動局装置１の復号処理を軽減する。
【０３０５】
なお、上記では、制御チャネルおよびサーチスペース毎に固定サブフレームとフレキシブルサブフレームの間でＲＮＴＩによって復号処理を行う振る舞いを個別に定義したが、ある制御チャネルまたはあるサーチスペースにおいては、固定サブフレームとフレキシブルサブフレームの間で共通の復号処理を行ってもよい。例えば、ＰＤＣＣＨのＣＳＳにおいて、フレキシブルサブフレームであっても固定サブフレームで定義されたＲＮＴＩの種類で制御チャネルの復号処理を行なってもよい。
【０３０６】
上記は、予め移動局装置１にＲＮＴＩの種類で制御チャネルの復号処理を行う振る舞いを定義し、制御チャネル、サーチスペース、および／または、サブフレーム設定に基づいて、前記振る舞いを切り替える動作を説明した。
【０３０７】
以下では、移動局装置１で制御チャネルの復号処理を行うＲＮＴＩの種類を基地局装置３から明示的に指定する方法について説明する。
【０３０８】
基地局装置３は、各ＲＮＴＩを用いて復号処理を行う（１、ＴＲＵＥ、ＥＮＡＢＬＥ、ＯＮ）か否か（０、ＦＡＬＳＥ、ＤＩＳＡＢＬＥ、ＯＦＦ）の１ビットの情報を移動局装置１にＲＲＣシグナリングを通じて設定する。例えば、ＥＰＤＣＣＨ−ＣＳＳに配置されたＥＰＤＣＣＨにＣ−ＲＮＴＩを用いて復号処理を行う設定をする場合、Ｃ−ＲＮＴＩの復号処理に対応するフラグに１を設定する。設定された移動局装置１は、ＥＰＤＣＣＨ−ＣＳＳに配置されたＥＰＤＣＣＨにＣ−ＲＮＴＩを用いて復号処理を行う。一方で、ＥＰＤＣＣＨ−ＣＳＳに配置されたＥＰＤＣＣＨにＣ−ＲＮＴＩを用いて復号処理を行う設定をしない場合、Ｃ−ＲＮＴＩの復号処理に対応するフラグに０を設定する。設定された移動局装置１は、ＥＰＤＣＣＨ−ＣＳＳに配置されたＥＰＤＣＣＨにＣ−ＲＮＴＩを用いて復号処理を行う。
【０３０９】
復号処理に対応するフラグは、全てのＲＮＴＩの種類が設定されてもよい。この場合は、基地局装置３は、全てのＲＮＴＩの種類に対応する復号処理のフラグを移動局装置１に設定する。また、復号処理に対応するフラグは、一部のＲＮＴＩの種類で設定されてもよい。この場合、移動局装置１は、復号処理に対応するフラグが通知されたＲＮＴＩに関して、通知情報を優先して該ＲＮＴＩを用いた復号処理を行うか否かを決定する。移動局装置１は、復号処理に対応するフラグが通知されないＲＮＴＩに関しては、初期設定の動作を行う。
【０３１０】
復号処理に対応するフラグは、ＥＰＤＣＣＨセット設定情報に含んで明示的に通知される。
【０３１１】
以下では、ＲＮＴＩのモニタリングおよび制御チャネルの復号処理の切り替えの例を挙げて説明する。
【０３１２】
サブフレーム設定に基づく復調処理および／または復号処理の動作の切り替えの一例として、図２６を用いて説明する。図２６は、サブフレーム設定とモニタリングするＲＮＴＩの種類の切り替えの一例を示す図である。ＰＤＣＣＨ−ＳＳ１はＰＤＣＣＨ−ＵＳＳ、ＥＰＤＣＣＨ−ＳＳ１は第２のＥＰＤＣＣＨ−ＵＳＳ、ＰＤＣＣＨ−ＳＳ１はＰＤＣＣＨ−ＣＳＳ、ＥＰＤＣＣＨ−ＳＳ１は第２のＥＰＤＣＣＨ−ＣＳＳ、に対応する。図２６では、上りリンク−下りリンク設定１と上りリンク−下りリンク設定２のどちらかが少なくともＤまたはＳとして設定されたサブフレームにおいて、ＣＳＳとＵＳＳの両方をモニタリングする一例である。
【０３１３】
移動局装置１は、基地局装置３からのサブフレーム設定に基づいて、制御チャネルのモニタリングを行う。制御チャネルのモニタリングの一例は、ＰＤＣＣＨ−ＳＳ１のモニタリング、ＥＰＤＣＣＨ−ＳＳ１のモニタリング、ＰＤＣＣＨ−ＳＳ２のモニタリング、または、ＥＰＤＣＣＨ−ＳＳ２のモニタリングを、サブフレーム毎に決定し、モニタリングするＲＮＴＩの種類（ＲＮＴＩグループとも称する。）が切り替わる。
【０３１４】
移動局装置１は、少なくともＥＰＤＣＣＨサブフレーム設定に基づいて決まるサブフレーム（第１のサブフレーム）において第１のＲＮＴＩでスクランブルされたＣＲＣが付加されるＥＰＤＣＣＨをモニタリングし、少なくとも第１の上りリンク−下りリンク設定と、第２の上りリンク−下りリンク設定とに基づいて決まるサブフレーム（第２のサブフレーム）において第２のＲＮＴＩでスクランブルされたＣＲＣが付加されるＥＰＤＣＣＨをモニタリングする。ここで、第２のサブフレームは、さらに少なくともＥＰＤＣＣＨサブフレーム設定に基づいて決まる。また、第２のサブフレームは、第１のサブフレームであってもよい。
【０３１５】
移動局装置１は、１つの無線フレームにおいて、第１のサブフレームにおいて第１のＲＮＴＩでスクランブルされたＣＲＣが付加されるＥＰＤＣＣＨをモニタリングし、前記第１のサブフレームとは異なる第２のサブフレームにおいて第２のＲＮＴＩでスクランブルされたＣＲＣが付加されるＥＰＤＣＣＨをモニタリングする。前記第１のＲＮＴＩは、第１のＲＮＴＩグループに含まれるＲＮＴＩであり、前記第２のＲＮＴＩは、第２のＲＮＴＩグループに含まれるＲＮＴＩである。なお、第２のＲＮＴＩグループは、前記第１のＲＮＴＩグループに含まれるすべてのＲＮＴＩを含まれても良い。
【０３１６】
サブフレーム０において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、移動局装置１は、ＥＰＤＣＣＨ−ＳＳ１に配置されたＥＰＤＣＣＨをＣ−ＲＮＴＩ、ＳＰＳ  Ｃ−ＲＮＴＩを用いてモニタリングし、復号処理を行う。また、このとき、移動局装置１は、ＰＤＣＣＨ−ＳＳ２に配置されたＰＤＣＣＨをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３１７】
サブフレーム１において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、移動局装置１は、ＰＤＣＣＨ−ＳＳ１に配置されたＰＤＣＣＨをＣ−ＲＮＴＩ、ＳＰＳ  Ｃ−ＲＮＴＩ、Ｔｅｍｐｏｒａｒｙ  Ｃ−ＲＮＴＩを用いて復号処理を行う。また、このとき、移動局装置１は、ＰＤＣＣＨ−ＳＳ２に配置されたＰＤＣＣＨをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３１８】
サブフレーム２は、上りリンク−下りリンク設定１および上りリンク−下りリンク設定２が共にＵであるため、制御チャネルのモニタリングを行わない。
【０３１９】
サブフレーム３において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＥＰＤＣＣＨ−ＳＳ２をモニタリングすることが設定される。このとき、移動局装置１は、ＥＰＤＣＣＨ−ＳＳ１に配置されたＥＰＤＣＣＨをＣ−ＲＮＴＩを用いてモニタリングし、復号処理を行う。また、このとき、移動局装置１は、ＥＰＤＣＣＨ−ＳＳ２に配置されたＥＰＤＣＣＨをＳＩ−ＲＮＴＩ、Ｐ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３２０】
サブフレーム４において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＥＰＤＣＣＨ−ＳＳ２をモニタリングすることが設定される。このとき、移動局装置１は、ＥＰＤＣＣＨ−ＳＳ１に配置されたＥＰＤＣＣＨをＣ−ＲＮＴＩを用いてモニタリングし、復号処理を行う。また、このとき、移動局装置１は、ＥＰＤＣＣＨ−ＳＳ２に配置されたＥＰＤＣＣＨをＳＩ−ＲＮＴＩ、Ｐ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３２１】
サブフレーム５において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、移動局装置１は、ＰＤＣＣＨ−ＳＳ１に配置されたＰＤＣＣＨをＣ−ＲＮＴＩ、ＳＰＳ  Ｃ−ＲＮＴＩ、Ｔｅｍｐｏｒａｒｙ  Ｃ−ＲＮＴＩを用いてモニタリングし、復号処理を行う。また、このとき、移動局装置１は、ＰＤＣＣＨ−ＳＳ２に配置されたＰＤＣＣＨをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３２２】
サブフレーム６において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、移動局装置１は、ＥＰＤＣＣＨ−ＳＳ１に配置されたＥＰＤＣＣＨをＣ−ＲＮＴＩ、ＳＰＳ  Ｃ−ＲＮＴＩを用いてモニタリングし、復号処理を行う。また、このとき、移動局装置１は、ＰＤＣＣＨ−ＳＳ２に配置されたＰＤＣＣＨをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３２３】
サブフレーム７は、上りリンク−下りリンク設定１および上りリンク−下りリンク設定２が共にＵであるため、制御チャネルのモニタリングを行わない。
【０３２４】
サブフレーム８において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＥＰＤＣＣＨ−ＳＳ２をモニタリングすることが設定される。このとき、移動局装置１は、ＥＰＤＣＣＨ−ＳＳ１に配置されたＥＰＤＣＣＨをＣ−ＲＮＴＩを用いてモニタリングし、復号処理を行う。また、このとき、移動局装置１は、ＥＰＤＣＣＨ−ＳＳ２に配置されたＥＰＤＣＣＨをＳＩ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３２５】
サブフレーム９において、移動局装置１は、上りリンク−下りリンク設定１、上りリンク−下りリンク設定２、および、ＥＰＤＣＣＨサブフレーム設定に基づいてＰＤＣＣＨ−ＳＳ１とＥＰＤＣＣＨ−ＳＳ２をモニタリングすることが設定される。このとき、移動局装置１は、ＰＤＣＣＨ−ＳＳ１に配置されたＰＤＣＣＨをＣ−ＲＮＴＩ、ＳＰＳ  Ｃ−ＲＮＴＩ、Ｔｅｍｐｏｒａｒｙ  Ｃ−ＲＮＴＩを用いてモニタリングし、復号処理を行う。また、このとき、移動局装置１は、ＥＰＤＣＣＨ−ＳＳ２に配置されたＥＰＤＣＣＨをＳＩ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３２６】
なお、サブフレーム３、４、７、８、９でＭＢＳＦＮサブフレームが設定されることを許可された場合において、ＰＤＣＣＨ−ＳＳ２またはＥＰＤＣＣＨ−ＳＳ２に配置されたＰＤＣＣＨ／ＥＰＤＣＣＨに対してＭ−ＲＮＴＩを用いて復号処理を行なってもよい。
【０３２７】
なお、サブフレーム０、１、３、４、５、６、８、９でＰＤＣＣＨ−ＳＳ２またはＥＰＤＣＣＨ−ＳＳ２に配置されたＰＤＣＣＨ／ＥＰＤＣＣＨに対してＤ−ＲＮＴＩを用いて復号処理を行なってもよい。
【０３２８】
制御チャネルに基づく復調処理および／または復号処理の動作の切り替えの一例として、図２７を用いて説明する。図２７は、サブフレーム設定とモニタリングするＲＮＴＩの種類の切り替えの一例を示す図である。ＰＤＣＣＨ−ＳＳ１をＰＤＣＣＨ−ＵＳＳ、ＥＰＤＣＣＨ−ＳＳ１を第２のＥＰＤＣＣＨ−ＵＳＳ、ＰＤＣＣＨ−ＳＳ１をＰＤＣＣＨ−ＣＳＳ、と対応する。図２７では、上りリンク−下りリンク設定１と上りリンク−下りリンク設定２の両方がＤまたはＳとして設定されたサブフレームにおいて、ＣＳＳとＵＳＳの両方をモニタリングし、上りリンク−下りリンク設定１および上りリンク−下りリンク設定２の一方がＤまたはＳであり、かつ、もう一方がＵであるサブフレームは、ＵＳＳのみをモニタリングする一例である。
【０３２９】
全ての移動局装置に対して共通の情報を設定できない場合では、あるサブフレームにおいてＣＳＳが設定できない可能性がある。その場合、ＣＳＳで送信される制御情報はＵＳＳで送信することができる。その際に、移動局装置１は、ＣＳＳで送信される可能性がある制御情報のモニタリングをＵＳＳでモニタリングする機能を備える必要がある。すなわち、ＣＳＳでモニタリングに用いられるＲＮＴＩの種類の一部をＵＳＳでもモニタリングする必要がある。
【０３３０】
なお、例えばＤＣＩフォーマット１Ｃなどの、ＣＳＳで送信される制御情報をＵＳＳで送信される場合、ＵＳＳでブラインドデコーディングを行う回数が増加し、従来の方式によるＣＳＳとＵＳＳでブラインドデコーディングを行う合計回数よりも上回る可能性がある。その際に、移動局装置１は、ＤＣＩフォーマット１Ｃのサイズに該当するＤＣＩフォーマットのみ、ブラインドデコーディングを行う回数を制限する。例えば、移動局装置１は、ＤＣＩフォーマット１Ｃのサイズに該当するＤＣＩフォーマットのみのアグリゲーションレベルを４および８に限定して、ブラインドデコーディングを行う。例えば、移動局装置１は、ＤＣＩフォーマット１Ｃのサイズに該当するＤＣＩフォーマットのみのＰＤＣＣＨ／ＥＰＤＣＣＨ候補数の総数を６以下限定して、ブラインドデコーディングを行う。
【０３３１】
移動局装置１は、基地局装置３からのサブフレーム設定に基づいて、制御チャネルのモニタリングを行う。制御チャネルのモニタリングの一例は、ＰＤＣＣＨ−ＳＳ１のモニタリング、ＥＰＤＣＣＨ−ＳＳ１のモニタリング、または、ＰＤＣＣＨ−ＳＳ２のモニタリングを、サブフレーム毎に決定し、モニタリングするＲＮＴＩの種類が切り替わる。
【０３３２】
サブフレーム０において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、移動局装置１は、ＥＰＤＣＣＨ−ＳＳ１に配置されたＥＰＤＣＣＨをＣ−ＲＮＴＩ、ＳＰＳ  Ｃ−ＲＮＴＩを用いてモニタリングし、復号処理を行う。また、このとき、移動局装置１は、ＰＤＣＣＨ−ＳＳ２に配置されたＰＤＣＣＨをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３３３】
サブフレーム１において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、移動局装置１は、ＰＤＣＣＨ−ＳＳ１に配置されたＰＤＣＣＨをＣ−ＲＮＴＩ、ＳＰＳ  Ｃ−ＲＮＴＩ、Ｔｅｍｐｏｒａｒｙ  Ｃ−ＲＮＴＩを用いてモニタリングし、復号処理を行う。また、このとき、移動局装置１は、ＰＤＣＣＨ−ＳＳ２に配置されたＰＤＣＣＨをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３３４】
サブフレーム２は、上りリンク−下りリンク設定１および上りリンク−下りリンク設定２が共にＵであるため、制御チャネルのモニタリングを行わない。
【０３３５】
サブフレーム３において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、移動局装置１は、ＥＰＤＣＣＨ−ＳＳ１に配置された制御チャネルをＳＩ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３３６】
サブフレーム４において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、移動局装置１は、ＥＰＤＣＣＨ−ＳＳ１に配置された制御チャネルをＳＩ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３３７】
サブフレーム５において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、移動局装置１は、ＰＤＣＣＨ−ＳＳ１に配置された制御チャネルをＣ−ＲＮＴＩ、ＳＰＳ  Ｃ−ＲＮＴＩ、Ｔｅｍｐｏｒａｒｙ  Ｃ−ＲＮＴＩを用いてモニタリングし、復号処理を行う。また、このとき、移動局装置１は、ＰＤＣＣＨ−ＳＳ２に配置された制御チャネルをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３３８】
サブフレーム６において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、移動局装置１は、ＥＰＤＣＣＨ−ＳＳ１に配置された制御チャネルをＣ−ＲＮＴＩ、ＳＰＳ  Ｃ−ＲＮＴＩを用いてモニタリングし、復号処理を行う。また、このとき、移動局装置１は、ＰＤＣＣＨ−ＳＳ２に配置された制御チャネルをＳＩ−ＲＮＴＩ、Ｐ−ＲＮＴＩ、ＲＡ−ＲＮＴＩ、Ｃ−ＲＮＴＩ、ＳＰＳ  Ｃ−ＲＮＴＩ、Ｔｅｍｐｏｒａｒｙ  Ｃ−ＲＮＴＩ、ＴＰＣ−ＰＵＣＣＨ−ＲＮＴＩ、ＴＰＣ−ＰＵＳＣＨ−ＲＮＴＩを用いてモニタリングし、復号処理を行う。
【０３３９】
サブフレーム７は、上りリンク−下りリンク設定１および上りリンク−下りリンク設定２が共にＵであるため、制御チャネルのモニタリングを行わない。
【０３４０】
サブフレーム８において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、移動局装置１は、ＥＰＤＣＣＨ−ＳＳ１に配置された制御チャネルをＳＩ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３４１】
サブフレーム９において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、移動局装置１は、ＥＰＤＣＣＨ−ＳＳ１に配置された制御チャネルをＳＩ−ＲＮＴＩ、ＲＡ−ＲＮＴＩ、Ｃ−ＲＮＴＩ、ＴＰＣ−ＰＵＣＣＨ−ＲＮＴＩを用いてモニタリングし、復号処理を行う。
【０３４２】
これにより、移動局装置１は、ＣＳＳが設定できない場合においても、ＣＳＳで送信される制御情報を受信することができる。
【０３４３】
なお、サブフレーム３、４、７、８、９でＭＢＳＦＮサブフレームが設定されることを許可された場合において、ＰＤＣＣＨ−ＳＳ２またはＥＰＤＣＣＨ−ＳＳ２に配置されたＰＤＣＣＨ／ＥＰＤＣＣＨに対してＭ−ＲＮＴＩを用いて復号処理を行なってもよい。
【０３４４】
なお、サブフレーム０、１、５、６のＰＤＣＣＨ−ＳＳ２に配置されたＰＤＣＣＨ、または、サブフレーム３、４、８、９のＥＰＤＣＣＨ−ＳＳ１に配置されたＥＰＤＣＣＨに対してＤ−ＲＮＴＩを用いて復号処理を行なってもよい。
【０３４５】
ＣＳＳとＵＳＳの両方をモニタリングする場合と、ＵＳＳのみをモニタリングする場合は、基地局装置３によって移動局装置１に設定される。例えば、ＥＰＤＣＣＨ−ＣＳＳの設定に対応するＥＰＤＣＣＨセット設定情報（ＥＰＤＣＣＨ−ＳｅｔＣｏｎｆｉｇ）とＥＰＤＣＣＨ−ＵＳＳの設定に対応するＥＰＤＣＣＨセット設定情報の両方を移動局装置１に設定した場合、移動局装置１はＥＰＤＣＣＨ−ＣＳＳまたはＰＤＣＣＨ−ＣＳＳとＥＰＤＣＣＨ−ＵＳＳの両方をモニタリングする。この場合、移動局装置１は、図２６のサブフレーム８、または、サブフレーム９のＲＮＴＩの種類によって制御チャネルを復号処理する。
【０３４６】
一方で、ＥＰＤＣＣＨ−ＵＳＳの設定に対応するＥＰＤＣＣＨセット設定情報のみ移動局装置１に設定し、ＥＰＤＣＣＨ−ＣＳＳの設定に対応するＥＰＤＣＣＨセット設定情報を移動局装置１に設定しなかった場合、かつ、ＰＤＣＣＨが送信されなかった場合、移動局装置１はＥＰＤＣＣＨ−ＵＳＳのみをモニタリングする。この場合、移動局装置１は、図２７のサブフレーム３、４、８、９のＲＮＴＩの種類によって制御チャネルを復号処理する。
【０３４７】
以下では、ＰＤＣＣＨ、ＥＰＤＣＣＨ、および、ＤＭＲＳに用いるスクランブルシーケンスパラメータを切り替える例について詳細に説明する。
【０３４８】
サブフレーム設定に基づくＰＤＣＣＨ、ＥＰＤＣＣＨ、および、ＤＭＲＳスクランブルシーケンスパラメータを切り替えの一例として、図２８を用いて説明する。図２８は、サブフレーム設定とスクランブルシーケンス生成に用いるパラメータの一例を示す図である。ＰＤＣＣＨ−ＳＳ１はＰＤＣＣＨ−ＵＳＳ、ＥＰＤＣＣＨ−ＳＳ１は第２のＥＰＤＣＣＨ−ＵＳＳ、ＰＤＣＣＨ−ＳＳ１はＰＤＣＣＨ−ＣＳＳ、ＥＰＤＣＣＨ−ＳＳ１は第２のＥＰＤＣＣＨ−ＣＳＳ、に対応する。図２８では、上りリンク−下りリンク設定１と上りリンク−下りリンク設定２のどちらかが少なくともＤまたはＳとして設定されたサブフレームにおいて、ＣＳＳとＵＳＳの両方をモニタリングする一例である。図２８の「ＰＣＩ」は基地局装置３の物理レイヤセル識別子、「第１のＶＣＩＤ」は基地局装置３から設定されるスクランブルシーケンスパラメータ、「第２のＶＣＩＤ」は「第１のＶＣＩＤ」とは個別に基地局装置３から設定されるスクランブルシーケンスパラメータ、「第３のＶＣＩＤ」は「第１のＶＣＩＤ」、「第２のＶＣＩＤ」とは個別に基地局装置３から設定されるスクランブルシーケンスパラメータである。
【０３４９】
移動局装置１は、基地局装置３からのサブフレーム設定に基づいて、制御チャネルのモニタリングを行う。制御チャネルのモニタリングの一例は、ＰＤＣＣＨ−ＳＳ１のモニタリング、ＥＰＤＣＣＨ−ＳＳ１のモニタリング、または、ＰＤＣＣＨ−ＳＳ２のモニタリングを、サブフレーム毎に決定し、それに伴い参照するスクランブルシーケンスパラメータが切り替わる。
【０３５０】
移動局装置１は、少なくともＥＰＤＣＣＨサブフレーム設定に基づいて決まるサブフレーム（第１のサブフレーム）において、第１のパラメータ（第１のＶＣＩＤ、第１のスクランブルシーケンスパラメータ）に基づいて生成されたシーケンスでスクランブルされた情報を含むＥＰＤＣＣＨ（第１のスクランブルされた情報を含むＥＰＤＣＣＨ）を受信し、少なくとも第１の上りリンク−下りリンク設定と、第２の上りリンク−下りリンク設定とに基づいて決まる第２のサブフレームにおいて、第２のパラメータ（第２のＶＣＩＤ、第２のスクランブルシーケンスパラメータ）に基づいて生成されたシーケンスでスクランブルされた情報を含むＥＰＤＣＣＨ（第２のスクランブルされた情報を含むＥＰＤＣＣＨ）を受信する。前記第２のサブフレームは、さらに少なくともＥＰＤＣＣＨサブフレーム設定に基づいて決まる請求項１に記載の端末。前記第２のサブフレームは、第１のサブフレームであってもよい。
【０３５１】
移動局装置１は、少なくともＥＰＤＣＣＨサブフレーム設定に基づいて決まるサブフレーム（第１のサブフレーム）において、第１のパラメータ（第１のＶＣＩＤ、第１のスクランブルシーケンスパラメータ）に基づいて生成されたシーケンスでスクランブルされた情報を含むＥＰＤＣＣＨ（第１のスクランブルされた情報を含むＥＰＤＣＣＨ）に関連するＤＭＲＳは前記第１のパラメータに基づいて生成されたシーケンスのＤＭＲＳと、少なくとも第１の上りリンク−下りリンク設定と、第２の上りリンク−下りリンク設定とに基づいて決まる第２のサブフレームにおいて、第２のパラメータ（第２のＶＣＩＤ、第２のスクランブルシーケンスパラメータ）に基づいて生成されたシーケンスでスクランブルされた情報を含むＥＰＤＣＣＨ（第１のスクランブルされた情報を含むＥＰＤＣＣＨ）に関連するＤＭＲＳは前記第２のパラメータに基づいて生成されたシーケンスのＤＭＲＳと、を受信する。前記第１のパラメータと前記第２のパラメータは、同じＥＰＤＣＣＨセットに対して設定されるパラメータである。第１のスクランブルされた情報を含むＥＰＤＣＣＨと第２のスクランブルされた情報を含むＥＰＤＣＣＨは、同じＥＰＤＣＣＨセットに対して設定されるＥＰＤＣＣＨリソースブロックセットにおいてモニタリングされてもよい。
【０３５２】
サブフレーム０において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、基地局装置３は、第１のＶＣＩＤに基づくスクランブルシーケンスを生成し、ＥＰＤＣＣＨに前記生成したスクランブルシーケンスを用いてスクランブルを行い、送信する。また、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、第１のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。また、移動局装置１は、ＰＣＩに基づくスクランブルシーケンスを生成し、前記生成したスクランブルシーケンスを用いてＰＤＣＣＨ−ＳＳ２に配置されたＰＤＣＣＨのデスクランブルを行う。
【０３５３】
サブフレーム１において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、ＰＣＩに基づくスクランブルシーケンスを生成し、前記生成したスクランブルシーケンスを用いてＰＤＣＣＨ−ＳＳ１およびＰＤＣＣＨ−ＳＳ２に配置されたＰＤＣＣＨのデスクランブルを行う。
【０３５４】
サブフレーム２は、上りリンク−下りリンク設定１および上りリンク−下りリンク設定２が共にＵであるため、制御チャネルのモニタリングを行わない。
【０３５５】
サブフレーム３において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＥＰＤＣＣＨ−ＳＳ２をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。また、基地局装置３は、第３のＶＣＩＤに基づくスクランブルシーケンスを生成し、ＥＰＤＣＣＨ−ＳＳ２に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。また、移動局装置１は、第３のＶＣＩＤに基づくスクランブルシーケンスを生成し、前記生成したスクランブルシーケンスを用いてＥＰＤＣＣＨ−ＳＳ２に配置されたＤＭＲＳの受信およびＥＰＤＣＣＨのデスクランブルを行う。
【０３５６】
サブフレーム４において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＥＰＤＣＣＨ−ＳＳ２をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。また、基地局装置３は、第３のＶＣＩＤに基づくスクランブルシーケンスを生成し、ＥＰＤＣＣＨ−ＳＳ２に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。また、移動局装置１は、第３のＶＣＩＤに基づくスクランブルシーケンスを生成し、前記生成したスクランブルシーケンスを用いてＥＰＤＣＣＨ−ＳＳ２に配置されたＤＭＲＳの受信およびＥＰＤＣＣＨのデスクランブルを行う。
【０３５７】
サブフレーム５において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、ＰＣＩに基づくスクランブルシーケンスを生成し、前記生成したスクランブルシーケンスを用いてＰＤＣＣＨ−ＳＳ１およびＰＤＣＣＨ−ＳＳ２に配置されたＰＤＣＣＨのデスクランブルを行う。
【０３５８】
サブフレーム６において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、基地局装置３は、第１のＶＣＩＤに基づくスクランブルシーケンスを生成し、ＥＰＤＣＣＨに前記生成したスクランブルシーケンスを用いてスクランブルを行い、送信する。また、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、第１のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。また、移動局装置１は、ＰＣＩに基づくスクランブルシーケンスを生成し、前記生成したスクランブルシーケンスを用いてＰＤＣＣＨ−ＳＳ２に配置されたＰＤＣＣＨのデスクランブルを行う。
【０３５９】
サブフレーム７は、上りリンク−下りリンク設定１および上りリンク−下りリンク設定２が共にＵであるため、制御チャネルのモニタリングを行わない。
【０３６０】
サブフレーム８において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＥＰＤＣＣＨ−ＳＳ２をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。また、基地局装置３は、第３のＶＣＩＤに基づくスクランブルシーケンスを生成し、ＥＰＤＣＣＨ−ＳＳ２に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。また、移動局装置１は、第３のＶＣＩＤに基づくスクランブルシーケンスを生成し、前記生成したスクランブルシーケンスを用いてＥＰＤＣＣＨ−ＳＳ２に配置されたＤＭＲＳの受信およびＥＰＤＣＣＨのデスクランブルを行う。
【０３６１】
サブフレーム９において、移動局装置１は、上りリンク−下りリンク設定１、上りリンク−下りリンク設定２、および、ＥＰＤＣＣＨサブフレーム設定に基づいてＰＤＣＣＨ−ＳＳ１とＥＰＤＣＣＨ−ＳＳ２をモニタリングすることが設定される。このとき、基地局装置３は、ＰＣＩに基づくスクランブルシーケンスを生成し、ＰＤＣＣＨ−ＳＳ１に配置されるＰＤＣＣＨに前記生成したスクランブルシーケンスを用いてスクランブルを行い、送信する。また、基地局装置３は、第３のＶＣＩＤに基づくスクランブルシーケンスを生成し、ＥＰＤＣＣＨ−ＳＳ２に配置されるＥＰＤＣＣＨに前記生成したスクランブルシーケンスを用いてスクランブルを行い、送信する。このとき、移動局装置１は、ＰＣＩに基づくスクランブルシーケンスを生成し、前記生成したスクランブルシーケンスを用いてＰＤＣＣＨ−ＳＳ１に配置されたＰＤＣＣＨのデスクランブルを行う。また、移動局装置１は、第３のＶＣＩＤに基づくスクランブルシーケンスを生成し、前記生成したスクランブルシーケンスを用いてＥＰＤＣＣＨ−ＳＳ２に配置されたＤＭＲＳの受信およびＥＰＤＣＣＨのデスクランブルを行う。
【０３６２】
このように、固定サブフレームとフレキシブルサブフレームの間でＥＰＤＣＣＨ−ＳＳ１に配置されるＥＰＤＣＣＨがスクランブルに用いるスクランブルシーケンスパラメータを切り替えることで、サブフレームによってＥＰＤＣＣＨのＣｏＭＰの設定を切り替えることができる。
【０３６３】
サブフレーム設定に基づくＰＤＣＣＨ、ＥＰＤＣＣＨ、および、ＤＭＲＳスクランブルシーケンスパラメータを切り替えの一例として、図２９を用いて説明する。図２９は、サブフレーム設定とスクランブルシーケンス生成に用いるパラメータの一例を示す図である。サブフレーム設定と参照するスクランブルシーケンスパラメータの種類の切り替えの一例を示す図である。ＰＤＣＣＨ−ＳＳ１はＰＤＣＣＨ−ＵＳＳ、ＥＰＤＣＣＨ−ＳＳ１は第２のＥＰＤＣＣＨ−ＵＳＳ、ＰＤＣＣＨ−ＳＳ１はＰＤＣＣＨ−ＣＳＳ、ＥＰＤＣＣＨ−ＳＳ１、に対応する。図２９では、上りリンク−下りリンク設定１と上りリンク−下りリンク設定２の両方がＤまたはＳとして設定されたサブフレームにおいて、ＣＳＳとＵＳＳの両方をモニタリングし、上りリンク−下りリンク設定１および上りリンク−下りリンク設定２の一方がＤまたはＳであり、かつ、もう一方がＵであるサブフレームは、ＵＳＳのみをモニタリングする一例である。図２８の「ＰＣＩ」は基地局装置３の物理レイヤセル識別子、「第１のＶＣＩＤ」は基地局装置３から設定されるスクランブルシーケンスパラメータ、「第２のＶＣＩＤ」は「第１のＶＣＩＤ」とは個別に基地局装置３から設定されるスクランブルシーケンスパラメータである。なお、第１のＶＣＩＤを第１のＥＰＤＣＣＨのスクランブルシーケンスパラメータ、第２のＶＣＩＤを第２のＥＰＤＣＣＨのスクランブルシーケンスパラメータとも称する。
【０３６４】
移動局装置１は、基地局装置３からのサブフレーム設定に基づいて、制御チャネルのモニタリングを行う。制御チャネルのモニタリングの一例は、ＰＤＣＣＨ−ＳＳ１のモニタリング、ＥＰＤＣＣＨ−ＳＳ１のモニタリング、または、ＰＤＣＣＨ−ＳＳ２のモニタリングを、サブフレーム毎に決定し、それに伴い参照するスクランブルシーケンスパラメータが切り替わる。
【０３６５】
サブフレーム０において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、基地局装置３は、第１のＶＣＩＤに基づくスクランブルシーケンスを生成し、ＥＰＤＣＣＨに前記生成したスクランブルシーケンスを用いてスクランブルを行い、送信する。また、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、第１のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。また、移動局装置１は、ＰＣＩに基づくスクランブルシーケンスを生成し、前記生成したスクランブルシーケンスを用いてＰＤＣＣＨ−ＳＳ２に配置されたＰＤＣＣＨのデスクランブルを行う。
【０３６６】
サブフレーム１において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、ＰＣＩに基づくスクランブルシーケンスを生成し、前記生成したスクランブルシーケンスを用いてＰＤＣＣＨ−ＳＳ１およびＰＤＣＣＨ−ＳＳ２に配置されたＰＤＣＣＨのデスクランブルを行う。
【０３６７】
サブフレーム２は、上りリンク−下りリンク設定１および上りリンク−下りリンク設定２が共にＵであるため、制御チャネルのモニタリングを行わない。
【０３６８】
サブフレーム３において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＥＰＤＣＣＨのデスクランブルを行う。
【０３６９】
サブフレーム４において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。
【０３７０】
サブフレーム５において、移動局装置１は、上りリンク−下りリンク設定１、上りリンク−下りリンク設定２、および、ＥＰＤＣＣＨサブフレーム設定に基づいてＰＤＣＣＨ−ＳＳ１とＰＤＣＣＨ−ＳＳ２をモニタリングすることが設定される。このとき、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、ＰＣＩに基づくスクランブルシーケンスを生成し、前記生成したスクランブルシーケンスを用いてＰＤＣＣＨ−ＳＳ１およびＰＤＣＣＨ−ＳＳ２に配置されたＰＤＣＣＨのデスクランブルを行う。
【０３７１】
サブフレーム６において、移動局装置１は、上りリンク−下りリンク設定１、上りリンク−下りリンク設定２、および、ＥＰＤＣＣＨサブフレーム設定に基づいてＥＰＤＣＣＨ−ＳＳ１とＰＤＣＣＨ−ＳＳ２をモニタリングすることが設定される。このとき、基地局装置３は、第１のＶＣＩＤに基づくスクランブルシーケンスを生成し、ＥＰＤＣＣＨに前記生成したスクランブルシーケンスを用いてスクランブルを行い、送信する。また、基地局装置３は、ＰＣＩに基づくスクランブルシーケンスを生成し、ＰＤＣＣＨに前記生成したスクランブルシーケンスを用いてスクランブルを行い、送信する。このとき、移動局装置１は、第１のＶＣＩＤに基づくスクランブルシーケンスを生成し、前記生成したスクランブルシーケンスを用いてＥＰＤＣＣＨ−ＳＳ１に配置されたＥＰＤＣＣＨのデスクランブルを行う。また、移動局装置１は、ＰＣＩに基づくスクランブルシーケンスを生成し、前記生成したスクランブルシーケンスを用いてＰＤＣＣＨ−ＳＳ２に配置されたＰＤＣＣＨのデスクランブルを行う。
【０３７２】
サブフレーム８において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。
【０３７３】
サブフレーム９において、移動局装置１は、上りリンク−下りリンク設定１、上りリンク−下りリンク設定２、および、ＥＰＤＣＣＨサブフレーム設定に基づいてＥＰＤＣＣＨ−ＳＳ１をモニタリングすることが設定される。このとき、基地局装置３は、第２のＶＣＩＤに基づくスクランブルシーケンスを生成し、ＥＰＤＣＣＨ−ＳＳ１に配置されるＥＰＤＣＣＨに前記生成したスクランブルシーケンスを用いてスクランブルを行い、送信する。このとき、移動局装置１は、第２のＶＣＩＤに基づくスクランブルシーケンスを生成し、前記生成したスクランブルシーケンスを用いてＥＰＤＣＣＨ−ＳＳ１に配置されたＤＭＲＳの受信およびＥＰＤＣＣＨのデスクランブルを行う。
【０３７４】
このように、固定サブフレームとフレキシブルサブフレームの間でＥＰＤＣＣＨ−ＳＳ１に配置されるＥＰＤＣＣＨがスクランブルに用いるスクランブルシーケンスパラメータを切り替えることで、サブフレームによってＳＳで送信される移動局装置のグループを切り替えることができる。
【０３７５】
同じＥＰＤＣＣＨセット間でスクランブルシーケンスパラメータを切り替える方法について詳細に説明する。
【０３７６】
一つの方法は、ＥＰＤＣＣＨ−ＳＳ１に対応するＥＰＤＣＣＨセット設定（ＥＰＤＣＣＨ−ＳｅｔＣｏｎｆｉｇ）に第１のＶＣＩＤと第２のＶＣＩＤを含めて設定する。基地局装置３は、ＥＰＤＣＣＨ−ＳＳ１に対応するＥＰＤＣＣＨセット設定（ＥＰＤＣＣＨ−ＳｅｔＣｏｎｆｉｇ）に第１のＶＣＩＤと第２のＶＣＩＤを含めてＲＲＣシグナリングを通じて移動局装置１に設定する。移動局装置１は、ＲＲＣシグナリングを通じて第１のＶＣＩＤと第２のＶＣＩＤを受信し、第１のＶＣＩＤを固定サブフレームのＥＰＤＣＣＨ−ＳＳ１に配置されるＥＰＤＣＣＨ、第２のＶＣＩＤをフレキシブルサブフレームのＥＰＤＣＣＨ−ＳＳ１に配置されるＥＰＤＣＣＨに用いる。
【０３７７】
一つの方法は、第１のＶＣＩＤはＥＰＤＣＣＨ−ＳＳ１に対応するＥＰＤＣＣＨセット設定（ＥＰＤＣＣＨ−ＳｅｔＣｏｎｆｉｇ）で通知されたスクランブルシーケンス情報を参照し、基地局装置３は、ＥＰＤＣＣＨ−ＳＳ１に対応するＥＰＤＣＣＨセット設定（ＥＰＤＣＣＨ−ＳｅｔＣｏｎｆｉｇ）に第１のＶＣＩＤを含めてＲＲＣシグナリングを通じて移動局装置１に設定する。第２のＶＣＩＤは上りリンク−下りリンク設定２と同時に通知されたスクランブルシーケンス情報を参照する。基地局装置３は、上りリンク−下りリンク設定２をＰＤＣＣＨまたはＲＲＣシグナリングを通じて設定され、また同時に、第２のＶＣＩＤをＰＤＣＣＨまたはＲＲＣシグナリングを通じて移動局装置１に設定する。移動局装置１は、第１のＶＣＩＤをＲＲＣシグナリング、第２のＶＣＩＤをＰＤＣＣＨまたはＲＲＣシグナリングを通じて受信し、第１のＶＣＩＤを固定サブフレームのＥＰＤＣＣＨ−ＳＳ１に配置されるＥＰＤＣＣＨ、第２のＶＣＩＤをフレキシブルサブフレームのＥＰＤＣＣＨ−ＳＳ１に配置されるＥＰＤＣＣＨに用いる。
【０３７８】
なお、第１のＶＣＩＤと第２のＶＣＩＤは、共通のパラメータとして設定されてもよい。また、第２のＶＣＩＤと第３のＶＣＩＤは、共通のパラメータとして設定されてもよい。なお、第３のＶＣＩＤは物理レイヤセル識別子として設定されてもよい。
【０３７９】
上りリンク−下りリンク設定は、上りリンク参照ＵＬ−ＤＬ設定、下りリンク参照ＵＬ−ＤＬ設定、および／または、送信方向ＵＬ−ＤＬ設定を用いて、設定されることができる。以下、上りリンク参照ＵＬ−ＤＬ設定、下りリンク参照ＵＬ−ＤＬ設定、および、送信方向ＵＬ−ＤＬ設定について説明する。
【０３８０】
上りリンク参照ＵＬ−ＤＬ設定、下りリンク参照ＵＬ−ＤＬ設定、および、送信方向ＵＬ−ＤＬ設定は、上りリンク−下りリンク設定（uplink-downlink configuration, UL-DL configuration）によって定義される。
【０３８１】
つまり、上りリンク参照ＵＬ−ＤＬ設定、下りリンク参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【０３８２】
上りリンク参照ＵＬ−ＤＬ設定は、第１のパラメータ、第１の設定、または、サービングセル上りリンク−下りリンク設定とも称される。下りリンク参照ＵＬ−ＤＬ設定は、第２のパラメータ、または、第２の設定とも称される。送信方向ＵＬ−ＤＬ設定は、第３のパラメータまたは第３の設定とも称される。
【０３８３】
上りリンク参照ＵＬ−ＤＬ設定として上りリンク−下りリンク設定ｉがセットされることは、上りリンク参照ＵＬ−ＤＬ設定ｉがセットされるとも称される。下りリンク参照ＵＬ−ＤＬ設定として上りリンク−下りリンク設定ｉがセットされることは、下りリンク参照ＵＬ−ＤＬ設定ｉがセットされるとも称される。送信方向ＵＬ−ＤＬ設定として上りリンク−下りリンク設定ｉがセットされることは、送信方向ＵＬ−ＤＬ設定ｉがセットされるとも称される。
【０３８４】
以下、上りリンク参照ＵＬ−ＤＬ設定、下りリンク参照ＵＬ−ＤＬ設定、および、送信方向ＵＬ−ＤＬ設定にセッティング方法ついて説明する。
【０３８５】
基地局装置３は、上りリンク参照ＵＬ−ＤＬ設定、下りリンク参照ＵＬ−ＤＬ設定、および、送信方向ＵＬ−ＤＬ設定をセットする。基地局装置３は、上りリンク参照ＵＬ−ＤＬ設定を示す第１の情報（TDD-Config）、下りリンク参照ＵＬ−ＤＬ設定を示す第２の情報、および、送信方向ＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【０３８６】
複数のサービングセルのそれぞれに対して、上りリンク参照ＵＬ−ＤＬ設定、下りリンク参照ＵＬ−ＤＬ設定、および、送信方向ＵＬ−ＤＬ設定が定義されてもよい。
【０３８７】
基地局装置３は、サービングセルのそれぞれに対する、第１の情報、第２の情報、および、第３の情報を、複数のサービングセルが設定された移動局装置１に送信する。なお、サービングセルのそれぞれに対して、第１の情報、第２の情報、および、第３の情報が定義されてもよい。
【０３８８】
基地局装置３は、１つのプライマリーセルおよび１つのセカンダリーセルから構成される２つのサービングセルが設定された移動局装置１に対して、プライマリーセルに対する第１の情報、プライマリーセルに対する第２の情報、プライマリーセルに対する第３の情報、セカンダリーセルに対する第１の情報、セカンダリーセルに対する第２の情報、および、セカンダリーセルに対する第３の情報を送信してもよい。
【０３８９】
複数のサービングセルが設定された移動局装置１は、サービングセルのそれぞれに対して、第１の情報、第２の情報、および、第３の情報に基づいて、上りリンク参照ＵＬ−ＤＬ設定、下りリンク参照ＵＬ−ＤＬ設定、および、送信方向ＤＬ−ＵＬ設定をセットしてもよい。
【０３９０】
１つのプライマリーセルおよび１つのセカンダリーセルから構成される２つのサービングセルが設定された移動局装置１は、プライマリーセルに対する上りリンク参照ＵＬ−ＤＬ設定、プライマリーセルに対する下りリンク参照ＵＬ−ＤＬ設定、プライマリーセルに対する送信方向ＤＬ−ＵＬ設定、セカンダリーセルに対する上りリンク参照ＵＬ−ＤＬ設定、セカンダリーセルに対する下りリンク参照ＵＬ−ＤＬ設定、セカンダリーセルに対する送信方向ＤＬ−ＵＬ設定をセットしてもよい。
【０３９１】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、システムインフォメーションブロックタイプ１メッセージ、システムインフォメーションメッセージ、または、ＲＲＣメッセージに含まれることが好ましい。セカンダリーセルに対する第２の情報は、ＲＲＣメッセージに含まれることが好ましい。第３の情報は、物理層の制御情報（例えば、ＤＣＩフォーマット）に含まれることが好ましい。
【０３９２】
第１の情報は、セル内の複数の移動局装置１に対して共通であることが好ましい。第２の情報は、セル内の複数の移動局装置１に対して共通であってもよいし、移動局装置１に対して専用であってもよい。第３の情報は、セル内の複数の移動局装置１に対して共通であってもよいし、移動局装置１に対して専用であってもよい。
【０３９３】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０３９４】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【０３９５】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。
【０３９６】
ＭＡＣ  ＣＥはＰＤＳＣＨを介して送信される。ＭＡＣ  ＣＥは、ＭＡＣ層において処理される情報／信号である。
【０３９７】
移動局装置１は、複数のサービングセルのそれぞれに対して、セッティング方法を実行する。
【０３９８】
移動局装置１は、あるサービングセルに対して、第１の情報に基づいて上りリンク参照ＵＬ−ＤＬ設定をセットする。移動局装置１は、該あるサービングセルに対する第２の情報を受信しているかどうかを判断する。移動局装置１は、該あるサービングセルに対する第２の情報を受信している場合は、該あるサービングセルに対して、該あるサービングセルに対する第２の情報に基づいて下りリンク参照ＵＬ−ＤＬ設定をセットする。移動局装置１は、該あるサービングセルに対する第２の情報を受信していない場合は（else/otherwise）、該あるサービングセルに対して、該あるサービングセルに対する第１の情報に基づいて下りリンク参照ＵＬ−ＤＬ設定をセットする。
【０３９９】
第１の情報に基づいて上りリンク参照ＵＬ−ＤＬ設定および下りリンク参照ＵＬ−ＤＬ設定がセットされているサービングセルを、ダイナミックＴＤＤが設定されていないサービングセルとも称する。第２の情報に基づいて下りリンク参照ＵＬ−ＤＬ設定がセットされているサービングセルを、ダイナミックＴＤＤが設定されているサービングセルとも称する。
【０４００】
移動局装置１は、第２の情報を受信し、第２の情報に基づき上りリンクの信号の送信が可能なサブフレームを判断する。次に、移動局装置１は、第３の情報を監視する。移動局装置１は、第３の情報を受信した場合に、第３の情報に基づき上りリンクの信号の送信が可能なサブフレームを判断する。
【０４０１】
以下、上りリンク参照ＵＬ−ＤＬ設定について説明する。
【０４０２】
上りリンク参照ＵＬ−ＤＬ設定は、サービングセルにおいて、上りリンクの送信が可能または不可能なサブフレームを特定するために少なくとも用いられる。
【０４０３】
移動局装置１は、上りリンク参照ＵＬ−ＤＬ設定によって下りリンクサブフレームとして指示されたサブフレームにおいて上りリンクの送信を行なわない。移動局装置１は、上りリンク参照ＵＬ−ＤＬ設定によってスペシャルサブフレームとして指示されたサブフレームのＤｗＰＴＳおよびＧＰにおいて上りリンクの送信を行なわない。
【０４０４】
以下、下りリンク参照ＵＬ−ＤＬ設定について説明する。
【０４０５】
下りリンク参照ＵＬ−ＤＬ設定は、サービングセルにおいて、下りリンクの送信が可能または不可能なサブフレームを特定するために少なくとも用いられる。
【０４０６】
移動局装置１は、下りリンク参照ＵＬ−ＤＬ設定によって上りリンクサブフレームとして指示されたサブフレームにおいて下りリンクの受信を行なわない。移動局装置１は、下りリンク参照ＵＬ−ＤＬ設定によってスペシャルサブフレームとして指示されたサブフレームのＵｐＰＴＳおよびＧＰにおいて下りリンクの受信を行なわない。
【０４０７】
第１の情報に基づいて下りリンク参照ＵＬ−ＤＬ設定をセットしている移動局装置１は、上りリンク参照ＵＬ−ＤＬ設定または下りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０４０８】
基地局装置３は、上りリンク参照ＵＬ−ＤＬ設定に基づいて限定される設定セット（セットの設定）の中から下りリンク参照ＵＬ−ＤＬ設定を決定する。つまり、下りリンク参照ＵＬ−ＤＬ設定は、上りリンク参照ＵＬ−ＤＬ設定に基づいて限定される設定セットにおける要素である。図１１において、Ｄは下りリンクサブフレームを示し、Ｕは上りリンクサブフレームを示し、Ｓはスペシャルサブフレームを示す。
【０４０９】
これにより、ダイナミックＴＤＤにおいて、上りリンク参照ＵＬ−ＤＬ設定によって下りリンクサブフレームと指示されたサブフレーム、および、スペシャルサブフレームのＤｗＰＴＳが上りリンクの送信のために利用されることはなくなるため、第１の情報に基づいて下りリンク参照ＵＬ−ＤＬ設定をセットしている移動局装置１が下りリンクの信号を用いた測定を適切に行なうことができるようになる。
【０４１０】
なお、第２の情報に基づいて下りリンク参照ＵＬ−ＤＬ設定をセットしている移動局装置１も、上りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０４１１】
上りリンク参照ＵＬ−ＤＬ設定によって上りリンクサブフレームとして指示され、下りリンク参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０４１２】
上りリンク参照ＵＬ−ＤＬ設定によってスペシャルサブフレームとして指示され、下りリンク参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。
【０４１３】
以下、送信方向ＵＬ−ＤＬ設定について詳細に説明する。
【０４１４】
移動局装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０４１５】
移動局装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御する。
【０４１６】
基地局装置３は、送信方向ＵＬ−ＤＬ設定を示す第３の情報を、移動局装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。
【０４１７】
例えば、送信方向ＵＬ−ＤＬ設定は、上りリンク参照ＵＬ−ＤＬ設定によって上りリンクサブフレームとして指示され、下りリンク参照ＵＬ−ＤＬ設定によって下りリンクサブフレームとして指示されたサブフレーム、および／または、上りリンク参照ＵＬ−ＤＬ設定によってスペシャルサブフレームとして指示され、下りリンク参照ＵＬ−ＤＬ設定によって下りリンクサブフレームとして指示されたサブフレームにおける、送信の方向を特定するために用いられる。つまり、送信方向ＵＬ−ＤＬ設定は、上りリンク参照ＵＬ−ＤＬ設定と下りリンク参照ＵＬ−ＤＬ設定とで異なるサブフレームとして指示されているサブフレームにおける、送信の方向を特定するために用いられる。
【０４１８】
次に、上りリンク−下りリンク設定あるいは送信方向ＵＬ−ＤＬ設定などをＰＤＣＣＨまたはＥＰＤＣＣＨを用いて行う場合について詳細に説明する。前述のとおり、これら設定に用いられるＤＣＩはＤ−ＲＮＴＩでスクランブルされたＣＲＣが付加されることができる。Ｄ−ＲＮＴＩは、基地局装置３が移動局装置１に対して、専用ＲＲＣシグナリングなどを介して設定することができる。このとき、Ｄ−ＲＮＴＩは、コネクションの確立中に最初に設定されたサービングセルであるプライマリセル（ＰＣｅｌｌ）に対して設定される。これに加えて、キャリアアグリゲーションを行う場合は、付加的に設定されるサービングセルであるセカンダリセル（ＳＣｅｌｌ）毎にもＤ−ＲＮＴＩを設定することができる。１つの例としては、Ｄ−ＲＮＴＩでスクランブルされたＣＲＣが付加されるＰＤＣＣＨは基地局装置３によりＣＳＳで送信され、移動局装置１はＣＳＳにおけるこれらのＰＤＣＣＨをデコードする。移動局装置１がＰＣｅｌｌでのみＣＳＳをモニタリングする場合、ＰＣｅｌｌのＴＤＤ設定のためのＰＤＣＣＨだけでなく、ＳＣｅｌｌのＴＤＤ設定のためのＰＤＣＣＨもＰＣｅｌｌのＣＳＳを介して送受信される。このとき、移動局装置１はＰＤＣＣＨのデコード後にＣＲＣをチェックし、いずれのサービングセルにおけるＤ−ＲＮＴＩでスクランブリングされているかを検出することにより、そのＰＤＣＣＨがいずれのサービングセルにおけるＴＤＤ設定を運んでいるかを知ることができる。そのため、各サービングセルのためのＰＤＣＣＨのデコードを別々に試行する必要がないため，移動局装置１の処理を軽減することができる。
【０４１９】
あるいは、キャリアアグリゲーションを行う場合も、ＰＣｅｌｌのＤ−ＲＮＴＩを用いることができる。このとき、ＰＤＣＣＨあるいはＥＰＤＣＣＨで送受信されるＤＣＩにキャリアインディケータフィールド（ＣＩＦ：Ｃａｒｒｉｅｒ  Ｉｎｄｉｃａｔｏｒ  Ｆｉｅｌｄ）が含まれ、このＣＩＦによりそのＰＤＣＣＨがいずれのサービングセルにおけるＴＤＤ設定を運んでいるかを識別することができる。１つの例としては、Ｄ−ＲＮＴＩでスクランブルされたＣＲＣが付加されるＰＤＣＣＨは基地局装置３によりクロスキャリアスケジューリングを用いて送信され、移動局装置１はＴＤＤ設定の対象であるサービングセルとは異なるサービングセル（例えばＰＣｅｌｌ）でこれらのＰＤＣＣＨをデコードすることができる。ＴＤＤ設定を行うためのＤＣＩは、常にＣＩＦを含むことができる。このとき、ＤＣＩのサイズはキャリアアグリゲーションを行うかどうかやクロスキャリアスケジューリングを行うかどうかによらず所定値となるため、移動局装置１は設定変更によらず検出でき、さらに複数の移動局装置が共用することもできる。あるいは、クロスキャリアスケジューリングが設定されている場合にのみＣＩＦを含むこともできる。この場合、クロスキャリアスケジューリングを用いなければ有効ビット数を低減することができるため、符号化率を下げる効果が得られる。
【０４２０】
あるいは、キャリアアグリゲーションを行う場合も、１つのＰＤＣＣＨあるいはＥＰＤＣＣＨで複数サービングセル分のＴＤＤ設定を送受信することができる。このとき、ＴＤＤ設定のためのＤＣＩフォーマットは、移動局装置１に対してアクティブ化されているサービングセル数によらず、固定数（例えば、１つの移動局装置に対して設定可能な最大のサービングセル数である５個）のサービング分のＴＤＤ設定を通知可能なビットフィールドを有することができる。常に固定数のビットフィールドを有することで、移動局装置１は設定変更によらずこのＰＤＣＣＨあるいはＥＰＤＣＣＨを検出でき、さらに複数の移動局装置がこのシグナリングを共用することもできる。
【０４２１】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０４２２】
なお、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０４２３】
なお、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０４２４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０４２５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０４２６】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０４２７】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０４２８】
また、上述した実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０４２９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０４３０】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  サブフレーム設定部
１０１５  スケジューリング情報解釈部
１０１７  ＣＳＩ報告制御部
３０１１  無線リソース制御部
３０１３  サブフレーム設定部
３０１５  スケジューリング部
３０１７  ＣＳＩ報告制御部
【図１】
2015020190.tif 000003
【図２】
2015020190.tif 000004
【図３】
2015020190.tif 000005
【図４】
2015020190.tif 000006
【図５】
2015020190.tif 000007
【図６】
2015020190.tif 000008
【図７】
2015020190.tif 000009
【図８】
2015020190.tif 000010
【図９】
2015020190.tif 000011
【図１０】
2015020190.tif 000012
【図１１】
2015020190.tif 000013
【図１２】
2015020190.tif 000014
【図１３】
2015020190.tif 000015
【図１４】
2015020190.tif 000016
【図１５】
2015020190.tif 000017
【図１６】
2015020190.tif 000018
【図１７】
2015020190.tif 000019
【図１８】
2015020190.tif 000020
【図１９】
2015020190.tif 000021
【図２０】
2015020190.tif 000022
【図２１】
2015020190.tif 000023
【図２２】
2015020190.tif 000024
【図２３】
2015020190.tif 000025
【図２４】
2015020190.tif 000026
【図２５】
2015020190.tif 000027
【図２６】
2015020190.tif 000028
【図２７】
2015020190.tif 000029
【図２８】
2015020190.tif 000030
【図２９】
2015020190.tif 000031
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
端末装置であって、
ＴＤＤ再設定用ＲＮＴＩでスクランブルされたＣＲＣを伴うＤＣＩフォーマット１ＣのＰＤＣＣＨをモニタする受信部を備え、
前記受信部が一つの無線フレームにおいて前記ＰＤＣＣＨをモニタするサブフレームは、ビットマップ形式の情報で上位層から設定され、前記ビットマップ形式の情報のうちの値が１であるビットに対応するサブフレームであり、
前記ビットマップ形式の情報のうちの値が０であるビットは、前記受信部が前記無線フレームにおいて前記ＰＤＣＣＨをモニタしないサブフレームに対応する
端末装置。
【請求項２】
プライマリーセルがＴＤＤである場合、前記受信部が前記ＰＤＣＣＨをモニタするサブフレームは、システムインフォメーションに含まれる第一の上りリンク−下りリンク設定によって下りリンクサブフレームと指示されるサブフレームである
請求項１に記載の端末装置。
【請求項３】
前記受信部が前記ＰＤＣＣＨをモニタしないサブフレームは、前記ビットマップ形式の情報のうちの値が０であるビットに対応するサブフレーム、または、前記第一の上りリンク−下りリンク設定によって上りリンクサブフレームと指示されるサブフレームである、
請求項２に記載の端末装置。
【請求項４】
前記ＴＤＤ再設定用ＲＮＴＩは、専用ＲＲＣシグナリングを介して、一つ設定される、
請求項１に記載の端末装置。
【請求項５】
前記受信部は、システムインフォメーションに含まれる第一の上りリンク−下りリンク設定によって上りリンクサブフレームと指示されたサブフレームを、第二の上りリンク−下りリンク設定によって上りリンクサブフレームまたは下りリンクサブフレームと指示する前記ＰＤＣＣＨを受信し、
前記システムインフォメーションに含まれる前記第一の上りリンク−下りリンク設定によって下りリンクサブフレームまたはスペシャルサブフレームと指示されたサブフレームを、前記第二の上りリンク−下りリンク設定によって上りリンクサブフレームと指示する前記ＰＤＣＣＨを受信しない、
請求項１に記載の端末装置。
【請求項６】
前記受信部は、下りリンク参照ＵＬ−ＤＬ設定によって下りリンクサブフレームと指示されたサブフレームを、第二の上りリンク−下りリンク設定によって上りリンクサブフレームまたは下りリンクサブフレームと指示する前記ＰＤＣＣＨを受信し、
前記下りリンク参照ＵＬ−ＤＬ設定によって上りリンクサブフレームまたはスペシャルサブフレームと指示されたサブフレームを、前記第二の上りリンク−下りリンク設定によって下りリンクサブフレームと指示する前記ＰＤＣＣＨを受信しない、
請求項１に記載の端末装置。
【請求項７】
前記下りリンク参照ＵＬ−ＤＬ設定は、上りリンク参照ＵＬ−ＤＬ設定に基づいて限定された上りリンク−下りリンク設定セットの中から設定される、
請求項６に記載の端末装置。
【請求項８】
前記下りリンク参照ＵＬ−ＤＬ設定は、専用ＲＲＣシグナリングを介して、サービングセルごとに設定される、
請求項６に記載の端末装置。
【請求項９】
基地局装置であって、
ＴＤＤ再設定用ＲＮＴＩでスクランブルされたＣＲＣを伴うＤＣＩフォーマット１ＣのＰＤＣＣＨを送信する送信部を備え、
前記送信部が一つの無線フレームにおいて前記ＰＤＣＣＨを送信するサブフレームは、上位層で設定するビットマップ形式の情報のうちの値が１であるビットに対応するサブフレームであり、
前記ビットマップ形式の情報のうちの値が０であるビットは、前記送信部が前記無線フレームにおいて前記ＰＤＣＣＨを送信しないサブフレームに対応する
基地局装置。
【請求項１０】
プライマリーセルがＴＤＤである場合、前記送信部が前記ＰＤＣＣＨを送信するサブフレームは、システムインフォメーションに含まれる第一の上りリンク−下りリンク設定によって下りリンクサブフレームと示すサブフレームである
請求項９に記載の基地局装置。
【請求項１１】
前記送信部が前記ＰＤＣＣＨを送信しないサブフレームは、前記ビットマップ形式の情報のうちの値が０であるビットに対応するサブフレーム、または、前記第一の上りリンク−下りリンク設定によって上りリンクサブフレームと示すサブフレームである、
請求項１０に記載の基地局装置。
【請求項１２】
前記ＴＤＤ再設定用ＲＮＴＩは、専用ＲＲＣシグナリングを介して、一つ設定する、
請求項９に記載の基地局装置。
【請求項１３】
前記送信部は、システムインフォメーションに含まれる第一の上りリンク−下りリンク設定によって上りリンクサブフレームと示すサブフレームを、第二の上りリンク−下りリンク設定によって上りリンクサブフレームまたは下りリンクサブフレームと示す前記ＰＤＣＣＨを送信し、
前記システムインフォメーションに含まれる前記第一の上りリンク−下りリンク設定によって下りリンクサブフレームまたはスペシャルサブフレームと指示されたサブフレームを、前記第二の上りリンク−下りリンク設定によって上りリンクサブフレームと示す前記ＰＤＣＣＨを送信しない、
請求項９に記載の基地局装置。
【請求項１４】
前記送信部は、下りリンク参照ＵＬ−ＤＬ設定によって下りリンクサブフレームと示されるサブフレームを、第二の上りリンク−下りリンク設定によって上りリンクサブフレームまたは下りリンクサブフレームと示す前記ＰＤＣＣＨを送信し、
前記下りリンク参照ＵＬ−ＤＬ設定によって上りリンクサブフレームまたはスペシャルサブフレームと示されるサブフレームを、前記第二の上りリンク−下りリンク設定によって下りリンクサブフレームと示す前記ＰＤＣＣＨを送信しない、
請求項９に記載の基地局装置。
【請求項１５】
前記下りリンク参照ＵＬ−ＤＬ設定は、上りリンク参照ＵＬ−ＤＬ設定に基づいて限定された上りリンク−下りリンク設定セットの中から設定される、
請求項１４に記載の基地局装置。
【請求項１６】
前記下りリンク参照ＵＬ−ＤＬ設定は、専用ＲＲＣシグナリングを介して、サービングセルごとに設定される、
請求項１４に記載の基地局装置。
【請求項１７】
端末装置における通信方法であって、
ＴＤＤ再設定用ＲＮＴＩでスクランブルされたＣＲＣを伴うＰＤＣＣＨをモニタするステップを含み、
一つの無線フレームにおいて前記ＰＤＣＣＨをモニタするサブフレームは、ビットマップ形式の情報で上位層から設定され、前記ビットマップ形式の情報のうちの値が１であるビットに対応するサブフレームであり、
前記ビットマップ形式の情報のうちの値が０であるビットは、前記無線フレームにおいて前記ＰＤＣＣＨをモニタしないサブフレームに対応する
通信方法。
【請求項１８】
基地局装置における通信方法であって、
ＴＤＤ再設定用ＲＮＴＩでスクランブルされたＣＲＣを伴うＰＤＣＣＨを送信するステップを含み、
一つの無線フレームにおいて前記ＰＤＣＣＨを送信するサブフレームは、上位層で設定するビットマップ形式の情報のうちの値が１であるビットに対応するサブフレームであり、
前記ビットマップ形式の情報のうちの値が０であるビットは、前記無線フレームにおいて前記ＰＤＣＣＨを送信しないサブフレームに対応する
通信方法。
【国際調査報告】
2015020190.tif 000032
2015020190.tif 000033
2015020190.tif 000034
2015020190.tif 000035